(57)【要約】  本発明はダウンリンクデータの重複伝送方法及び装置を開示し、伝送データを異なるサブフレームにおいてリソースにマッピングする場合の利用可能のＲＥ数が別々であるため、データがマルチサブフレームにおいて重複伝送さされる場合サブフレーム間統合ができない問題点を解決する。ダウンリンクデータの重複伝送方法は、物理ダウンリンクチャネルの重複伝送のためのサブフレーム集合を決定するステップと、決定されたサブフレーム集合内の各々サブフレームにおいて、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップと、前記リソースのマッピング方式で前記物理ダウンリンクチャネルを送信するステップとを備える。
2018516029.tif 000002
【特許請求の範囲】
【請求項１】
物理ダウンリンクチャネルの重複伝送のためのサブフレーム集合を決定するステップと、
決定されたサブフレーム集合内の各々サブフレームにおいて、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップと、
前記リソースのマッピング方式で前記物理ダウンリンクチャネルを送信するステップとを備えることを特徴とするダウンリンクデータの重複伝送方法。
【請求項２】
前記特定の開始シンボル位置は、上位層シグナリングにより予め設定されるか、または、ダウンリンク制御情報（ＤＣＩ）領域サイズにより得られたものであり、前記ＤＣＩ領域サイズは、制御フォーマット指示子（ＣＦＩ）により得られたものであることを特徴とする請求項１に記載のダウンリンクデータの重複伝送方法。
【請求項３】
前記サブフレーム集合が複数のサブフレームグループを含み、前記サブフレームグループを単位として実行し、前記サブフレームグループが、マルチサブフレームチャネル推定に参与する一定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始めるステップは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングし、
または、前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始めるステップは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングすることを特徴とする請求項１に記載のダウンリンクデータの重複伝送方法。
【請求項４】
前記第３シンボル数を、前記第１シンボル数及び前記第２シンボル数のうちの最小値または最大値として決定することを特徴とする請求項３に記載のダウンリンクデータの重複伝送方法。
【請求項５】
前記物理ダウンリンクチャネルをリソースにマッピングする場合、現サブフレームの第１スロットにおける、前記第３シンボル数に基づいて決定された開始シンボル位置からマッピングするステップは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングする場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、
または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングする場合、現サブフレームの第１スロットにおける、前記第３シンボル数に基づいて決定された開始シンボル位置からマッピングし、前記物理ダウンリンクチャネルにより積載される情報中の一部情報を、現サブフレームの第１スロットにおける、前記第３シンボル数に基づいて決定された開始シンボル位置ににおける先頭Ｂ個シンボルに重複マッピングし、前記Ｂ個シンボル数は、前記第３シンボル数と現サブフレームのＤＣＩ領域の実のシンボル数の差であることを特徴とする請求項４に記載のダウンリンクデータの重複伝送方法。
【請求項６】
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、
また、
前記サブフレームグループ中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトし、
または、前記サブフレーム集合にマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、
また、
前記サブフレーム集合中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを特徴とする請求項１に記載のダウンリンクデータの重複伝送方法。
【請求項７】
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記方法は、
同一の前記サブフレームグループに属する前記ＭＢＳＦＮサブフレーム及び前記非ＭＢＳＦＮサブフレームに対し、同様な伝送方式で伝送するステップをさらに備え、
前記伝送方式は、復調用のリファレンス信号、伝送ポート・ポート数及びプリエンコーディング方式のうちのいずれの１つまたはこれらの任意の組み合わせを含み、
または、前記サブフレーム集合にＭＢＳＦＮサブフレーム及び非ＭＢＳＦＮサブフレームが含まれば、前記方法は、
前記サブフレーム集合中の前記ＭＢＳＦＮサブフレーム及び前記非ＭＢＳＦＮサブフレームに対し、同様な伝送方式で伝送するステップをさらに備え、
前記伝送方式は、復調用のリファレンス信号、伝送ポート・ポート数及びプリエンコーディング方式のうちのいずれの１つまたはこれらの任意の組み合わせを含むことを特徴とする請求項１に記載のダウンリンクデータの重複伝送方法。
【請求項８】
同様な伝送方式で伝送するステップは、
前記サブフレーム集合または前記サブフレームグループ中の特定サブフレームに対応する伝送方式で伝送するか、
または、
予め設定した伝送方式で伝送することを特徴とする請求項７に記載のダウンリンクデータの重複伝送方法。
【請求項９】
前記サブフレーム集合または前記サブフレームグループ中の特定サブフレームに対応する伝送方式で伝送するステップは、
前記サブフレーム集合、または、前記サブフレームグループ中の第１サブフレームに対応する伝送方式で伝送するか、
または、
前記サブフレーム集合、または、前記サブフレームグループにおけるＭＢＳＦＮサブフレームに対応する伝送方式で伝送することを特徴とする請求項８に記載のダウンリンクデータの重複伝送方法。
【請求項１０】
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、
前記サブフレーム集合に非ＭＢＳＦＮサブフレームのみが含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングすることを特徴とする請求項１に記載のダウンリンクデータの重複伝送方法。
【請求項１１】
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、前記サブフレーム集合にマルチメディア放送/マルチキャスト単一周波数ネットワークＭＢＳＦＮサブフレームのみが含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングすることを特徴とする請求項１に記載のダウンリンクデータの重複伝送方法。
【請求項１２】
前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合、
前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを特徴とする請求項１ないし請求項１１のいずれかに記載のダウンリンクデータの重複伝送方法。
【請求項１３】
物理ダウンリンクチャネルの重複伝送のためのサブフレーム集合を決定するステップと、
決定されたサブフレーム集合内の各々サブフレームにおいて、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップと、
前記リソースのマッピング方式で前記物理ダウンリンクチャネルを受信するステップとを備えることを特徴とするダウンリンクデータの重複伝送方法。ことを特徴とするダウンリンクデータの重複伝送方法。
【請求項１４】
前記特定の開始シンボル位置は、上位層シグナリングにより予め設定するか、または、ダウンリンク制御情報（ＤＣＩ）領域サイズにより得られたものであり、前記ＤＣＩ領域サイズは、制御フォーマット指示子（ＣＦＩ）により得られたものであることを特徴とする請求項１３に記載のダウンリンクデータの重複伝送方法。
【請求項１５】
。前記サブフレーム集合は、複数のサブフレームグループを含み、前記サブフレームグループを単位として実行し、前記サブフレームグループは、マルチサブフレームチャネル推定に参与する一定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングすることを決定する場合、現サブフレームの第１スロットにおける特定の開始シンボル位置からマッピングし始めるステップは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングし、
または、
前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、物理ダウンリンクチャネルをリソースにマッピングすることを決定する場合に、現サブフレームの第１スロットにおける特定の開始シンボル位置からマッピングし始めるステップは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングすることを特徴とする請求項１３に記載のダウンリンクデータの重複伝送方法。
【請求項１６】
前記第３シンボル数を、前記第１シンボル数及び前記第２シンボル数のうちの最小値または最大値として決定することを特徴とする請求項１５に記載のダウンリンクデータの重複伝送方法。
【請求項１７】
前記物理ダウンリンクチャネルをリソースにマッピングすることを決定する場合、現サブフレームの第１スロットにおける、前記第３シンボル数に基づいて決定された開始シンボル位置からマッピングするステップは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングすることを決定する場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、
または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングすることを決定する場合、現サブフレームの第１スロットにおける、前記第３シンボル数に基づいて決定された開始シンボル位置からマッピングし、かつ、前記物理ダウンリンクチャネルをリソースにマッピングする場合に、前記物理ダウンリンクチャネルにより積載される情報中の一部情報を、現サブフレームの第１スロットにおける、前記第３シンボル数に基づいて決定された開始シンボル位置からの先頭のＢ個シンボルに重複マッピングすることを決定し、前記Ｂ個シンボル数は、前記第３シンボル数と現サブフレームのＤＣＩ領域の実のシンボル数の差であることを特徴とする請求項１６に記載のダウンリンクデータの重複伝送方法。
【請求項１８】
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、
また、
前記サブフレームグループ中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定し、
または、
前記サブフレーム集合にマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、
また、
前記サブフレーム集合中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定することを特徴とする請求項１３に記載のダウンリンクデータの重複伝送方法。
【請求項１９】
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記方法は、
同一の前記サブフレームグループに属する前記ＭＢＳＦＮサブフレーム及び前記非ＭＢＳＦＮサブフレームにおいて、同様な伝送方式で受信するステップをさらに備え、
前記伝送方式は、復調用のリファレンス信号、伝送ポート・ポート数及びプリエンコーディング方式のうちのいずれの１つまたはこれらの任意の組み合わせを含み、
または、前記サブフレーム集合にマルチメディア放送/マルチキャスト単一周波数ネットワークＭＢＳＦＮサブフレーム及び非ＭＢＳＦＮサブフレームが含まれば、前記方法は、
前記サブフレーム集合中の前記ＭＢＳＦＮサブフレーム及び前記非ＭＢＳＦＮサブフレームにおいて、同様な伝送方式で受信するステップをさらに備え、
前記伝送方式は、復調用のリファレンス信号、伝送ポート・ポート数及びプリエンコーディング方式のうちのいずれの１つまたはこれらの任意の組み合わせを含むことを特徴とする請求項１３に記載のダウンリンクデータの重複伝送方法。
【請求項２０】
同様な伝送方式で受信するステップは、
前記サブフレーム集合、または、前記サブフレームグループ中の特定サブフレームに対応する伝送方式で受信するか、
または、
予め設定した伝送方式で受信することを特徴とする請求項１９に記載のダウンリンクデータの重複伝送方法。
【請求項２１】
前記サブフレーム集合、または、前記サブフレームグループ中の特定サブフレームに対応する伝送方式で受信するステップは、
前記サブフレーム集合、または、前記サブフレームグループ中の第１サブフレームに対応する伝送方式で受信するか、
前記サブフレーム集合、または、前記サブフレームグループにおけるＭＢＳＦＮサブフレームに対応する伝送方式で受信することを特徴とする請求項２０に記載のダウンリンクデータの重複伝送方法。
【請求項２２】
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、
前記サブフレーム集合に非マルチメディア放送/マルチキャスト単一周波数ネットワークＭＢＳＦＮサブフレームのみが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングすることを特徴とする請求項１３に記載のダウンリンクデータの重複伝送方法。
【請求項２３】
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、
前記サブフレーム集合にマルチメディア放送/マルチキャスト単一周波数ネットワークＭＢＳＦＮサブフレームのみが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングすることを特徴とする請求項１３に記載のダウンリンクデータの重複伝送方法。
【請求項２４】
前記サブフレーム集合中の、チャネル状態情報リファレンス信号（ＣＳＩ−ＲＳ）リソースが設定されたサブフレームにおいて、
前記物理ダウンリンクチャネルをリソースにマッピングする場合に前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを決定するステップをさらに備えることを特徴とする請求項１３ないし請求項２３のいずれかに記載のダウンリンクデータの重複伝送方法。
【請求項２５】
前記リソースのマッピング方式で前記物理ダウンリンクチャネルを受信するステップは、
前記物理ダウンリンクチャネルをリソースにマッピングする場合に放棄してマッピングしないか、または０とするか、または他の信号によりオーバーレイとされたリソース上の情報を、受信する際に０または特定値とすることを特徴とする請求項１３ないし請求項２４のいずれかに記載のダウンリンクデータの重複伝送方法。
【請求項２６】
前記サブフレーム集合中のマルチサブフレームチャネル推定に参与する一定数のサブフレームにより形成したサブフレームグループにおける各々サブフレームにおいて受信した情報を統合する場合、０または特定値とするリソース位置上の情報を統合しないことを決定し、
または、前記サブフレーム集合における各々サブフレームにおいて受信した情報を統合する場合、０または特定値とするリソース位置上の情報を統合しないことを決定することを特徴とする請求項２５に記載のダウンリンクデータの重複伝送方法。
【請求項２７】
物理ダウンリンクチャネルの重複伝送のためのサブフレーム集合を決定する決定モジュールと、
決定されたサブフレーム集合内の各々サブフレームにおいて、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするリソースマッピングモジュールと、
前記リソースのマッピング方式で前記物理ダウンリンクチャネルを送信する送信モジュールとを備えることを特徴とする送信端装置。
【請求項２８】
前記特定の開始シンボル位置は、上位層シグナリングにより予め設定するか、または、前記特定の開始シンボル位置は、ダウンリンク制御情報（ＤＣＩ）領域サイズにより得られたものである、前記ＤＣＩ領域サイズは、制御フォーマット指示子（ＣＦＩ）により得られたものであることを特徴とする請求項２７に記載の送信端装置。
【請求項２９】
前記リソースマッピングモジュールは、
前記サブフレーム集合が複数のサブフレームグループを含み、前記サブフレームグループを単位として実行し、前記サブフレームグループがマルチサブフレームチャネル推定に参与する所定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングし、
または、前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングすることを特徴とする請求項２７に記載の送信端装置。
【請求項３０】
前記リソースマッピングモジュールは、
前記第３シンボル数を、前記第１シンボル数及び前記第２シンボル数のうちの最小値または最大値として決定することを特徴とする請求項２９に記載の送信端装置。
【請求項３１】
前記リソースマッピングモジュールは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングする場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、 または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングする場合、現サブフレームの第１スロットにおける、前記第３シンボル数に基づいて決定された開始シンボル位置からマッピングし、前記物理ダウンリンクチャネルにより積載される情報中の一部情報を、現サブフレームの第１スロットにおける、前記第３シンボル数に基づいて決定された開始シンボル位置ににおける先頭Ｂ個シンボルに重複マッピングし、前記Ｂ個シンボル数は、前記第３シンボル数と現サブフレームのＤＣＩ領域の実のシンボル数の差であることを特徴とする請求項３０に記載の送信端装置。
【請求項３２】
前記リソースマッピングモジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記サブフレームグループ中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレームグループ中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトし、
または、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレーム集合中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを特徴とする請求項２７に記載の送信端装置。
【請求項３３】
前記送信モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、同一の前記サブフレームグループに属する前記ＭＢＳＦＮサブフレーム及び前記非ＭＢＳＦＮサブフレームに対し、同様な伝送方式で伝送し、前記伝送方式は、復調用のリファレンス信号、伝送ポート・ポート数及びプリエンコーディング方式のうちのいずれの１つまたはこれらの任意の組み合わせを含み、
または、前記サブフレーム集合にＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームに対し、同様な伝送方式で伝送し、前記伝送方式は、復調用のリファレンス信号、伝送ポート・ポート数及びプリエンコーディング方式のうちのいずれの１つまたはこれらの任意の組み合わせを含むことを特徴とする請求項２７に記載の送信端装置。
【請求項３４】
前記送信モジュールは、
前記サブフレーム集合または前記サブフレームグループ中の特定サブフレームに対応する伝送方式で伝送し、
または、
予め設定した伝送方式で伝送することを特徴とする請求項３３に記載の送信端装置。
【請求項３５】
前記送信モジュールは、
前記サブフレーム集合、または、前記サブフレームグループ中の第１サブフレームに対応する伝送方式で伝送し、
または、
前記サブフレーム集合、または、前記サブフレームグループにおけるＭＢＳＦＮサブフレームに対応する伝送方式で伝送することを特徴とする請求項３４に記載の送信端装置。
【請求項３６】
前記リソースマッピングモジュールは、
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記サブフレームグループ中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、前記サブフレーム集合に非ＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングすることを特徴とする請求項２７に記載の送信端装置。
【請求項３７】
前記リソースマッピングモジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記サブフレームグループ中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、前記サブフレーム集合にマルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングすることを特徴とする請求項２７に記載の送信端装置。
【請求項３８】
前記リソースマッピングモジュールは、
前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合、前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを特徴とする請求項２７ないし請求項３７のいずれかに記載の送信端装置。
【請求項３９】
物理ダウンリンクチャネルの重複伝送のためのサブフレーム集合を決定する第１決定モジュールと、
決定されたサブフレーム集合内の各々サブフレームにおいて、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングする第２決定モジュールと、
前記リソースのマッピング方式で前記物理ダウンリンクチャネルを受信する受信モジュールとを備えることを特徴とする受信端装置。
【請求項４０】
前記特定の開始シンボル位置は、上位層シグナリングにより予め設定するか、または、前記特定の開始シンボル位置は、ダウンリンク制御情報（ＤＣＩ）領域サイズにより得られたものである、前記ＤＣＩ領域サイズは、制御フォーマット指示子（ＣＦＩ）により得られたものであることを特徴とする請求項３９に記載の受信端装置。
【請求項４１】
前記第２決定モジュールは、
前記サブフレーム集合は、複数のサブフレームグループを含み、前記サブフレームグループを単位として実行し、前記サブフレームグループは、マルチサブフレームチャネル推定に参与する一定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングし、
または、前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングすることを特徴とする請求項３９に記載の受信端装置。
【請求項４２】
前記第２決定モジュールは、
前記第３シンボル数を、前記第１シンボル数及び前記第２シンボル数のうちの最小値または最大値として決定することを特徴とする請求項４１に記載の受信端装置。
【請求項４３】
前記第２決定モジュールは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングすることを決定する場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングすることを決定する場合、現サブフレームの第１スロットにおける、前記第３シンボル数に基づいて決定された開始シンボル位置からマッピングし、かつ、前記物理ダウンリンクチャネルをリソースにマッピングする場合に、前記物理ダウンリンクチャネルにより積載される情報中の一部情報を、現サブフレームの第１スロットにおける、前記第３シンボル数に基づいて決定された開始シンボル位置からの先頭のＢ個シンボルに重複マッピングすることを決定し、前記Ｂ個シンボル数は、前記第３シンボル数と現サブフレームのＤＣＩ領域の実のシンボル数の差であることを特徴とする請求項４２に記載の受信端装置。
【請求項４４】
前記第２決定モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記サブフレームグループ中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレームグループ中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定し、
または、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレーム集合中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定することを特徴とする請求項３９に記載の受信端装置。
【請求項４５】
前記受信モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、同一の前記サブフレームグループに属する前記ＭＢＳＦＮサブフレーム及び前記非ＭＢＳＦＮサブフレームにおいて、同様な伝送方式で受信し、前記伝送方式は、復調用のリファレンス信号、伝送ポート・ポート数及びプリエンコーディング方式のうちのいずれの１つまたはこれらの任意の組み合わせを含み、
または、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームにおいて、同様な伝送方式で受信し、前記伝送方式は、復調用のリファレンス信号、伝送ポート・ポート数及びプリエンコーディング方式のうちのいずれの１つまたはこれらの任意の組み合わせを含むことを特徴とする請求項３９に記載の受信端装置。
【請求項４６】
前記受信モジュールは、
前記サブフレーム集合、または、前記サブフレームグループ中の特定サブフレームに対応する伝送方式で受信し、
または、
予め設定した伝送方式で受信することを特徴とする請求項４５に記載の受信端装置。
【請求項４７】
前記受信モジュールは、
前記サブフレーム集合、または、前記サブフレームグループ中の第１サブフレームに対応する伝送方式で受信し、
または、
前記サブフレーム集合、または、前記サブフレームグループにおけるＭＢＳＦＮサブフレームに対応する伝送方式で受信することを特徴とする請求項４６に記載の受信端装置。
【請求項４８】
前記第２決定モジュールは、
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記サブフレームグループ中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、
前記サブフレーム集合に非マルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングすることを特徴とする請求項３９に記載の受信端装置。
【請求項４９】
前記第２決定モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記サブフレームグループ中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、前記サブフレーム集合にマルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングすることを特徴とする請求項３９に記載の受信端装置。
【請求項５０】
前記第２決定モジュールは、
前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合に前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを決定することを特徴とする請求項３９ないし請求項４９のいずれかに記載の受信端装置。
【請求項５１】
前記受信モジュールは、前記リソースのマッピング方式で前記物理ダウンリンクチャネルを受信する場合、前記物理ダウンリンクチャネルをリソースにマッピングする場合に放棄してマッピングしないか、または０とするか、または他の信号によりオーバーレイとされたリソース上の情報を、受信する際に０または特定値とすることを特徴とする請求項３９ないし請求項５０のいずれかに記載の受信端装置。
【請求項５２】
前記受信モジュールは、
前記サブフレーム集合中のマルチサブフレームチャネル推定に参与する一定数のサブフレームにより形成したサブフレームグループにおける各々サブフレームにおいて受信した情報を統合する場合、０または特定値とするリソース位置上の情報を統合しないことを決定し、
または、
前記サブフレーム集合における各々サブフレームにおいて受信した情報を統合する場合、０または特定値とするリソース位置上の情報を統合しないことを決定することを特徴とする請求項５１に記載の受信端装置。
【発明の詳細な説明】
【技術分野】
【０００１】
本発明は通信技術分野に関し、特にダウンリンクデータの重複伝送方法及び装置に関する。
【背景技術】
【０００２】
１）ＭＴＣ
モノのインターネット（ｉｎｔｅｒｎｅｔ ｏｆ ｔｈｉｎｇｓ）の出現とともない、ＬＴＥ（Ｌｏｎｇ Ｔｅｒｍ Ｅｖｏｌｕｔｉｏｎ）システムにおいてＭＴＣ（Ｍａｃｈｉｎｅ Ｔｙｐｅ Ｃｏｍｍｕｎｉｃａｔｉｏｎ）をサポートすることはますます重要視されていく。
【０００３】
３ＧＰＰ Ｒｅｌｅａｓｅ １３には、ＭＴＣの物理層強化に対するプロジェクトを立案した。一台のＭＴＣ装置（またはＭＴＣ端末とも称される）は、多様なＭ２Ｍ（Ｍａｃｈｉｎｅ ｔｏ Ｍａｃｈｉｎｅ）通信特性のうちの一部の特性、例えば、低モビリティ、小伝送データ量、通信遅延への鈍感、極低消費電力などを有する。ここで、ＭＴＣ ＵＥのコストを低減するため、新たしいＵＥタイプを定義しようとし、当該タイプの場合、そのアップリンクとダウンリンクのいて、１.４メガヘルツ（MHz）無線周波数帯域幅のみをサポートする。
【０００４】
従来ネットワークにおけるあるシナリオでの端末、例えば地下室、百貨店または建物の隅に位置する端末は、無線信号のひどい遮断により、信号が減衰されてしまい、ネットワークと通信できなくなる。このようなシナリオでネットワークのカバレッジはネットワークのネット立てコストを大幅に向上する。テストにより、従来のカバレッジを強化してネットワーク通信を実現する必要があると認識している。カバレッジ強化のための実施可能の方法としては、従来のチャネルに対して重複伝送または類に技術を利用し、理論上で従来の物理チャネルに対して、数十回ないし指数百回の重複伝送行うことにより、ある程度のカバレッジ範囲が増大できる方法である。
【０００５】
２）ＣＳＩ−ＲＳ
ＬＴＥシステムにおいて、チャネル状態情報リファレンス信号（Ｃｈａｎｎｅｌ Ｓｔａｔｅ ｉｎｆｏｒｍａｔｉｏｎ Ｒｅｆｅｒｅｎｃｅ Ｓｉｇｎａｌｓ， ＣＳＩ−ＲＳ）は、１，２，４，または８個のアンテナポートにおいて送信され、ぞれぞれアンテナポート
【数１】
2018516029.tif 000003
に対応する。ＣＳＩ−ＲＳは、サブキャリア間隔
【数２】
2018516029.tif 000004
の場合のみ定義される。
【０００６】
１つの特定のセルに複数のＣＳＩ−ＲＳが設定されることができる。具体的には、端末は、０または１つの非０電力ＣＳＩ−ＲＳ、０または複数の０電力（Ｚｅｒｏ Ｐｏｗｅｒ，ＺＰ）ＣＳＩ−ＲＳを有すると仮定する。上位層シグナリングにより設定されたＺＰ ＣＳＩ−ＲＳの１６ビットのうちのあるビットが１であれば、端末が対応の４個のポートＣＳＩ−ＲＳ位置が０電力であると仮定するが、ただし、これらのリソース・エレメントが上位層シグナリングにより設定された非０電力（Ｎｏｎ−Ｚｅｒｏ Ｐｏｗｅｒ， ＮＺＰ）のＣＳＩ−ＲＳと重なり合う場合を除く。ここで、ビット順位は４個ポートのＣＳＩ−ＲＳの設定番号と１対１対応しており、第１のビットは、ＣＳＩ−ＲＳの最小インデックス番号と対応する。
【０００７】
ＣＳＩ−ＲＳは、単にダウンリンク・スロットにおいて発生され、ノーマルＣＰ（Ｃｙｃｌｉｃ Ｐｒｅｆｉｘ，ＣＰ）は表１に示す全部の条件を満たし、拡張ＣＰは表２に示す全部の条件を満たし、ＣＳＩ−ＲＳのサブフレーム設定周期
【数３】
2018516029.tif 000005
及びサブフレームオフセット
【数４】
2018516029.tif 000006
により決定されたダウンリンク・サブフレームにおいて伝送され、表３に挙げられた例のとおりである。即ちちＣＳＩ−ＲＳを含むサブフレームは、下記の数式を満たす。
【数５】
2018516029.tif 000007
ここで、“mod”はモジュラー演算を示し、
【数６】
2018516029.tif 000008
は無線フレーム番号を示し、
【数７】
2018516029.tif 000009
はスロット番号を示す。ＮＺＰ ＣＳＩ−ＲＳ及びＺＰ ＣＳＩ−ＲＳそれぞれは、表３における設定インデックスパラメータ
【数８】
2018516029.tif 000010
に設定されることができる。
【０００８】
端末は下記の場合ＣＳＩ−ＲＳの不発送を仮定する。タイプ２サブフレーム構成の特定サブフレームの場合、ＣＳＩ−ＲＳが同期信号、物理ブロードキャストチャネル（Ｐｈｙｓｉｃａｌ Ｂｒｏａｄｃａｓｔ Ｃｈａｎｎｅｌ，ＰＢＣＨ）及びシステム情ブロック１（Ｓｙｓｔｅｍ Ｉｎｆｏｒｍａｔｉｏｎ ＢｌｏｃＫ Ｔｙｐｅ１，ＳＩＢ−１）と衝突するサブフレームの場合、ページング（ｐａｇｉｎｇ）情報が設定されるサブフレームの場合。
【０００９】
【表１】
2018516029.tif 000011
【００１０】
【表２】
2018516029.tif 000012
【００１１】
【表３】
2018516029.tif 000013
【００１２】
３）ＭＢＳＦＮサブフレーム
ＬＴＥシステムにおいて、マルチメディア放送/マルチキャスト単一周波数ネットワーク（Ｍｕｌｔｉｍｅｄｉａ Ｂｒｏａｄｃａｓｔ ｍｕｌｔｉｃａｓｔ ｓｅｒｖｉｃｅ Ｓｉｎｇｌｅ ＦｒｅＱｕｅｎｃｙ ＮｅｔｗｏｒＫ，ＭＢＳＦＮ）サブフレームが定義されている。１つの無線フレームにおいて、サブフレーム０及びサブフレーム５の以外の他のサブフレームは、原則として、ＭＢＳＦＮサブフレームに設定されることができる。ＭＢＳＦＮサブフレームは、ＭＢＳＦＮ領域及び非ＭＢＳＦＮ領域との２つの領域を含む。ＭＢＳＦＮ領域において、セル特定リファレンス信号（Ｃｅｌｌ−ｓｐｅｃｉｆｉｃ ｒｅｆｅｒｅｎｃｅ ｓｉｇｎａｌｓ，ＣＲＳ，共通リファレンス信号Ｃｏｍｍｏｎ ｒｅｆｅｒｅｎｃｅ ｓｉｇｎａｌとも呼ばれる）がないが、非ＭＢＳＦＮ領域においてＣＲＳがある。物理マルチメディア放送チャネル（Ｐｈｙｓｉｃａｌ Ｍｕｌｔｉｃａｓｔ Ｃｈａｎｎｅｌ,  ＰＭＣＨ）は、ＭＢＳＦＮサブフレームのＭＢＳＦＮ領域のみにおいて、拡張ＣＰを用いて伝送されるが、ここで、ＭＢＳＦＮサブフレームにおける非ＭＢＳＦＮ領域の長さ（サイズ）は、上位層シグナリングにより予めに設定される。ＭＢＳＦＮサブフレームにおける非ＭＢＳＦＮ領域、即ちち、制御領域において、物理ダウンリンク制御チャネル（Ｐｈｙｓｉｃａｌ ＤｏｗｎｌｉｎＫ Ｃｏｎｔｒｏｌ Ｃｈａｎｎｅｌ， ＰＤＣＣＨ）が伝送されることができ、サブフレーム０と一致するＣＰタイプで伝送され、物理アップリンク共有チャネル（Ｐｈｙｓｉｃａｌ ＵｐｌｉｎＫ Ｓｈａｒｅｄ Ｃｈａｎｎｅｌ，ＰＵＳＣＨ）または物理ダウンリンク共有チャネル（Ｐｈｙｓｉｃａｌ ＤｏｗｎｌｉｎＫ Ｓｈａｒｅｄ Ｃｈａｎｎｅｌ，ＰＤＳＣＨ）の伝送もできる。ＭＢＳＦＮサブフレームにおける非ＭＢＳＦＮ領域長さは０、１、２に設定されることができ、ＰＭＣＨのみを伝送すうＭＢＳＦＮサブフレームの場合０に設定され、ＰＤＳＣＨ伝送をサポートするＭＢＳＦＮサブフレームの場合、１または２に設定され、具体的な設定は、システムＣＲＳのポート数により決定される。ＣＲＳが４個アンテナポートに対応する場合、ＭＢＳＦＮサブフレームにおける非ＭＢＳＦＮ領域長さは２に設定され、即ち、ＰＤＣＣＨ伝送のためのＯＦＤＭシンボル２個を留保することができる。非ＭＢＳＦＮサブフレームの場合、制御領域のサイズは１、２、３とすることができ、表４に示すとおりである。ＭＢＳＦＮサブフレームにおける非ＭＢＳＦＮ領域にて伝送する制御フォーマット指示子（Ｃｏｎｔｒｏｌ Ｆｏｒｍａｔ Ｉｎｄｉｃａｔｏｒ，ＣＦＩ）情報により示されたダウンリンク制御情報（ＤｏｗｎｌｉｎＫ Ｃｏｎｔｒｏｌ Ｉｎｆｏｒｍａｔｉｏｎ，ＤＣＩ）領域のサイズは、上位層シグナリングにより予め設定した非ＭＢＳＦＮ領域のサイズと同様である。
【００１３】
【表４】
2018516029.tif 000014
【００１４】
ここで、表における
【数９】
2018516029.tif 000015
は、ダウンリンクシステム帯域幅荷含まれるＲＢ数である。
【００１５】
ＰＤＳＣＨは、下記のようなＭＢＳＦＮサブフレーム以外のＭＢＳＦＮサブフレームにて伝送されることができる。
【００１６】
１）上位層によりＰＭＣＨを受信すべきのＭＢＳＦＮサブフレームを通知する。
２）ポジショニングリファレンス信号（ｐｏｓｉｔｉｏｎｉｎｇ ｒｅｆｅｒｅｎｃｅ ｓｉｇｎａｌｓ，ＰＲＳ）の伝送のためのものとして設定され、かつ、ＰＲＳがＭＢＳＦＮサブフレームのみにて伝送されるように設定され、サブフレーム０にノーマルＣＰが利用される。ここで、ＭＢＳＦＮサブフレームにおけるＰＤＳＣＨ伝送は、現在、ＤＭＲＳ伝送に基づく伝送モード９及びモード１０のみをサポートし、表５に示すとおりである。
【００１７】
【表５】
2018516029.tif 000016
【００１８】
重複回数をなるべく低減するため、多くの研究を行った結果より、インターサブフレームチャネル推定（ジョイントチャネル推定）は１つの有効手段であることがわがった。所謂インターサブフレームチャネル推定とは、複数のサブフレームにおけるリファレンス信号を用いて、ジョイントチャネル推定を行うことである。典型的な方式としては、複数のサブフレームチャネル推定の結果に対し、ウェイトを用いて平均値を計算する。これに応じて、複数のサブフレームのデータ部分も統合する必要がある（シンボルレベルまたはビットレベル）。当該統合の前提としては、統合するための複数のサブフレームにおける送信信号の長さが同様であることである。
【００１９】
しかしながら、従来技術のＣＳＩ−ＲＳは、設定された周期に従って、特定リソースエレメント（ＲＥ，Ｒｅｓｏｕｒｃｅ Ｅｌｅｍｅｎｔ）において伝送され、異なるダウンリンク・サブフレームに含まれるＣＳＩ−ＲＳもそれぞれとなるため、データ伝送のための物理ダウンリンクチャネルをリソースにマッピングするときの利用可能のＲＥ数がことなり、また、ＭＢＳＦＮサブフレーム及び非ＭＢＳＦＮサブフレームがリファレンス信号、制御領域サイズなどの方面における差異の原因で、データ伝送のための物理ダウンリンクチャネルをリソースにマッピングするときの利用可能のＲＥ数が異なりになる。上述の状況は、データチャネルエンコーディング及びレートマッチングのターゲットエンコーディングビット数の異なりと繋がり、即ち、データがマルチサブフレームにおいて重複伝送される場合、サブフレーム間の統合が無理である。
【００２０】
よって、マルチサブフレームチャネル推定を採用する場合のデータ統合をサポートするために、ダウンリンクデータの重複伝送方法を提供する必要がある。
【発明の概要】
【発明が解決しようとする課題】
【００２１】
本発明に係る実施例は、ダウンリンクデータの重複伝送方法及び装置を提供し、伝送データを異なるサブフレームにおいてリソースにマッピングする場合の利用可能のＲＥ数が別々であるため、データがマルチサブフレームにおいて重複伝送される場合のサブフレーム間の統合ができない問題点を解決する。
【課題を解決するための手段】
【００２２】
本発明に係る実施例が提供する具体的な技術案は以下とおりである。
第１態様によれば、ダウンリンクデータの重複伝送方法が提供され、当該方法は、
物理ダウンリンクチャネルの重複伝送のためのサブフレーム集合を決定するステップと、
決定されたサブフレーム集合内の各々サブフレームにおいて、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップと、
前記リソースのマッピング方式で前記物理ダウンリンクチャネルを送信するステップとを備える。
【００２３】
実施の際、前記特定の開始シンボル位置は上位層シグナリングにより予め設定するか、または、前記特定の開始シンボル位置は、ダウンリンク制御情報（ＤＣＩ）領域サイズにより得られたものであり、前記ＤＣＩ領域サイズは、制御フォーマット指示子（ＣＦＩ）により得られたものである。
【００２４】
実施の際、前記サブフレーム集合は、複数のサブフレームグループを含み、前記サブフレームグループを単位として実行し、前記サブフレームグループは、マルチサブフレームチャネル推定に参与する一定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始めるステップは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングし、
または、前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始めるステップは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングする。
【００２５】
具体的に、前記第３シンボル数を、前記第１シンボル数及び前記第２シンボル数のうちの最小値または最大値として決定する。
【００２６】
具体的に、前記物理ダウンリンクチャネルをリソースにマッピングする場合、現サブフレームの第１スロットにおける、前記第３シンボル数に基づいて決定された開始シンボル位置からマッピングするステップは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングする場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、 または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングする場合、現サブフレームの第１スロットにおける、前記第３シンボル数に基づいて決定された開始シンボル位置からマッピングし、前記物理ダウンリンクチャネルにより積載される情報中の一部情報を、現サブフレームの第１スロットにおける、前記第３シンボル数に基づいて決定された開始シンボル位置ににおける先頭Ｂ個シンボルに重複マッピングし、前記Ｂ個シンボル数は、前記第３シンボル数と現サブフレームのＤＣＩ領域の実のシンボル数の差である。
【００２７】
実施の際、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレームグループ中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトし、
または、前記サブフレーム集合にマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始め、復調用のリファレンス信号に対応するリソース以外の全部のリソースにマッピングするステップは、
場合、前記サブフレーム集合中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレーム集合中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトする。
【００２８】
実施の際、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記方法は、
同一の前記サブフレームグループに属する前記ＭＢＳＦＮサブフレーム及び前記非ＭＢＳＦＮサブフレームに対し、同様な伝送方式で伝送し、前記伝送方式は、復調用のリファレンス信号、伝送ポート・ポート数及びプリエンコーディング方式のうちのいずれの１つまたはこれらの任意の組み合わせを含み、
または、前記サブフレーム集合にＭＢＳＦＮサブフレーム及び非ＭＢＳＦＮサブフレームが含まれば、前記方法は、
前記サブフレーム集合中の前記ＭＢＳＦＮサブフレーム及び前記非ＭＢＳＦＮサブフレームに対し、同様な伝送方式で伝送し、前記伝送方式は、復調用のリファレンス信号、伝送ポート・ポート数及びプリエンコーディング方式のうちのいずれの１つまたはこれらの任意の組み合わせを含む。
【００２９】
具体的に、同様な伝送方式で伝送することは、
前記サブフレーム集合または前記サブフレームグループ中の特定サブフレームに対応する伝送方式で伝送し、
または、
予め設定した伝送方式で伝送する。
【００３０】
具体的に、前記サブフレーム集合または前記サブフレームグループ中の特定サブフレームに対応する伝送方式で伝送することは、
前記サブフレーム集合、または、前記サブフレームグループ中の第１サブフレームに対応する伝送方式で伝送し、
または、
前記サブフレーム集合、または、前記サブフレームグループにおけるＭＢＳＦＮサブフレームに対応する伝送方式で伝送する。
【００３１】
実施の際、前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングすることは、
前記サブフレームグループ中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、前記サブフレーム集合に非ＭＢＳＦＮサブフレームのみが含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングすることは、
前記サブフレーム集合中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【００３２】
実施の際、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングすることは、
前記サブフレームグループ中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、前記サブフレーム集合にマルチメディア放送/マルチキャスト単一周波数ネットワークＭＢＳＦＮサブフレームのみが含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングすることは、
前記サブフレーム集合中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【００３３】
実施の際、前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合、
前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とする。
【００３４】
第２態様によれば、本発明はダウンリンクデータの重複伝送方法と提供し、前記方法は、
物理ダウンリンクチャネルの重複伝送のためのサブフレーム集合を決定するステップと、
決定されたサブフレーム集合内の各々サブフレームにおいて、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップと、
前記リソースのマッピング方式で前記物理ダウンリンクチャネルを受信するステップとを備える。
【００３５】
実施の際、前記特定の開始シンボル位置は上位層シグナリングにより予め設定するか、または、前記特定の開始シンボル位置は、ダウンリンク制御情報（ＤＣＩ）領域サイズにより得られたものである、前記ＤＣＩ領域サイズは、制御フォーマット指示子（ＣＦＩ）により得られたものである。
【００３６】
実施の際、前記サブフレーム集合は、複数のサブフレームグループを含み、前記サブフレームグループを単位として実行し、前記サブフレームグループは、マルチサブフレームチャネル推定に参与する一定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングすることを決定する場合、現サブフレームの第１スロットにおける特定の開始シンボル位置からマッピングし始めることは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングし、
または、前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、物理ダウンリンクチャネルをリソースにマッピングすることを決定する場合に、現サブフレームの第１スロットにおける特定の開始シンボル位置からマッピングし始めることは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングする。
【００３７】
具体的に、前記第３シンボル数を、前記第１シンボル数及び前記第２シンボル数のうちの最小値または最大値として決定する。
【００３８】
具体的に、前記物理ダウンリンクチャネルをリソースにマッピングすることを決定する場合、現サブフレームの第１スロットにおける、前記第３シンボル数に基づいて決定された開始シンボル位置からマッピングすることは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングすることを決定する場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングすることを決定する場合、現サブフレームの第１スロットにおける、前記第３シンボル数に基づいて決定された開始シンボル位置からマッピングし、かつ、前記物理ダウンリンクチャネルをリソースにマッピングする場合に、前記物理ダウンリンクチャネルにより積載される情報中の一部情報を、現サブフレームの第１スロットにおける、前記第３シンボル数に基づいて決定された開始シンボル位置からの先頭のＢ個シンボルに重複マッピングすることを決定し、前記Ｂ個シンボル数は、前記第３シンボル数と現サブフレームのＤＣＩ領域の実のシンボル数の差である。
【００３９】
実施の際、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングすることは、
前記サブフレームグループ中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレームグループ中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトし、
または、前記サブフレーム集合にマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングすることは、
前記サブフレーム集合中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレーム集合中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定する。
【００４０】
実施の際、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記方法は、
同一の前記サブフレームグループに属する前記ＭＢＳＦＮサブフレーム及び前記非ＭＢＳＦＮサブフレームにおいて、同様な伝送方式で受信し、前記伝送方式は、復調用のリファレンス信号、伝送ポート・ポート数及びプリエンコーディング方式のうちのいずれの１つまたはこれらの任意の組み合わせを含み、
または、前記サブフレーム集合にマルチメディア放送/マルチキャスト単一周波数ネットワークＭＢＳＦＮサブフレーム及び非ＭＢＳＦＮサブフレームが含まれば、前記方法は、
前記サブフレーム集合中の前記ＭＢＳＦＮサブフレーム及び前記非ＭＢＳＦＮサブフレームにおいて、同様な伝送方式で受信し、前記伝送方式は、復調用のリファレンス信号、伝送ポート・ポート数及びプリエンコーディング方式のうちのいずれの１つまたはこれらの任意の組み合わせを含む。
【００４１】
具体的に、同様な伝送方式で受信することは、
前記サブフレーム集合、または、前記サブフレームグループ中の特定サブフレームに対応する伝送方式で受信するか、
または、
予め設定した伝送方式で受信する。
【００４２】
具体的に、前記サブフレーム集合、または、前記サブフレームグループ中の特定サブフレームに対応する伝送方式で受信することは、
前記サブフレーム集合、または、前記サブフレームグループ中の第１サブフレームに対応する伝送方式で受信するか、
または、
前記サブフレーム集合、または、前記サブフレームグループにおけるＭＢＳＦＮサブフレームに対応する伝送方式で受信する。
【００４３】
実施の際、前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングすることは、
前記サブフレームグループ中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、前記サブフレーム集合に非マルチメディア放送/マルチキャスト単一周波数ネットワークＭＢＳＦＮサブフレームのみが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングすることは、
前記サブフレーム集合中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【００４４】
実施の際、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングすることは、
前記サブフレームグループ中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、前記サブフレーム集合にマルチメディア放送/マルチキャスト単一周波数ネットワークＭＢＳＦＮサブフレームのみが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングすることは、
前記サブフレーム集合中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【００４５】
実施の際、前記サブフレーム集合中の、チャネル状態情報リファレンス信号（ＣＳＩ−ＲＳ）リソースが設定されたサブフレームにおいて、
前記物理ダウンリンクチャネルをリソースにマッピングする場合に前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを決定する。
【００４６】
実施の際、前記リソースのマッピング方式で前記物理ダウンリンクチャネルを受信する場合、
前記物理ダウンリンクチャネルをリソースにマッピングする場合に放棄してマッピングしないか、または０とするか、または他の信号によりオーバーレイとされたリソース上の情報を、受信する際に０または特定値とする。
【００４７】
具体的に、前記サブフレーム集合中のマルチサブフレームチャネル推定に参与する一定数のサブフレームにより形成したサブフレームグループにおける各々サブフレームにおいて受信した情報を統合する場合、０または特定値とするリソース位置上の情報を統合しないことを決定し、
または、前記サブフレーム集合における各々サブフレームにおいて受信した情報を統合する場合、０または特定値とするリソース位置上の情報を統合しないことを決定する。
【００４８】
第３態様によれば、本発明は送信端装置を提供し、当該装置は、
物理ダウンリンクチャネルの重複伝送のためのサブフレーム集合を決定する決定モジュールと、
決定されたサブフレーム集合内の各々サブフレームにおいて、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするリソースマッピングモジュールと、
前記リソースのマッピング方式で前記物理ダウンリンクチャネルを送信する送信モジュールとを備える。
【００４９】
実施の際、前記特定の開始シンボル位置は上位層シグナリングにより予め設定するか、または、前記特定の開始シンボル位置は、ダウンリンク制御情報（ＤＣＩ）領域サイズにより得られたものである、前記ＤＣＩ領域サイズは、制御フォーマット指示子（ＣＦＩ）により得られたものである。
【００５０】
実施の際、前記リソースマッピングモジュールは、
前記サブフレーム集合が複数のサブフレームグループを含み、前記サブフレームグループを単位として実行し、前記サブフレームグループがマルチサブフレームチャネル推定に参与する所定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングし、
または、前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングする。
【００５１】
具体的に、前記リソースマッピングモジュールは、前記第３シンボル数を、前記第１シンボル数及び前記第２シンボル数のうちの最小値または最大値として決定する。
【００５２】
具体的に、前記リソースマッピングモジュールは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングする場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングする場合、現サブフレームの第１スロットにおける、前記第３シンボル数に基づいて決定された開始シンボル位置からマッピングし、前記物理ダウンリンクチャネルにより積載される情報中の一部情報を、現サブフレームの第１スロットにおける、前記第３シンボル数に基づいて決定された開始シンボル位置ににおける先頭Ｂ個シンボルに重複マッピングし、前記Ｂ個シンボル数は、前記第３シンボル数と現サブフレームのＤＣＩ領域の実のシンボル数の差である。
【００５３】
実施の際、前記リソースマッピングモジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記サブフレームグループ中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレームグループ中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトし、
または、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレーム集合中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトする。
【００５４】
実施の際、前記送信モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、同一の前記サブフレームグループに属する前記ＭＢＳＦＮサブフレーム及び前記非ＭＢＳＦＮサブフレームに対し、同様な伝送方式で伝送し、前記伝送方式は、復調用のリファレンス信号、伝送ポート・ポート数及びプリエンコーディング方式のうちのいずれの１つまたはこれらの任意の組み合わせを含み、
または、前記サブフレーム集合にＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームに対し、同様な伝送方式で伝送し、前記伝送方式は、復調用のリファレンス信号、伝送ポート・ポート数及びプリエンコーディング方式のうちのいずれの１つまたはこれらの任意の組み合わせを含む。
【００５５】
具体的に、前記送信モジュールは、
前記サブフレーム集合または前記サブフレームグループ中の特定サブフレームに対応する伝送方式で伝送し、
または、
予め設定した伝送方式で伝送する。
【００５６】
具体的に、前記送信モジュールは、
前記サブフレーム集合、または、前記サブフレームグループ中の第１サブフレームに対応する伝送方式で伝送し、
または、
前記サブフレーム集合、または、前記サブフレームグループにおけるＭＢＳＦＮサブフレームに対応する伝送方式で伝送する。
【００５７】
実施の際、前記リソースマッピングモジュールは、
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記サブフレームグループ中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、前記サブフレーム集合に非ＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【００５８】
実施の際、前記リソースマッピングモジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記サブフレームグループ中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、前記サブフレーム集合にマルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【００５９】
実施の際、前記リソースマッピングモジュールは、
前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合、前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とする。
【００６０】
第４態様によれば、本発明は受信端装置を提供し、前記装置は、
物理ダウンリンクチャネルの重複伝送のためのサブフレーム集合を決定する第１決定モジュールと、
決定されたサブフレーム集合内の各々サブフレームにおいて、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングする第２決定モジュールと、
前記リソースのマッピング方式で前記物理ダウンリンクチャネルを受信する受信モジュールとを備える。
【００６１】
実施の際、前記特定の開始シンボル位置は上位層シグナリングにより予め設定するか、または、前記特定の開始シンボル位置は、ダウンリンク制御情報（ＤＣＩ）領域サイズにより得られたものである、前記ＤＣＩ領域サイズは、制御フォーマット指示子（ＣＦＩ）により得られたものである。
【００６２】
実施の際、前記第２決定モジュールは、
前記サブフレーム集合が複数のサブフレームグループを含み、前記サブフレームグループを単位として実行し、前記サブフレームグループは、マルチサブフレームチャネル推定に参与する一定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングし、
または、前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングする。
【００６３】
具体的に、前記第２決定モジュールは、前記第３シンボル数を、前記第１シンボル数及び前記第２シンボル数のうちの最小値または最大値として決定する。
【００６４】
具体的に、前記第２決定モジュールは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングすることを決定する場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングすることを決定する場合、現サブフレームの第１スロットにおける、前記第３シンボル数に基づいて決定された開始シンボル位置からマッピングし、かつ、前記物理ダウンリンクチャネルをリソースにマッピングする場合に、前記物理ダウンリンクチャネルにより積載される情報中の一部情報を、現サブフレームの第１スロットにおける、前記第３シンボル数に基づいて決定された開始シンボル位置からの先頭のＢ個シンボルに重複マッピングすることを決定し、前記Ｂ個シンボル数は、前記第３シンボル数と現サブフレームのＤＣＩ領域の実のシンボル数の差である。
【００６５】
実施の際、前記第２決定モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記サブフレームグループ中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレームグループ中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定し、
または、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレーム集合中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定する。
【００６６】
実施の際、前記受信モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、同一の前記サブフレームグループに属する前記ＭＢＳＦＮサブフレーム及び前記非ＭＢＳＦＮサブフレームにおいて、同様な伝送方式で受信し、前記伝送方式は、復調用のリファレンス信号、伝送ポート・ポート数及びプリエンコーディング方式のうちのいずれの１つまたはこれらの任意の組み合わせを含み、
または、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームにおいて、同様な伝送方式で受信し、前記伝送方式は、復調用のリファレンス信号、伝送ポート・ポート数及びプリエンコーディング方式のうちのいずれの１つまたはこれらの任意の組み合わせを含む。
【００６７】
具体的に、前記受信モジュールは、
前記サブフレーム集合、または、前記サブフレームグループ中の特定サブフレームに対応する伝送方式で受信し、
または、
予め設定した伝送方式で受信する。
【００６８】
具体的に、前記受信モジュールは、
前記サブフレーム集合、または、前記サブフレームグループ中の第１サブフレームに対応する伝送方式で受信し、
または、
前記サブフレーム集合、または、前記サブフレームグループにおけるＭＢＳＦＮサブフレームに対応する伝送方式で受信する。
【００６９】
実施の際、前記第２決定モジュールは、
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記サブフレームグループ中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、前記サブフレーム集合に非マルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【００７０】
実施の際、前記第２決定モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記サブフレームグループ中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、前記サブフレーム集合にマルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【００７１】
実施の際、前記第２決定モジュールは、
前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合に前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを決定する。
【００７２】
実施の際、前記受信モジュールは、
前記リソースのマッピング方式で前記物理ダウンリンクチャネルを受信する場合、前記物理ダウンリンクチャネルをリソースにマッピングする場合に放棄してマッピングしないか、または０とするか、または他の信号によりオーバーレイとされたリソース上の情報を、受信する際に０または特定値とする。
【００７３】
具体的に、前記受信モジュールは、
前記サブフレーム集合中のマルチサブフレームチャネル推定に参与する一定数のサブフレームにより形成したサブフレームグループにおける各々サブフレームにおいて受信した情報を統合する場合、０または特定値とするリソース位置上の情報を統合しないことを決定し、
または、前記サブフレーム集合における各々サブフレームにおいて受信した情報を統合する場合、０または特定値とするリソース位置上の情報を統合しないことを決定する。
【発明の効果】
【００７４】
上述の技術案によれば、本発明に係る実施例において、ダウンリンクデータの重複伝送の場合、物理ダウンリンクチャネルの重複伝送のためのサブフレーム集合を決定し，前記サブフレーム集合中の各々サブフレームにおいて、物理チャネルに対してリソースをマッピングするとき、現サブフレームの第１スロットにおける特定の開始シンボル位置からマッピングし始め、復調用のリファレンス信号に対応するリソース以外の全部のリソースにマッピングし，前記リソースのマッピング方式で物理ダウンリンクチャネルを送信し、こうして、異なるサブフレームにおいて伝送データをリソースにマッピングする場合の利用可能のＲＥ数が同様であることを確保でき、データがマルチサブフレームにおいて重複伝送される場合、サブフレーム間の統合を行うことができる。
【図面の簡単な説明】
【００７５】
【図１】本発明に係る実施例における送信端がダウンリンクデータを重複伝送する方法のフローチャートである。
【図２】本発明に係る実施例における受信端がダウンリンクデータを重複伝送する方法のフローチャートである。
【図３】本発明に係る実施例においてＣＳＩ−ＲＳがない非ＭＢＳＦＮサブフレームにおけるＲＥ占有状況を示す図である。
【図４】本発明に係る実施例においてＣＳＩ−ＲＳがある非ＭＢＳＦＮサブフレームにおけるＲＥ占有状況を示す図である。
【図５】本発明に係る実施例においてＣＳＩ−ＲＳがないＭＢＳＦＮサブフレームにおけるＲＥ占有状況を示す図である。
【図６】本発明に係る実施例においてＣＳＩ−ＲＳがあるＭＢＳＦＮサブフレームにおけるＲＥ占有状況を示す図である。
【図７】本発明に係る実施例におけるＰＤＳＣＨリソースの割り当てを示す図である。
【図８】本発明に係る実施例においてＣＳＩ−ＲＳがない非ＭＢＳＦＮサブフレームにおけるデータＲＥ状況１を示す図である。
【図９】本発明に係る実施例においてＣＳＩ−ＲＳがないＭＢＳＦＮサブフレーム中のデータＲＥ状況１を示す図である。
【図１０】本発明に係る実施例においてＣＳＩ−ＲＳがない非ＭＢＳＦＮサブフレームにおけるデータＲＥ状況２を示す図である。
【図１１】本発明に係る実施例においてＣＳＩ−ＲＳがある非ＭＢＳＦＮサブフレームにおけるデータＲＥ状況１を示す図である。
【図１２】本発明に係る実施例においてＣＳＩ−ＲＳがあるＭＢＳＦＮサブフレームにおけるデータＲＥ状況１を示す図である。
【図１３】本発明に係る実施例においてＣＳＩ−ＲＳがあるＭＢＳＦＮサブフレームにおけるデータＲＥ状況２を示す図である。
【図１４】本発明に係る実施例においてＣＳＩ−ＲＳがある非ＭＢＳＦＮサブフレームにおけるデータＲＥ状況２を示す図である。
【図１５】本発明に係る実施例においてＣＳＩ−ＲＳがある非ＭＢＳＦＮサブフレームにおけるデータＲＥ状況３を示す図である。
【図１６】本発明に係る実施例における送信端装置の構造図である。
【図１７】本発明に係る実施例における他の送信端装置の構造図である。
【図１８】本発明に係る実施例における受信端装置の構造図である。
【図１９】本発明に係る実施例における他の受信端装置の構造図である。
【発明を実施するための形態】
【００７６】
以下に本発明に係る実施形態において図面を結合して本発明の実施形態における技術方案について詳細に、完全に説明するが、次に陳述する実施形態は単に本発明のいくつかの実施形態であり、その全てではない。本分野の一般の技術者にとって、創造性的労働をしなくても、これらの実施形態に基づいてその他の実施形態を容易に獲得することができ、全て本発明の保護範囲に属することは明白である。
【００７７】
本発明に係る実施例において、図１に示すように、送信端がダウンリンクデータを重複伝送する詳細な方法フローチャートは以下とおりである。
【００７８】
ステップ１０１：物理ダウンリンクチャネルの重複伝送のためのサブフレーム集合を決定する。
【００７９】
ステップ１０２：決定されたサブフレーム集合内の各々サブフレームにおいて、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングする。
【００８０】
具体的に、前記サブフレーム集合中の各々サブフレームにおいて、当該物理チャネルに積載された伝送ブロック（Ｔｒａｎｓｐｏｒｔ Ｂｌｏｃｋ，ＴＢ）ににおいてチャネルエンコーディング及びレートマッチングを行う場合、復調用のリファレンス信号及び制御領域に対応するリソースを留保し、即ち、上述の仮定したリソースのマッピング方式で前記サブフレーム中の、伝送前記物理ダウンリンクチャネルに伝送に用いられるリソースを決定し、決定されたリソース数及び変調方式に基づいて、物理ダウンリンクチャネルがエンコーディングされた後のビット数を取得し、前記物理ダウンリンクチャネルに積載された伝送ブロックにおいて、前記エンコーディングされた後のビット数に基づき、チャネルエンコーディング及びレートマッチングを行って、エンコーディングした後のビット前記物理ダウンリンクチャネルに積載された伝送ブロックにおいて、前記エンコーディングされた後シーケンスを変調する以外、他の対応の処理（例えば、スクランブリング、プリエンコーディングなど）も行う。取得した複数のシンボルを、前記リソースのマッピング方式で、前記サブフレーム中の対応のリソースにマッピングする。
【００８１】
本発明に係る実施例において、現サブフレームの第１スロット中の特定の開始シンボル位置からマッピングすることにより、物理ダウンリンクチャネルをリソースにマッピングする場合、復調用のリファレンス信号及び制御領域に対応するリソースのみを留保し、即ち、留保されたリソースは前記物理ダウンリンクチャネルのデータ伝送に用いられず、他のリソースは、前記物理ダウンリンクチャネルのデータ伝送に用いられると仮定する。
【００８２】
具体的に、特定の開始シンボル位置の決定方式は、以下の方式を含むが、これらに限られない。
【００８３】
方式１
前記特定の開始シンボル位置は上位層シグナリング予め設定される。
【００８４】
方式２
前記特定の開始シンボル位位置は、ダウンリンク制御情報（Ｄｏｗｎｌｉｎｋ Ｃｏｎｔｒｏｌ Ｉｎｆｏｒｍａｔｉｏｎ，ＤＣＩ）領域サイズにより得られたものであり、前記ＤＣＩ領域サイズは、制御フォーマット指示子（Ｃｏｎｔｒｏｌ Ｆｏｒｍａｔ Ｉｎｄｉｃａｔｉｏｎ，ＣＦＩ）により得られたものである。
【００８５】
本発明に係る実施例におけるＤＣＩ領域サイズは制御領域サイズである。ＭＢＳＦＮサブフレームにおいて、制御領域サイズは、非ＭＢＳＦＮ領域のサイズである。
【００８６】
特定の開始シンボル位置の決定方式１において、サブフレーム集合中のサブフレームがインターキャリアスケジューリング方式を採用したかどうかと関係ず、上位層シグナリングにより設定された開始シンボル位置において物理ダウンリンクチャネルをリソースにマッピングするとき、ＭＢＳＦＮサブフレーム及び非ＭＢＳＦＮサブフレームにおいて、前記上位層シグナリングにより設定された開始シンボル位置を利用する。好ましくは、サブフレーム集合中のマルチサブフレームチャネル推定に参与する一定数のサブフレームにより形成したサブフレームグループにＭＢＳＦＮサブフレーム及び非ＭＢＳＦＮサブフレームが含まれば、または、サブフレーム集合にＭＢＳＦＮサブフレーム及び非ＭＢＳＦＮサブフレームが含まれば、ネットワークにおいて、当該開始シンボル位置を設定する場合、ＭＢＳＦＮサブフレーム及び非ＭＢＳＦＮサブフレームの制御領域に関する要求を考慮して、一括的に設定する必要がある。例えば、ＭＢＳＦＮサブフレームの場合２個のシンボル制御領域サイズが必要とし、非ＭＢＳＦＮサブフレームの場合３個のシンボル制御領域サイズが必要とする。ＭＢＳＦＮサブフレーム及び非ＭＢＳＦＮサブフレーム制御領域最大値にする原則であれば、上位層シグナリングによりＵＥに、４番目のシンボルからデータ情報を伝送するように通知する。ＭＢＳＦＮサブフレーム及び非ＭＢＳＦＮサブフレーム制御領域最小値にする原則であれば、上位層シグナリングにより、ＵＥに、３番目のシンボルからデータ情報を伝送するように通知する必要である。
【００８７】
本発明に係る実施例において、現サブフレームの第１スロットにおける特定の開始シンボル位置からマッピングし始め、復調用のリファレンス信号に対応するリソース以外の全部のリソースにマッピングし、即ち、復調用のリファレンス信号及び制御領域に対応するリソースのみを留保し、留保されたリソースは前記物理ダウンリンクチャネルのデータ伝送に用いられず、他のリソースは、前記物理ダウンリンクチャネルのデータ伝送に用いられると仮定する。場合によって以下のような異なる実施方式を含むが、これらに限られない。
【００８８】
第１実施方式：
＜実行方式ａ＞
サブフレーム集合を複数のサブフレームグループに分割し、サブフレームグループを単位として実行し、即ち、前記サブフレーム集合中のマルチサブフレームチャネル推定に参与する一定数のサブフレームにより形成したサブフレームグループにＭＢＳＦＮサブフレーム及び非ＭＢＳＦＮサブフレームが含まれる場合、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングする。
【００８９】
＜実行方式ｂ＞
前記サブフレーム集合を直ちに実行対象とする。即ち、前記サブフレーム集合にＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングする。
【００９０】
具体的に、第１実施方式における＜実行方式ａ＞及び＜実行方式ｂ＞において、第１シンボル数は、システムにより設定したＭＢＳＦＮサブフレームの制御領域シンボル数（即ち非ＭＢＳＦＮ領域サイズ）であり、第２シンボル数は、システムにより設定した非ＭＢＳＦＮサブフレームの制御領域シンボル数であり、第３シンボル数は、前記第１シンボル数及び前記第２シンボル数のうちの最小値または最大値である。
【００９１】
実施の際、前記第３シンボル数が前記第１シンボル数及び前記第２シンボル数のうちの最小値であれば、現サブフレームの制御領域の実のシンボル数が第３シンボル数より大きい場合に物理ダウンリンクチャネルをリソースにマッピングするとき、制御領域におけるＡ個シンボルのＲＥ位置に対応するデータ情報をパンクし（ｐｕｎｃｔｕｒｉｎｇ）、即ち、前記物理ダウンリンクチャネルに積載されたＴＢにおいてチャネルエンコーディング及びレートマッチングを行う場合、第３シンボル数に対応する制御領域サイズによりデータへの利用可能のＲＥ数を決定して、レートマッチングのターゲットビット値を算出すると仮定する。即ち、異なるサブフレームの実の制御領域サイズが同一ではないようにするが、統一制御領域サイズにより利用可能のＲＥ数を算出することにより、同様なレートマッチングのターゲットビット値を得る。しかし、実際の物理ダウンリンクチャネルをリソースにマッピングするとき野場合、実の制御領域のシンボル数が第３シンボル数より大きいシンボルのサブフレームに対し、レートマッチング後のデータが第３シンボル数に対応する制御領域サイズで物理ダウンリンクチャネルをリソースにマッピングするときを行うと仮定する場合、実のデータ情報は、制御領域中のＡ個シンボルにマッピングされる。当該Ａ個シンボルにはＤＣＩ伝送が存在し、ＤＣＩへの影響を避けるため、当該Ａ個シンボル上のデータをパンクする必要があり、具体的には、ＤＣＩ領域の実のシンボル数が前記第３シンボル数より大きいサブフレームにおいて、前記物理ダウンリンクチャネルをリソースにマッピングする場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトする。というのは、当該Ａ個シンボルは、もともとＤＣＩを伝送するリソース位置であり、もとのＤＣＩ伝送へ影響を与えないため、当該Ａ個シンボルにて伝送するＤＣＩ情報は、当該Ａ個シンボルにマッピングしたデータ情報をオーバーレイとする。即ち、前記Ａ個シンボル上のデータ情報へのパンク（ｐｕｎｃｔｕｒｉｎｇ）を実現する。前記Ａ個シンボル数は、現サブフレームのＤＣＩ領域の実のシンボル数と前記第３シンボル数の差である。
【００９２】
実施の際、前記第３シンボル数が前記第１シンボル数及び前記第２シンボル数のうちの最大値であれば、現サブフレームの制御領域の実のシンボル数が第３シンボル数より小さい場合に物理ダウンリンクチャネルをリソースにマッピングするとき、前記現サブフレームの番号が♯Ｐであるシンボルからリソースのマッピングをし始める。さらに、レートマッチング結果のうちの一部の結果を、前記サブフレーム中の番号が♯Ｐ-１であるシンボルに重複マッピングする。ここで、１つのサブフレーム中のシンボル番号が０からはじめるとすれば、P=第３シンボル数である。即ち、前記物理ダウンリンクチャネルに積載されたＴＢにおいてチャネルエンコーディング及びレートマッチングを行う場合、第３シンボル数に対応する制御領域サイズによりデータに利用可能のＲＥ数を決定して、レートマッチングのターゲットビット値を得ると仮定する。即ち、異なるサブフレームの実の制御領域サイズをそれぞれにするが、統一制御領域サイズで利用可能のＲＥ数を算出することによりレートマッチングされた後に同様なターゲットビット値を取得する。実際の物理ダウンリンクチャネルをリソースにマッピングする場合、制御領域の実のシンボル数が第３シンボル数より小さいシンボルのサブフレームに対し、第３シンボル数に対応する位置からマッピングし始め、これは、Ｂ個シンボルがデータ伝送に用いられていないこととなり、また、当該Ｂ個シンボルは前記サブフレームの実の制御領域に属しない。リソースの利用率を向上するため、レートマッチング後のデータ中の一部のデータを、当該Ｂ個シンボルに重複マッピングすることができるようにし、こうしてダイバーシティゲインを取得する。具体的には、ＤＣＩ領域の実のシンボル数が前記第３シンボル数より小さいサブフレームにおいて、前記物理ダウンリンクチャネルをリソースにマッピングする場合、現サブフレームの第１スロットにおける、前記第３シンボル数に基づいて決定された開始シンボル位置からマッピングし、前記物理ダウンリンクチャネルにより積載される情報中の一部情報を、現サブフレームの第１スロットにおける、前記第３シンボル数に基づいて決定された開始シンボル位置ににおける先頭Ｂ個シンボルに重複マッピングし、前記Ｂ個シンボル数は、前記第３シンボル数と現サブフレームのＤＣＩ領域の実のシンボル数の差である。
【００９３】
＜第２実施方式＞
サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、または、サブフレーム集合にマルチメディア放送/マルチキャスト単一周波数ネットワークＭＢＳＦＮサブフレーム及び非ＭＢＳＦＮサブフレームが含まれば、復調用のリファレンス信号は特定復調リファレンス信号（ＤＭＲＳ）であり、即ち、制御領域及びＤＭＲＳにおいて伝送を行う各々アンテナポートに対応するＲＥリソースのみを留保し、他のリソースが物理ダウンリンクチャネルにおけるデータ伝送に用いられると仮定してもよい。即ち、前記物理ダウンリンクチャネルをリソースにマッピングする場合、現サブフレームの第１スロットにおける特定の開始シンボル位置からマッピングし始め、ＤＭＲＳに対応するリソース以外の全部のリソースにマッピングする。サブフレーム集合中のマルチサブフレームチャネル推定に参与する一定数のサブフレームにより形成したサブフレームグループ中の非ＭＢＳＦＮサブフレームにおいて、または、サブフレーム集合中の非ＭＢＳＦＮサブフレームにおいて、物理ダウンリンクチャネルに積載された伝送ブロック上でチャネルエンコーディング及びレートマッチングを行う場合に、ＣＲＳ ＲＥがない、かつ、前記サブフレームにおいて前記物理ダウンリンクチャネルをリソースにマッピングするとき、ＣＲＳ ＲＥにマッピングされたデータ情報をパンクすると仮定する。即ち、物理ダウンリンクチャネルに積載されたＴＢにおいて、チャネルエンコーディング及びレートマッチングを行う場合、制御領域及びＤＭＲＳに対応するリソースのみを留保して、データに利用可能のＲＥ数を決定すると仮定する。即ち、制御領域及びＤＭＲＳリソース以外の全部のリソースは前記物理ダウンリンクチャネル伝送に用いられると仮定し、前記物理ダウンリンクチャネル伝送に利用可能のＲＥ数を得る。こうして、レートマッチングした後のターゲットビット値を算出する。ＭＢＳＦＮサブフレーム中の制御領域の以外にＣＲＳがない、非ＭＢＳＦＮサブフレーム中の制御領域の以外にＣＲＳがあるとしても、非ＭＢＳＦＮサブフレームにＣＲＳがないと仮定すれば、即ち、非ＭＢＳＦＮサブフレーム中のＣＲＳリソースも前記物理ダウンリンクチャネル伝送に利用可能のＲＥ数として数えられ、こうして、ＭＢＳＦＮサブフレーム及び非ＭＢＳＦＮサブフレームにおいて、同様な、レートマッチングした後のターゲットビット値を得ることができる。実際の物理ダウンリンクチャネルをリソースにマッピングする場合、非ＭＢＳＦＮサブフレーム中のデータを伝送する一部のリソースにＣＲＳ伝送が存在し、ＣＲＳへの影響を避けるため、ＣＲＳに対応するＲＥにマッピングされたデータをパンクする必要がある。具体的には以下のような２種の実行方式がある。
【００９４】
＜実行方式ａ＞
サブフレーム集合を複数のサブフレームグループに分割し、サブフレームグループを単位として実行する。即ち、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記サブフレームグループ中の各々サブフレームにおいて、前記物理ダウンリンクチャネルをリソースにマッピングする場合、現サブフレームの第１スロットにおける特定の開始シンボル位置からマッピングし始め、ＤＭＲＳに対応するリソース以外の全部のリソースにマッピングする。現サブフレームは、ＭＢＳＦＮサブフレームであってもよく、または、非ＭＢＳＦＮサブフレームであってもよい。また、前記サブフレームグループ中の非ＭＢＳＦＮサブフレームにおいて、前記物理ダウンリンクチャネルをリソースにマッピングする場合、ＣＲＳリソースがないと仮定し、現サブフレームの第１スロットにおける特定の開始シンボル位置からマッピングし始め、ＤＭＲＳに対応するリソース以外の全部のリソースにマッピングする。また、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトする。これは、当該リソースがもともとＣＲＳを伝送するためのリソースであり、もとのＣＲＳの伝送に影響を与えないため、当該リソースにおいて伝送するＣＲＳでリソースにマッピングしたデータ情報をオーバーライトし、即ち当該リソース位置上のデータ情報をパンクすることを実施する。
【００９５】
＜実行方式ｂ＞
前記サブフレーム集合を直ちに実行対象とする。即ち、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、また、前記サブフレーム集合中の非ＭＢＳＦＮサブフレームにおいて、前記物理ダウンリンクチャネルをリソースにマッピングする場合、ＣＲＳリソースがないと仮定し、現サブフレームの第１スロットにおける特定の開始シンボル位置からマッピングし始め、ＤＭＲＳに対応するリソース以外の全部のリソースにマッピングする。また、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトする。これは、当該リソースがもともとＣＲＳを伝送するリソースであり、もとのＣＲＳの伝送に影響を与えないため、当該リソースにおいて伝送するＣＲＳでリソースにマッピングしたデータ情報をオーバーライトする。即ち、当該リソース位置上のデータ情報をパンクすることを実施する。
【００９６】
＜第３実施方式＞
前記サブフレーム集合中のマルチサブフレームチャネル推定に参与する一定数のサブフレームにより形成したサブフレームグループまたはサブフレーム集合に非ＭＢＳＦＮサブフレームのみが含まれる場合、サブフレームグループまたはサブフレーム集合における各々サブフレーム中の制御領域のシンボル数は、非ＭＢＳＦＮサブフレームにおいて設定した制御領域シンボル数である。即ち、物理ダウンリンクチャネルに積載された伝送ブロックにおいてチャネルエンコーディング及びレートマッチングを行う場合、非ＭＢＳＦＮサブフレームにおいて設定された制御領域に対応するＲＥを留保する必要がある。また、各々サブフレーム中の復調用のリファレンス信号がＣＲＳである。または、物理ダウンリンクチャネルにおいてＤＭＲＳに基づく伝送案が採用されれば、各々サブフレーム中の復調用のリファレンス信号にＣＲＳ及びＤＭＲＳがともに含まれる。即ち、物理ダウンリンクチャネルに積載された伝送ブロックにおいてチャネルエンコーディング及びレートマッチングを行う場合、ＣＲＳの伝送が行われる各々アンテナポートに対応するＲＥを留保する必要がある。ＤＭＲＳ（例えば、伝送モード９及び伝送モード１０を採用する）があれば、前記物理ダウンリンクチャネルに積載された伝送ブロックにおいてチャネルエンコーディング及びレートマッチングを行う場合、ＤＭＲＳの伝送が行われる各々アンテナポートに対応するＲＥも留保する必要がある。この際、ともに非ＭＢＳＦＮサブフレームであり、各々サブフレームにＣＲＳ伝送があり、かつ、制御領域サイズがともに非ＭＢＳＦＮサブフレームにおいて設定された制御領域サイズであるため、上述の仮定したリソースのマッピング方式で得られた前記物理ダウンリンクチャネルの伝送に利用可能のＲＥ数は、各々サブフレームにおいて同様であり、物理ダウンリンクチャネルをリソースにマッピングするとき、自身にＣＲＳリソースを留保し、かつ、留保した制御領域サイズが前記サブフレームの実の制御領域サイズであるため、物理ダウンリンクチャネルに積載されたデータをパンクする必要がない。
【００９７】
具体的には以下のような２種の実行方式がある。
【００９８】
＜実行方式ａ＞
サブフレーム集合を複数のサブフレームグループに分割し、サブフレームグループを単位として実行する。即ち、前記サブフレーム集合中のマルチサブフレームチャネル推定に参与する一定数のサブフレームにより形成したサブフレームグループに非ＭＢＳＦＮサブフレームのみが含まれば、前記サブフレームグループ中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【００９９】
＜実行方式ｂ＞
前記サブフレーム集合を直ちに実行対象とする。即ち、前記サブフレーム集合に非ＭＢＳＦＮサブフレームのみが含まれば、前記物理ダウンリンクチャネルをリソースにマッピングする場合、前記サブフレーム集合中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０１００】
＜第４実施方式＞
前記サブフレーム集合中のマルチサブフレームチャネル推定に参与する一定数のサブフレームにより形成したサブフレームグループまたはサブフレーム集合にＭＢＳＦＮサブフレームのみが含まれる場合、サブフレーム集合またはサブフレームグループにおける各々サブフレームにおいて、制御領域のシンボル数は、ＭＢＳＦＮサブフレームにおいて設定された制御領域シンボル数である。即ち、前記物理ダウンリンクチャネルに積載された伝送ブロックにおいてチャネルエンコーディング及びレートマッチングを行う場合、ＭＢＳＦＮサブフレームにおいて設定された制御領域に対応するＲＥを留保する必要がある。また、各々サブフレーム中の復調用のリファレンス信号はＤＭＲＳである。即ち、前記物理ダウンリンクチャネルに積載された伝送ブロックにおいてチャネルエンコーディング及びレートマッチングを行う場合、ＤＭＲＳの伝送が行われる各々アンテナポートに対応するＲＥを留保する。この際、ともにＭＢＳＦＮサブフレームであるため、各々サブフレームにおいてＣＲＳ伝送がない、かつ、制御領域サイズ全部がＭＢＳＦＮサブフレームにおいて設定された制御領域サイズであり、ＤＭＲＳにより復調され、よって、上述の仮定したリソースのマッピング方式で得られた前記物理ダウンリンクチャネルの伝送に利用可能のＲＥ数は、各々サブフレームにおいて同様である。物理ダウンリンクチャネルをリソースにマッピングするとき、自身にＤＭＲＳリソースを留保し、留保した制御領域サイズが前記サブフレームの実の制御領域サイズであるため、物理ダウンリンクチャネルに積載されたデータをパンクする必要がない。
【０１０１】
具体的には以下のような２種の実行方式がある。
【０１０２】
＜実行方式ａ＞
サブフレーム集合を複数のサブフレームグループに分割し、サブフレームグループを単位として実行する。即ち、前記サブフレーム集合中のマルチサブフレームチャネル推定に参与する一定数のサブフレームにより形成したサブフレームグループにＭＢＳＦＮサブフレームのみが含まれば、前記サブフレームグループ中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０１０３】
＜実行方式ｂ＞
前記サブフレーム集合を直ちに実行対象とする。即ち、前記サブフレーム集合にマルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０１０４】
上述の第１~第４実施方式を組み合わせて利用することもでき、例えば、第１及び第２実施方式をともに利用する。
【０１０５】
第１~第４実施方式のうちのいずれの実施方式、または、上述の第１~第４実施方式の組み合わせ実施方式において、ＣＳＩ−ＲＳ リソースが設定されたサブフレームの場合、前記物理チャネルに積載された伝送ブロックにおいてチャネルエンコーディング及びレートマッチングを行う場合、ＣＳＩ−ＲＳ リソースエレメントＲＥがない、かつ、前記サブフレームにおいて、前記物理チャネルをリソースにマッピングするとき、ＣＳＩ−ＲＳ ＲＥ位置と対応するデータ情報をパンクする。即ち、物理ダウンリンクチャネルに積載されたＴＢにおいてチャネルエンコーディング及びレートマッチングを行う場合、物理ダウンリンクチャネルをリソースにマッピングするとき、制御領域及び復調用のリファレンス信号（ＣＲＳ、ＤＭＲＳのうちの１種または多種である）に対応するリソースのみを留保して、データに利用可能のＲＥ数を決定すると仮定する。即ち、制御領域及び復調用のリファレンス信号のリソース以外の全部のリソースは前記物理ダウンリンクチャネル伝送に用いられる。即ち、ＣＳＩ−ＲＳのリソースも前記物理ダウンリンクチャネル伝送に利用可能のＲＥ数として数えされ、前記物理ダウンリンクチャネル伝送に利用可能のＲＥ数を得る。こうして、レートマッチングした後のターゲットビット値を取得し、ＣＳＩ−ＲＳが含まれるサブフレーム、及びＣＳＩ−ＲＳが含まれないサブフレームにおいて、同様なレートマッチングした後のターゲットビット値を得、実際の物理ダウンリンクチャネルをリソースにマッピングする場合、ＣＳＩ−ＲＳが含まれるサブフレーム中のデータを伝送する一部のリソースにおいてＣＳＩ−ＲＳ伝送が存在せず、ＣＳＩ−ＲＳへの影響を避けるため、ＣＳＩ−ＲＳに対応するＲＥにマッピングしたデータをパンクする必要がある。具体的には、ＣＳＩ−ＲＳリソースが設定されたサブフレームにおいて、前記ＣＳＩ−ＲＳリソースは、ＺＰ ＣＳＩ−ＲＳリソース及びＮＺＰ ＣＳＩ−ＲＳリソースのうちの少なくとも１つを含み、前記物理ダウンリンクチャネルをリソースにマッピングする場合、ＣＳＩ−ＲＳリソースがないとかっていする。現サブフレームの第１スロットにおける特定の開始シンボル位置からマッピングし始め、復調用のリファレンス信号に対応するリソース以外の全部のリソースにマッピングしかつ、前記物理ダウンリンクチャネルに積載された、ＮＺＰ ＣＳＩ−ＲＳリソース上にマッピングした情報を放棄してマッピングしないか、または、０とするか、または、前記リソース上で伝送するＣＳＩ−ＲＳによりオーバーライトする。即ち、当該リソースは、もともとＳＩ−ＲＳを伝送するためのリソースであり、もとのＣＳＩ−ＲＳ伝送へ影響をあたえないため、当該リソースにて伝送するＣＳＩ−ＲＳ情報で当該リソースにマッピングしたデータ情報をオーバーレイとする。即ち、当該物理ダウンリンクチャネルをリソースにマッピングするときの位置上のデータ情報をパンクし、および、前記物理ダウンリンクチャネルに積載された、ＺＰ ＣＳＩ−ＲＳリソースにマッピングした情報を放棄してマッピングしないか、または０とする。即ち、当該リソースは、もともと現ＵＥによりいずれの情報も伝送しないアイドルリソースであり、他のＵＥが当該リソースにてＣＳＩ−ＲＳを送信するために留保したものであり、こうして、ＵＥ間の相互干渉を避けることができる。他のＵＥの ＣＳＩ−ＲＳへの干渉を避けるため、当該位置上の情報を放棄してマッピングしないか、または、０にする。即ち、当該物理ダウンリンクチャネルをリソースにマッピングする位置上のデータ情報をパンクすることを実現する。
【０１０６】
ステップ１０３：前記リソースのマッピング方式で前記物理ダウンリンクチャネルを送信する。
【０１０７】
実施の際、ＭＢＳＦＮサブフレーム及び非ＭＢＳＦＮサブフレームにおいて同様な伝送により伝送する。例えば、同様なリファレンス信号により復調し（例えば、ＤＭＲＳにより復調）、伝送ポート及びポート数は同様であり、同様なプリエンコーディング方式を採用する。具体的に、同一アンテナポート上のシングルポートで伝送するが、または、同様なＣ個アンテナポートにより、ダイバーシティ伝送を行うか、または、同様なＣ個アンテナポートにより、ＲＢＦ（Ｒａｎｄｏｍ Ｂｅａｍ Ｆｏｒｍｉｎｇ）伝送を行うか、または、同様なポート及びポート数（層数）の空間多重伝送を行う。
【０１０８】
＜実施方式１＞
サブフレーム集合を複数のサブフレームグループに分割し、サブフレームグループを単位として実行する。即ち、前記サブフレーム集合中のマルチサブフレームチャネル推定に参与する一定数のサブフレームにより形成したサブフレームグループにＭＢＳＦＮサブフレーム及び非ＭＢＳＦＮサブフレームが含まれる場合、同一の前記サブフレームグループに属する前記ＭＢＳＦＮサブフレーム及び前記非ＭＢＳＦＮサブフレームに対し、同様な伝送方式で伝送する。ここで、前記伝送方式は、復調用のリファレンス信号、伝送ポート・ポート数及びプリエンコーディング方式のうちのいずれの１つまたはこれらの任意の組み合わせを含む。
【０１０９】
＜実施方式２＞
前記サブフレーム集合を直ちに実行対象とする。即ち、前記サブフレーム集合にＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームに対し、同様な伝送方式で伝送する。ここで、前記伝送方式は、復調用のリファレンス信号、伝送ポート・ポート数及びプリエンコーディング方式のうちのいずれの１つまたはこれらの任意の組み合わせを含む。
【０１１０】
実施方式１及び方式２において、ＭＢＳＦＮサブフレーム及び前記非ＭＢＳＦＮサブフレームにおいて採用する伝送方式の決定方式は以下の２種を含むが、これらに限定しない。
【０１１１】
＜方式１＞
前記サブフレーム集合または前記サブフレームグループ中の特定サブフレームに対応する伝送方式で伝送する。
【０１１２】
具体的に、前記サブフレーム集合、または、前記サブフレームグループ中の第１サブフレームに対応する伝送方式で伝送する。
【０１１３】
例えば、サブフレーム集合中の第１サブフレームによいて、伝送モード９を採用するようにスケジューリングし、ＤＣフォーマット １Ａを採用するようにシグナリングによりスケジューリングし、前記サブフレームが非ＭＢＳＦＮサブフレームの場合、前記サブフレーム集合中の全部のサブフレームにおいて、伝送モード９、ＤＣＩフォーマット １Ａを採用して、非ＭＢＳＦＮサブフレーム中の伝送方式をスケジューリングして伝送する。即ち、ＣＲＳにより、ＰＢＣＨのアンテナポート数が１であれば、単一アンテナポートで伝送し、さもなければ、送信ダイバーシティを利用して伝送する。
【０１１４】
また、例えば、サブフレーム集合中の第１サブフレームによいて、伝送モード９を採用するようにスケジューリングし、ＤＣＩフォーマット １Ａを採用するようにシグナリングによりスケジューリングし、前記サブフレームがＭＢＳＦＮサブフレームであれば、前記サブフレーム集合中の全部のサブフレームにおいて、伝送モード９、ＤＣＩフォーマット１Ａを採用し、ＭＢＳＦＮサブフレーム中の伝送方式をスケジューリングして伝送する。即ち、ＤＭＲＳにより、アンテナポート７で単一アンテナポートにより伝送する。
【０１１５】
また、例えば、サブフレーム集合中の第１サブフレームによいて、伝送モード９を採用するようにスケジューリングし、ＤＣＩフォーマット ２Ｃをシグナリングによりスケジューリングすれば、前記サブフレーム集合中の全部のサブフレームにおいて、伝送モード９、ＤＣＩ フォーマット ２Ｃ、スケジューリングシグナリングにより通知されたアンテナポート数で伝送する。即ち、ＤＭＲＳにより、アンテナポート７~１４のうちの一部または全部のポートで、最大８層の空間多重伝送を行う。
【０１１６】
具体的に、前記サブフレーム集合、または、前記サブフレームグループにおけるＭＢＳＦＮサブフレームに対応する伝送方式で伝送する。
【０１１７】
例えば、ＤＭＲＳに基づく単一アンテナポート７または８で伝送する。または、ＤＭＲＳにより、アンテナポート７~１４のうちの一部または全部のポートを利用して、最大８層の空間多重伝送を行う。
【０１１８】
＜方式２＞
予め設定した伝送方式で伝送する。
【０１１９】
例えば、予め設定した伝送方式として、ＤＭＲＳに基づく単一アンテナポート７または８を利用して伝送する。好ましくは、ＤＣＩ フォーマット １Ａを採用して１個の伝送ブロックをスケジューリングして伝送する。または、ＤＭＲＳに基づくＤ個のアンテナポートののＲＢＦ方式で伝送する。好ましくは、ＤＣＩ フォーマット １Ａで１個の伝送ブロックをスケジューリングして伝送する。または、スケジューリングシグナリングにより指示したＤＭＲＳアンテナポート数を採用して、アンテナポート７~１４のうちの一部または全部のポートで最大８層の空間多重伝送を行う。好ましくは、ＤＣＩ フォーマット２Ｃ/２Ｄで１または２個の伝送ブロックをスケジューリングして伝送する。
【０１２０】
同様な発明思想に従い、本発明に係る実施例において、図２に示すように、受信端によりダウンリンクデータを重複伝送する詳細な方法流れは以下で説明する。
【０１２１】
ステップ２０１：物理ダウンリンクチャネルの重複伝送のためのサブフレーム集合を決定する。
【０１２２】
ステップ２０２：決定されたサブフレーム集合内の各々サブフレームにおいて、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングする。
【０１２３】
具体的に、前記サブフレーム集合中の各々サブフレームにおいて、送信端が前記物理チャネルに積載された伝送ブロック（Ｔｒａｎｓｐｏｒｔ Ｂｌｏｃｋ，ＴＢ）においてチャネルエンコーディング及びレートマッチング行う場合、復調用のリファレンス信号及び制御領域に対応するリソースを留保することを決定する。即ち、上述の仮定したリソースのマッピング方式で前記サブフレームにおける前記物理ダウンリンクチャネルの伝送に利用可能なリソースを決定し、これらのリソース位置においてデータ情報を取得し、復調及び対応の処理（例えば、デスクランブル、デプリエンコーディング等）を行う。また、決定されたリソース数及び変調方式に基づいて、物理ダウンリンクチャネルがエンコーディングされた後のビット数を取得し、前記物理ダウンリンクチャネルに積載された伝送ブロックにおいて、前記エンコーディングした後のビット数によりデレートマッチング（ｄｅ−ｒａｔｅ−ｍａｔｃｈｉｎｇ）及びチャネルデコーディングを行い、オリジナル伝送ブロックを取得する。
【０１２４】
具体的に、前記特定の開始シンボル位置は上位層シグナリングにより予め設定するか、または、前記特定の開始シンボル位置はＤＣＩ領域サイズにより得られ、前記ＤＣＩ領域サイズは、ＣＦＩにより得られる。詳しくは、送信端に関する説明を参照されたく、ここで繰り返して説明しない。
【０１２５】
本発明に係る実施例において、前記物理ダウンリンクチャネルをリソースにマッピングすることを決定する場合、現サブフレームの第１スロットにおける特定の開始シンボル位置からマッピングし始め、即ち復調用のリファレンス信号及び制御領域に対応するリソースのみを留保し、留保されたリソースは前記物理ダウンリンクチャネルのデータ伝送に用いられず、他のリソースは、前記物理ダウンリンクチャネルのデータ伝送に用いられると仮定する。具体的な状況に応じて、以下のいくつかの異なる実施方式があるが、これらに限定していない。
【０１２６】
＜第１実施方式＞
＜実行方式ａ＞
サブフレーム集合を複数のサブフレームグループに分割し、サブフレームグループを単位として実行する。即ち、前記サブフレーム集合中のマルチサブフレームチャネル推定に参与する一定数のサブフレームにより形成したサブフレームグループにＭＢＳＦＮサブフレーム及び非ＭＢＳＦＮサブフレームが含まれる場合、前記物理ダウンリンクチャネルをリソースにマッピングすることを決定する場合、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定する。前記物理ダウンリンクチャネルをリソースにマッピングすることを決定する場合、現サブフレームの第１スロットにおける、前記第３シンボル数に基づいて決定された開始シンボル位置からマッピングする。
【０１２７】
＜実行方式ｂ＞
前記サブフレーム集合を直ちに実行対象とする。即ち、前記サブフレーム集合にマルチメディア放送/マルチキャスト単一周波数ネットワークＭＢＳＦＮサブフレーム及び非ＭＢＳＦＮサブフレームが含まれば、物理ダウンリンクチャネルをリソースにマッピングすることを決定する場合に、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングする。
【０１２８】
第１実施方式中の＜実行方式ａ＞及び＜実行方式ｂ＞において、第１シンボル数は、システムにより設定したＭＢＳＦＮサブフレームの制御領域シンボル数（即ち、非ＭＢＳＦＮ領域サイズ）であり、第２シンボル数は、システムにより設定した非ＭＢＳＦＮサブフレームの制御領域シンボル数である。前記第３シンボル数を、前記第１シンボル数及び前記第２シンボル数のうちの最小値または最大値として決定する。
【０１２９】
実施の際、前記第３シンボル数が前記第１シンボル数及び前記第２シンボル数のうちの最小値であれば、制御領域の実のシンボル数が第３シンボル数より大きいサブフレームにおいて、物理ダウンリンクチャネルをリソースにマッピングする場合、制御領域におけるＡ個シンボルのＲＥ位置に対応するデータ情報をパンクすることを決定する。即ち、前記物理ダウンリンクチャネルに積載されたＴＢにおいてチャネルエンコーディング及びレートマッチングを行うと決定する場合、第３シンボル数に対応する制御領域サイズによりデータに利用可能のＲＥ数を決定すると仮定し、これらの利用可能のＲＥにおいてデータを受信し、レートマッチングした後のターゲットビット値を算出する。即ち、異なるサブフレームの実の制御領域サイズをそれぞれにするが、同一の制御領域サイズで利用可能のＲＥ数を算出することによりレートマッチングされた後に同様なターゲットビット値を取得する。実際の物理ダウンリンクチャネルをリソースにマッピングする場合、実の制御領域のシンボル数が第３シンボル数より大きいサブフレームにおいて、レートマッチング後のデータを第３シンボル数に対応する制御領域サイズに基づいてリソースにマッピングするとき、実のデータ情報は、制御領域中のＡ個シンボルにマッピングされる。しかし、当該Ａ個シンボルにＤＣＩ伝送があり、ＤＣＩへの影響を避けるため、当該Ａ個シンボル上のデータをパンクする必要がある。具体的に、ＤＣＩ領域の実のシンボル数が前記第３シンボル数より大きいサブフレームにおいて、前記物理ダウンリンクチャネルをリソースにマッピングすることを決定する場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトする。即ち、前記Ａ個シンボルは、もともとＤＣＩを伝送するリソース位置であり、もとのＤＣＩ伝送へ影響を与えないため、前記Ａ個シンボルにて伝送するＤＣＩ情報で前記Ａ個シンボルにマッピングしたデータ情報をオーバーライトする。即ち、前記Ａ個シンボル上のデータ情報をパンクする。前記Ａ個シンボル数は、現サブフレームのＤＣＩ領域の実のシンボル数と前記第３シンボル数の差である。
【０１３０】
実施の際、前記第３シンボル数が前記第１シンボル数及び前記第２シンボル数のうちの最大値であれば、制御領域の実のシンボル数が第３シンボル数より小さいサブフレームにおいて、物理ダウンリンクチャネルをリソースにマッピングすると決定する場合、前記現サブフレームの番号が♯Ｐであるシンボルからリソースへのマッピングをし始め、さらに、レートマッチング結果のうちの一部の結果を前記サブフレーム中の番号が♯Ｐ-１であるシンボルに重複マッピングすることを決定する。ここで、1個のサブフレーム中のシンボル番号が０から始まると仮定すれば、P=第３シンボル数である。即ち、前記物理ダウンリンクチャネルに積載されたＴＢにおいて、チャネルエンコーディング及びレートマッチングを行うと決定する場合、第３シンボル数に対応する制御領域サイズに基づいてデータに利用可能のＲＥ数を決定すると仮定すれば、これらの利用可能のＲＥにおいてデータを受信し、レートマッチングした後のターゲットビット値を算出する。即ち、異なるサブフレームの実の制御領域サイズをそれぞれにするが、同一の制御領域サイズで利用可能のＲＥ数を算出することによりレートマッチングされた後に同様なターゲットビット値を取得する。実際の物理ダウンリンクチャネルをリソースにマッピングする場合、制御領域の実のシンボル数が第３シンボル数より小さいシンボルのサブフレームにおいて、第３シンボル数に対応する位置からマッピングし始め、これは、Ｂ個シンボルがデータ伝送に用いられていないこととなり、また、当該Ｂ個シンボルは前記サブフレームの実の制御領域に属しない。リソースの利用率を向上するため、レートマッチング後のデータ中の一部のデータを、当該Ｂ個シンボルに重複マッピングすることができ、こうしてダイバーシティゲインを取得する。具体的には、ＤＣＩ領域の実のシンボル数が前記第３シンボル数より小さいサブフレームにおいて、前記物理ダウンリンクチャネルをリソースにマッピングすることを決定する場合、現サブフレームの第１スロットにおける、前記第３シンボル数に基づいて決定された開始シンボル位置からマッピングし、かつ、前記物理ダウンリンクチャネルをリソースにマッピングする場合に、前記物理ダウンリンクチャネルにより積載される情報中の一部情報を、現サブフレームの第１スロットにおける、前記第３シンボル数に基づいて決定された開始シンボル位置からの先頭のＢ個シンボルに重複マッピングすることを決定し、前記Ｂ個シンボル数は、前記第３シンボル数と現サブフレームのＤＣＩ領域の実のシンボル数の差である。
【０１３１】
＜第２実施方式＞
サブフレーム集合またはサブフレーム集合中のマルチサブフレームチャネル推定に参与する一定数のサブフレームにより形成したサブフレームグループにＭＢＳＦＮサブフレーム及び非ＭＢＳＦＮサブフレームが含まれる場合、サブフレーム集合またはサブフレームグループ中の各々サブフレームにおいて、復調用のリファレンス信号がＤＭＲＳであることを決定する。即ち、送信端がリソースをマッピングすると決定する場合、制御領域及びＤＭＲＳにおいて伝送する場合の各々アンテナポートに対応するＲＥリソースのみを留保し、他のリソースは、物理ダウンリンクチャネルにてデータを伝送することに用いられると仮定する。即ち、前記物理ダウンリンクチャネルをリソースにマッピングすると決定する場合、現サブフレームの第１スロットにおける特定の開始シンボル位置からマッピングし始め、ＤＭＲＳに対応するリソース以外の全部のリソースにマッピングする。送信端が前記物理ダウンリンクチャネルに積載された伝送ブロックに対しチャネルエンコーディング及びレートマッチングを行う場合ＣＲＳ ＲＥが存在しないと決定し、かつ、送信端が前記サブフレームにおいて前記物理チャネルに対し物理ダウンリンクチャネルをリソースにマッピングするときを行う場合、ＣＲＳ ＲＥ位置に対応するデータ情報をパンクすることを決定する。即ち、送信端が物理ダウンリンクチャネルに積載されたＴＢにおいてチャネルエンコーディング及びレートマッチングを行う場合、制御領域及びＤＭＲＳに対応するリソースのみを留保してデータに利用可能のＲＥ数を決定するように仮定する。即ち、制御領域及びＤＭＲＳリソース以外の全部リソースが、前記物理ダウンリンクチャネルの伝送荷用いられると仮定し、前記物理ダウンリンクチャネル伝送に利用可能のＲＥ数を得る。これらの利用可能のＲＥにおいてデータを受信し、レートマッチングした後のターゲットビット値を計算し得る。即ち、ＭＢＳＦＮサブフレーム中の制御領域の以外ＣＲＳが存在せず、非ＭＢＳＦＮサブフレーム中の制御領域の以外ＣＲＳが存在するとしても、もし非ＭＢＳＦＮサブフレームにＣＲＳがなければ、即ち、非ＭＢＳＦＮサブフレームにおけるＣＲＳリソースも前記物理ダウンリンクチャネル伝送に利用可能のＲＥ数として数えされて、ＭＢＳＦＮサブフレーム及び非ＭＢＳＦＮサブフレームにおいて同様なレートマッチングした後のターゲットビット値を得られるようにする。実際に物理ダウリングチャネルをリソースにマッピングする場合、非ＭＢＳＦＮサブフレームにおいてデータを伝送する一部のリソースにＣＲＳ伝送が存在し、ＣＲＳへの影響を避けるため、ＣＲＳに対応するＲＥにマッピングするデータをパンクする必要がある。
【０１３２】
具体的に以下のような２種の実行方式がある。
【０１３３】
＜実行方式ａ＞
サブフレーム集合を複数のサブフレームグループに分割し、サブフレームグループを単位として実行する。即ち、前記サブフレーム集合中のマルチサブフレームチャネル推定に参与する一定数のサブフレームにより形成したサブフレームグループにＭＢＳＦＮサブフレーム及び非ＭＢＳＦＮサブフレームが含まれる場合、前記サブフレームグループ中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングする。現サブフレームは、ＭＢＳＦＮサブフレーム、または、非ＭＢＳＦＮサブフレームであってもよい。
【０１３４】
また、前記サブフレームグループ中の非ＭＢＳＦＮサブフレームにおいて、前記物理ダウンリンクチャネルをリソースにマッピングすることを決定する場合、ＣＲＳリソースがないとすれば、現サブフレームの第１スロットにおける特定の開始シンボル位置からマッピングし始め、ＤＭＲＳに対応するリソース以外の全部のリソースにマッピングする。かつ、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定する。
【０１３５】
＜実行方式ｂ＞
前記サブフレーム集合を直ちに実行対象とする。即ち、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングする。
【０１３６】
また、前記サブフレーム集合中の非ＭＢＳＦＮサブフレームにおいて、物理ダウンリンクチャネルをリソースにマッピングすることを決定する場合に、ＣＲＳリソースがないとすれば、現サブフレームの第１スロットにおける特定の開始シンボル位置からマッピングし始め、ＤＭＲＳに対応するリソース以外の全部のリソースにマッピングすることを決定する。かつ、前記物理ダウンリンクチャネルをリソースにマッピングすることを決定する場合に、前記物理ダウンリンクチャネルに積載された、ＣＲＳリソースにマッピングした情報を、放棄してマッピングしないか、または０にするか、または、前記リソース上で伝送するＣＲＳよりオーバーライトする。
【０１３７】
第３実施方式：
前記サブフレーム集合中のマルチサブフレームチャネル推定に参与する一定数のサブフレームにより形成したサブフレームグループまたはサブフレーム集合に非ＭＢＳＦＮサブフレームのみが含まれる場合、サブフレームグループまたはサブフレーム集合における各々サブフレーム中の制御領域のシンボル数は、非ＭＢＳＦＮサブフレームにおいて設定した制御領域シンボル数である。即ち、送信端が前記物理ダウンリンクチャネルに積載された伝送ブロックににおいて、チャネルエンコーディング及びレートマッチングを行うと決定する場合、非ＭＢＳＦＮサブフレームにおいて設定した制御領域に対応するＲＥを留保する。また、各々サブフレーム中の復調用のリファレンス信号はＣＲＳである。または、物理ダウンリンクチャネルにおいてＤＭＲＳにに基づく伝送案が採用されれば、各々サブフレーム中の復調用のリファレンス信号には、ＣＲＳ及びＤＭＲＳがともに含まれる。即ち、送信端が前記物理ダウンリンクチャネルに積載された伝送ブロックににおいて、チャネルエンコーディング及びレートマッチングを行うと決定する場合、ＣＲＳの伝送に利用される各々アンテナポートに対応するＲＥが留保される。ＤＭＲＳがあれば（例えば、伝送モード９及び伝送モード１０を利用する）、送信端が前記物理チャネルに積載された伝送ブロックにおいてチャネルエンコーディング及びレートマッチングを行うと決定する場合、ＤＭＲＳの伝送に利用される各々アンテナポートに対応するＲＥもさらに留保される。この際、ともに非ＭＢＳＦＮサブフレームであるため、各々サブフレームにおいてＣＲＳ伝送が存在し、かつ、制御領域サイズは、非ＭＢＳＦＮサブフレームにおいて設定された制御領域サイズであり、よって、リソースのマッピング方式により得られた伝送前記物理ダウンリンクチャネルの利用可能のＲＥ数が各々サブフレームにおいて同様であると上述の仮定によれば、物理ダウンリンクチャネルをリソースにマッピングする場合、自身にＣＲＳリソースを留保し、また、留保する制御領域サイズは前記サブフレームの実の制御領域サイズである。よって、物理ダウンリンクチャネルに積載されたデータをパンクする必要がある。
【０１３８】
具体的には以下のような２種の実行方式がある。
【０１３９】
＜実行方式ａ＞
サブフレーム集合を複数のサブフレームグループに分割し、サブフレームグループを単位として実行する。即ち、前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記サブフレームグループ中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０１４０】
＜実行方式ｂ＞
前記サブフレーム集合を直ちに実行対象とする。即ち、前記サブフレーム集合に非マルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０１４１】
第４実施方式
前記サブフレーム集合中のマルチサブフレームチャネル推定に参与する一定数のサブフレームにより形成したサブフレームグループまたはサブフレーム集合にＭＢＳＦＮサブフレームのみが含まれる場合、サブフレーム集合またはサブフレームグループにおける各々サブフレームにおいて、制御領域のシンボル数は、ＭＢＳＦＮサブフレームにおいて設定された制御領域シンボル数である。即ち、送信端が前記物理ダウンリンクチャネルに積載された伝送ブロックにおいて、チャネルエンコーディング及びレートマッチングを行うと決定するとき、ＭＢＳＦＮサブフレームにおいて設定された制御領域に対応するＲＥを留保した。また、各々サブフレーム中の復調用のリファレンス信号はＤＭＲＳである。即ち、送信端が前記物理ダウンリンクチャネルに積載された伝送ブロックにおいて、チャネルエンコーディング及びレートマッチングを行うと決定するとき、ＤＭＲＳの伝送に用いられた各々アンテナポートに対応するＲＥも留保した。この際、ともにＭＢＳＦＮサブフレームであるため、いずれかのサブフレームにもＣＲＳ伝送がない、また、制御領域サイズがともにＭＢＳＦＮサブフレームにおいて設定された制御領域サイズであり、ＤＭＲＳに基づいて復調されるため、上述のリソースのマッピング方式で得られた前記物理ダウンリンクチャネルの伝送に利用可能のＲＥ数は、各々サブフレームにおいで同様である。物理ダウンリンクチャネルをリソースにマッピングする場合、自身にＤＭＲＳリソースを留保し、かつ、留保した制御領域サイズが前記サブフレームの実の制御領域サイズであるため、物理ダウンリンクチャネルに積載されたデータをパンクする必要がない。
【０１４２】
具体的には以下のような２種の実行方式がある。
【０１４３】
＜実行方式ａ＞
サブフレーム集合を複数のサブフレームグループに分割し、サブフレームグループを単位として実行する。即ち、前記サブフレーム集合中のマルチサブフレームチャネル推定に参与する一定数のサブフレームにより形成したサブフレームグループにＭＢＳＦＮサブフレームのみが含まれば、前記サブフレームグループ中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０１４４】
＜実行方式ｂ＞
前記サブフレーム集合を直ちに実行対象とする。即ち、前記サブフレーム集合にＭＢＳＦＮサブフレームのみがふくまれば、前記サブフレーム集合中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０１４５】
上述の第１~第４実施方式を組み合わせて採用することもでき、例えば、第１及び第２実施方式はともに採用することができる。
【０１４６】
第１~第４実施方式のうちのいずれかの実施方式、または、上述第１~第４実施方式の組み合わせ実施方式の場合、ＣＳＩ−ＲＳ リソースが設定されたサブフレームにおいて、送信端が前記物理チャネルに積載された伝送ブロックにおいてチャネルエンコーディング及びレートマッチングを行うと決定する際に、ＣＳＩ−ＲＳ リソースエレメントＲＥがない、かつ、前記サブフレームにおいて前記物理チャネルをリソースにマッピングすると仮定すれば、ＣＳＩ−ＲＳ ＲＥ位置に対応するデータ情報をパンクする。即ち、送信端が物理ダウンリンクチャネルに積載されたＴＢにおいてチャネルエンコーディング及びレートマッチングを行うと決定する場合、物理ダウンリンクチャネルをリソースにマッピングするときに、制御領域及び復調用のリファレンス信号（ＣＲＳ、ＤＭＲＳ中の１種また多種である）に対応するリソースのみを留保してデータに利用可能のＲＥ数を決定すれば、即ち、制御領域及び復調用のリファレンス信号のリソース以外の全部のリソースは前記物理ダウンリンクチャネル伝送に用いられる。即ち、ＣＳＩ−ＲＳのリソースも前記物理ダウンリンクチャネル伝送に利用可能のＲＥ数として数えされ、前記物理ダウンリンクチャネル伝送に利用可能のＲＥ数を得る。これらの利用可能のＲＥにおいてデータを受信し、レートマッチングした後のターゲットビット値を計算し得る。こうして、ＣＳＩ−ＲＳが含まれるサブフレーム、及びＣＳＩ−ＲＳが含まれないサブフレームにおいて、同様なレートマッチングした後のターゲットビット値を得、実際の物理ダウンリンクチャネルをリソースにマッピングする場合、ＣＳＩ−ＲＳが含まれるサブフレーム中のデータを伝送する一部のリソースにおいてＣＳＩ−ＲＳ伝送が存在せず、ＣＳＩ−ＲＳへの影響を避けるため、ＣＳＩ−ＲＳに対応するＲＥにマッピングしたデータをパンクする必要がある。具体的には、チャネル状態情報リファレンス信号（ＣＳＩ−ＲＳ）リソースが設定されたサブフレームにおいて、ＣＳＩ−ＲＳはＮＺＰ ＣＳＩ−ＲＳ及びＺＰ ＣＳＩ−ＲＳのうちの少なくとも１つを含み、送信端が前記物理ダウンリンクチャネルに積載された伝送ブロックにおいて、チャネルエンコーディング及びレートマッチングを行うと決定するとき、ＣＳＩ−ＲＳ ＲＥがないとし、かつ、送信端が前記サブフレームにおいて前記物理ダウンリンクチャネルをリソースにマッピングすると決定する場合、ＣＳＩ−ＲＳ ＲＥ位置に対応するデータ情報をパンクする。具体的には、前記物理ダウンリンクチャネルをリソースにマッピングすることを決定する場合、前記物理ダウンリンクチャネルに積載され、ＮＺＰ ＣＳＩ−ＲＳリソースにたマッピングした情報を、放棄してマッピングしないか、または、０とするか、または、前記リソース上で伝送するＣＳＩ−ＲＳによりオーバーライトする。前記物理ダウンリンクチャネルに積載された、ＺＰ ＣＳＩ−ＲＳリソースにマッピングした情報を放棄してマッピングしないか、または０とする。
【０１４７】
ステップ２０３：前記リソースのマッピング方式で前記物理ダウンリンクチャネルを受信する。
【０１４８】
第１実施方式において、サブフレーム集合を複数のサブフレームグループに分割し、サブフレームグループを単位として実行する。即ち、前記サブフレーム集合中のマルチサブフレームチャネル推定に参与する一定数のサブフレームにより形成したサブフレームグループにＭＢＳＦＮサブフレーム及び非ＭＢＳＦＮサブフレームが含まれる場合、同一の前記サブフレームグループに属する前記ＭＢＳＦＮサブフレーム及び前記非ＭＢＳＦＮサブフレームにおいて、同様な伝送方式で受信する。ここで、前記伝送方式は、復調用のリファレンス信号、伝送ポート・ポート数及びプリエンコーディング方式のうちのいずれの１つまたはこれらの任意の組み合わせを含む。
【０１４９】
第２実施方式において、前記サブフレーム集合を直ちに実行対象とする。即ち、前記サブフレーム集合にＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームにおいて、同様な伝送方式で受信する。ここで、前記伝送方式は、復調用のリファレンス信号、伝送ポート・ポート数及びプリエンコーディング方式のうちのいずれの１つまたはこれらの任意の組み合わせを含む。
【０１５０】
第１及び第２実施方式において、前記サブフレーム集合、または、前記サブフレームグループ中の特定サブフレームに対応する伝送方式で受信するか、または、予め設定した伝送方式で受信する。
【０１５１】
具体的に、前記サブフレーム集合、または、前記サブフレームグループ中の特定サブフレームに対応する伝送方式で受信するが、下記の２種の実施方式は含まれていない。
【０１５２】
方式１
前記サブフレーム集合、または、前記サブフレームグループ中の第１サブフレームに対応する伝送方式で受信する。
【０１５３】
方式２
前記サブフレーム集合、または、前記サブフレームグループにおけるＭＢＳＦＮサブフレームに対応する伝送方式で受信する。
【０１５４】
本発明に係る実施例において、前記リソースのマッピング方式で前記物理ダウンリンクチャネルを受信する場合、前記物理ダウンリンクチャネルをリソースにマッピングする場合に放棄してマッピングしないか、または０とするか、または他の信号によりオーバーレイとされたリソース上の情報を、受信する際に０または特定値とする。即ち、０または特定値であるリソースはパンクされたリソースである。というのは、これらの値は、送信端がによりマッピング処理を行う場合、放棄されるか、または、０に設定されたか、または、これらの位置においてたの信号（例えば、ＣＲＳ、制御情報、ＣＳＩ−ＲＳなど）が発送された。よって、これらの位置において取得した情報がデータ情報ではないが、デレートマッチング（ｄｅ−ｒａｔｅ−ｍａｔｃｈｉｎｇ）及びチャネルデコーディングを正確に行うため、上述の仮定したリソースマッピング方式で得られたデータに利用可能のＲＥ数に対応するエンコーディングした後のターゲットビット数サイズの受信情報を取得する必要がある。よって、これらのパンク（ｐｕｎｃｔｕｒｉｎｇ）位置上のデータ情報を０または特定値に設定し、前記エンコーディングされた後シーケンスを受信するための関連位置に留保して、プレースホルダとする。
【０１５５】
具体的に、前記サブフレーム集合中のマルチサブフレームチャネル推定に参与する一定数のサブフレームにより形成したサブフレームグループにおける各々サブフレームにおいて受信した情報を統合する場合、パンクするリソース位置上のデータ情報が統合に参与しないと決定する。即ち、０または特定値とするリソース位置上の情報を統合しないことを決定する。または、前記サブフレーム集合における各々サブフレームにおいて受信した情報を統合する場合、パンクするリソース位置上のデータ情報が統合に参与しないと決定する。即ち、０または特定値とするリソース位置上の情報を統合しないことを決定する。
【０１５６】
以下、１つの具体的な実施例により、本発明に係る実施例により提供されるダウンリンクデータの重複伝送の流れを詳細に説明する。
【０１５７】
当該具体的な実施例において、伝送ブロックを積載するＰＤＳＣＨの例を挙げる。Ｎ=１００個のサブフレームにおいて当該ＰＤＳＣＨを重複伝送することを仮定する。各々サブフレームにおいて、６個物理リソースブロック（Ｐｈｙｓｉｃａｌ Ｒｅｓｏｕｒｃｅ Ｂｌｏｃｋ，ＰＲＢ）を占有して伝送する。ＭＢＳＦＮサブフレームの制御領域を２個ＯＦＤＭシンボルとし、図３及び図４に示すように、非ＭＢＳＦＮサブフレームの制御領域は３個ＯＦＤＭシンボルであり、図５及び図６に示すとおりである。４つのポートのＣＲＳがあり、そのＲＥ位置は図３~６に示すとおりである。ＭＢＳＦＮサブフレーム及び非ＭＢＳＦＮサブフレームにおいて、ともに単一アンテナポート７または８に基づくＤＭＲＳ伝送を行うことを約定するか、または、ポート７及び/または８のＤＭＲＳに基づくＲＢＦ伝送を行うことを約定する。ＤＭＲＳ  ＲＥは図３~６に示すとおりである。ＣＳＩフレームを１個ポートを有する０（即ち、表１のＣＳＩフレームを０とし、伝送ポートをＣＳＩ−ＲＳポート１５とする）に設定し、ＣＳＩパイロットのサブフレームの場合、周期
【数１０】
2018516029.tif 000017
およびサブフレームオフセット
【数１１】
2018516029.tif 000018
と設定する。即ち、各々無線フレーム中のサブフレーム＃４、９にＣＳＩ−ＲＳ ＲＥがあり、図４及び図６に示すように、他のサブフレームにＣＳＩ−ＲＳ ＲＥがない。
【０１５８】
ＦＤＤ（Ｆｒｅｑｕｅｎｃｙ Ｄｉｖｉｓｉｏｎ Ｄｕｐｌｅｘ）の例において、無線フレーム＃Ｍスロット＃０（即ちサブフレーム＃０）から始まる連続の１００個サブフレームのリソースが同一のＴＢの数回伝送に用いられると仮定する。各々無線フレーム中のサブフレーム＃１、２、３、８、９はＭＢＳＦＮサブフレームであり、他のサブフレームは非ＭＢＳＦＮサブフレームであり、図７に示すとおりである。X=４個のサブフレームを１グループとしてマルチサブフレームチャネル推定及びデータのコヒーレントな統合を行うと仮定する。
【０１５９】
方法１：サブフレームグループを単位として実行する。
【０１６０】
第１実施において：
第１グループのサブフレームは、無線フレーム＃ＭＭ中のサブフレーム＃０~サブフレーム＃３であり、ＭＢＳＦＮサブフレーム及び非ＭＢＳＦＮサブフレームをともに含み、また、いずれかにもＣＳＩ−ＲＳがないため、ＣＳＩ−ＲＳリソースがどのように仮定されているのかを考慮する必要がないが、ＭＢＳＦＮサブフレーム及び非ＭＢＳＦＮサブフレームの相違点を考慮する必要がある。
【０１６１】
ここで、サブフレーム＃０は非ＭＢＳＦＮサブフレームであり、そのＲＥの占有状況は図３に示すとおりである。サブフレーム＃１~３がＭＢＳＦＮサブフレームであり、そのＲＥの占有状況は図５に示すとおりである。具体的には、以下の２種の実施方式がある。
【０１６２】
第１実施における第１種実施方式：
ＰＤＳＣＨに積載されたＴＢにおいてチャネルエンコーディング及びレートマッチングを行う場合、前記グループのサブフレームにおける各々サブフレームの制御領域サイズをＭＢＳＦＮサブフレーム及び非ＭＢＳＦＮサブフレーム制御領域シンボル数の最大値とすると仮定する。即ち、本実施例において３である。この場合、送信端及び受信端の側面からそれぞれ説明する。
【０１６３】
送信端の側面から説明する。
【０１６４】
サブフレーム＃０において、ＰＤＳＣＨに積載されているＴＢにおいてチャネルエンコーディング及びレートマッチングを行う場合、無ＣＲＳ ＲＥかつＤＭＲＳ及び３個シンボルの制御領域のみに対しリソースを留保すると仮定する。即ち、ＴＢチャネルエンコーディング及びレートマッチング後のターゲットビット数に対応するＲＥ数を計算する場合、ＤＭＲＳ及び３個ＯＦＤＭシンボルの制御領域以外の全部のＲＥ（データ領域中のＣＲＳ ＲＥを含む）がデータ伝送に用いられると仮定し、図８に示すように（１個のＰＲＢ内の状況）、６個のＰＲＢ中のデータＲＥ数が６*１２０=７２０であると算出し、そして、変調方式（ＱＰＳＫ（ＱＰＳＫ Ｑｕａｄｒａｔｕｒｅ Ｐｈａｓｅ Ｓｈｉｆｔ Ｋｅｙｉｎｇ）と仮定する）でＴＢチャネルエンコーディング及びレートマッチングした後のターゲットビット数Ｋ=７２０*２=１４４０であることを算出する。ＴＢにおいてチャネルエンコーディング及びレートマッチングを行い、Ｋビットのエンコーディングされた後のシーケンスを得、変調及び他の処理を行った後Ｑ=１４４０/２=７２０個の変調シンボルを得、Ｑ個の変調シンボルを所定方式で対応のＲＥにマッピングして伝送する場合、ＤＭＲＳ及び３個ＯＦＤＭシンボルに制御領域に対応するＲＥを予備ＲＥとし、ＣＲＳに対応するＲＥの場合、自身にＣＲＳ伝送があり、ＣＲＳ伝送に影響させないため、データを当該ＲＥ位置にマッピングしない。即ち、当該ＲＥ位置において伝送するデータ情報は放棄され（即ち、データ情報をパンクし、以後も同様である）、図８に示すとおりである。
【０１６５】
サブフレーム＃１~３において、ＰＤＳＣＨに積載されているＴＢにおいてチャネルエンコーディング及びレートマッチングを行う場合、ＤＭＲＳ及び３個シンボルの制御領域のためにリソースを留保する（自身にＣＲＳがないため、無ＣＲＳの仮定は不要）。即ち、ＴＢチャネルエンコーディング及びレートマッチング後のターゲットビット数に対応するＲＥ数を計算する場合、ＤＭＲＳ及び３個ＯＦＤＭシンボルの制御領域以外の全部のＲＥが全部データ伝送に用いられると仮定し、図９に示すように（１個のＰＲＢ内の状況）、同様に、６個のＰＲＢ内のデータＲＥ数が６*１２０=７２０であることを得、そして、変調方式（ＱＰＳＫであると仮定する）でＴＢチャネルエンコーディング及びレートマッチングした後のターゲットビット数Ｋ=７２０*２=１４４０を算出し、ＴＢにおいてチャネルエンコーディング及びレートマッチングを行い、Ｋビットのエンコーディングされた後のシーケンスを得、変調及び他の処理を行った後にＱ=１１４０/２=７２０個の変調シンボルを算出し得て、引き続きＱ個の変調シンボルを所定方式で対応のＲＥにマッピングして伝送する場合、サブフレーム＃１~３中のデータ領域自身にＣＲＳ伝送がないため、データのマッピング場合にパンクしないが、非ＭＢＳＦＮサブフレーム＃０中の制御領域サイズと一致するため、１個のＭＢＳＦＮサブフレームにおいて設定された制御領域以外のＯＦＤＭシンボルにデータをマッピングしない（即ち、制御領域が３個のＯＦＤＭシンボルを占有すると仮定する）、そして、ＤＭＲＳ ＲＥも余す。よって、データをリソースにマッピングするときの１個ＰＲＢ中の実のＲＥは、図９に示すチャネルエンコーディング及びレートマッチングに対応するデータＲＥと同様である。また、余したＯＦＤＭシンボルを活用するため、上述の処理で得られたエンコーディングされた後のシーケンスまたは変調シンボル中の一部のコンテンツを前記利用されていないＯＦＤＭシンボルに重複マッピングして伝送し、こうしてダイバーシティゲインを取得する。
【０１６６】
受信端の側面から説明する。
【０１６７】
送信端と同様な方式でＴＢをチャネルエンコーディング及びレートマッチングした後のターゲットビット数Ｋ及び変調シンボル数Ｑを決定する。データを受信する場合、サブフレーム＃０において、ＣＲＳに対応するＲＥで抽出したデータシンボルを０または１つの設定値であると仮定することができる。即ち、当該位置に実にデータ伝送がないが、データ情報にはプレースホルダが必要とする。こうして、Ｑ個の受信した変調シンボルを得て、各々サブフレーム中のデータ変調シンボル数とエンコーディングした後のビット数が一致することを確保できる。サブフレーム＃１~３において、４番目のＯＦＤＭシンボルからデータを受信始める。即ち、先頭の３個のシンボルにデータ伝送がないと仮定する。当該４個のサブフレームにおける各々サブフレームにおいで受信したＱ個の変調シンボルをサブフレームの間で統合する。例えば、４個のサブフレームのデータを加算した後に４で割る。ここで、サブフレーム＃０中のＣＲＳ ＲＥに対応する変調シンボルを統合しない。即ち、当該位置において、サブフレーム＃１、２、３中のデータのみを統合する。即ち、当該位置において、３個のサブフレーム中のデータを加算した後に３で割り、統合後のデータに対して後続処理（例えば、チャネル補償，復調，デレートマッチング（ｄｅ−ｒａｔｅ−ｍａｔｃｈｉｎｇ）、以下も同様）を行う。また、サブフレーム＃１~３において、送信端がエンコーディングされた後シーケンスまたは変調シンボル中の一部のコンテンツを前記利用されていないＯＦＤＭシンボルにすれば、即ち、３番目のＯＦＤＭシンボルに重複マッピングして伝送すれば、受信端は、サブフレーム＃１~３において、前記のサブフレームの間の統合の前、３番目のＯＦＤＭシンボルにおいてデータを受信し、前記サブフレーム中の重複する対応の情報を統合して、Ｑ個の変調シンボルを得る必要がある。
【０１６８】
第１実施の第２種実施方式：
ＰＤＳＣＨに積載されたＴＢにおいてチャネルエンコーディング及びレートマッチングを行う場合、１グループのサブフレームにおける各々サブフレームの制御領域サイズがＭＢＳＦＮサブフレーム及び非ＭＢＳＦＮサブフレーム制御領域シンボル数の最小値であると仮定し、即ち、本実施例中に、２である。以下、送信端及び受信端それぞれの側面から説明する。
【０１６９】
送信端の側面から説明する。
【０１７０】
サブフレーム＃０において、ＰＤＳＣＨに積載されているＴＢにおいてチャネルエンコーディング及びレートマッチングを行う場合、無ＣＲＳ ＲＥ、かつ、ＤＭＲＳ及び２個のシンボルの制御領域のためにリソースを留保すると仮定する。即ち、ＴＢチャネルエンコーディング及びレートマッチング後のターゲットビット数に対応するＲＥ数を計算する場合、ＤＭＲＳ及び２個のＯＦＤＭシンボルの制御領域以外の全部のＲＥ（データ領域中のＣＲＳ ＲＥ及び前記サブフレーム制御領域中の最後のＯＦＤＭシンボル（即ち、サブフレーム中の３番目のＯＦＤＭシンボル、以下も同様）上のＲＥのが含まれる）がデータ伝送に用いられると仮定し、図１０に示す１個のＰＲＢ内の状況のように、６個の６個のＰＲＢ内のデータＲＥ数が６*１３２=７９２であることを得て、変調方式（ＱＰＳＫと仮定し、以下も同様）でＴＢチャネルエンコーディング及びレートマッチングした後のターゲットビット数Ｋ=７９２*２=１５８４を算出し、ＴＢにおいてチャネルエンコーディング及びレートマッチングを行い、Ｋビットのエンコーディングされた後のシーケンスを得、変調及びたの処理された後にＱ=１５８４/２=７９２個の変調シンボルを取得し、さらに、Ｑ個の変調シンボルを所定方式で対応のＲＥにマッピングして伝送する場合、ＤＭＲＳ及び２個ＯＦＤＭシンボルの制御領域に対応するＲＥを余し、ＣＲＳに対応するＲＥの場合、自身にＣＲＳ伝送があり、ＣＲＳ伝送に影響させないため、データを当該ＲＥ位置にマッピングしない。即ち、当該ＲＥ位置に伝送するデータ情報を放棄（即ち、パンクする）し、制御領域における最後のＯＦＤＭシンボルの場合、自身に制御情報の伝送があり、制御情報の伝送に影響しないようにするため、データを当該ＲＥ位置にマッピングしない。即ち、当該ＲＥ位置において伝送するデータ情報は放棄され、図１０に示すとおりである。
【０１７１】
サブフレーム＃１~３において、ＰＤＳＣＨに積載されているＴＢにおいてチャネルエンコーディング及びレートマッチングを行う場合、ＤＭＲＳ及び２個のシンボルの制御領域のみのためにリソースを（自身にＣＲＳがないため、無ＣＲＳを仮定する必要がない）を留保し、即ち、ＴＢにおいてチャネルエンコーディング及びレートマッチングを行った後のタケットビット数に対応するＲＥ数を計算する場合、ＤＭＲＳ及び２個のＯＦＤＭシンボルの制御領域以外の全部のＲＥがデータ伝送に用いられると仮定する。ＭＢＳＦＮサブフレームちゅう制御の領域サイズ自身が２シンボルであり、かつ、データ領域自身にＣＲＳがないため、チャネルエンコーディング及びレートマッチングに対応するデータＲＥが図５の空白位置ＲＥ（１個のＰＲＢ内の状況）に示すように、同様に、６個のＰＲＢ内のデータＲＥ数が６*１３２=７９２であることを算出し、そして、変調方式でＴＢにおいてチャネルエンコーディング及びレートマッチングを行った後のタケットビット数Ｋ=７９２*２=１５８４であることを算出し、ＴＢにおいてチャネルエンコーディング及びレートマッチングを行い、Ｋビットのエンコーディング後のシーケンスを取得し、変調及び他の処理を行った後、Ｑ=１５８４/２=７９２個の変調シンボルを取得して、Ｑ個の変調シンボルを所定方式で対応のＲＥにマッピングして伝送する場合、チャネルエンコーディング及びレートマッチングでＲＥを計算するとき他の情報により占有されたＲＥを利用していないため、データをマッピングする場合にパンクせず、ＤＭＲＳ及び２個の制御領域ＯＦＤＭシンボルに対応するＲＥを余せばよい。よって、データをリソースにマッピングする際の実のＲＥは、図５の空白位置ＲＥ同様である。
【０１７２】
受信端側面から説明する。
【０１７３】
送信端と同様な方式でＴＢにおいてチャネルエンコーディング及びレートマッチングを行った後のタケットビット数Ｋ及び変調シンボル数Ｑを決定する。データを受信する場合、サブフレーム＃０において、ＣＲＳ及び制御領域における最後のＯＦＤＭシンボルに対応するＲＥから抽出したデータシンボルが０または１つの設定値であると仮定する。即ち、当該位置に実にデータ伝送がないが、データ情報にはプレースホルダが必要とする。こうして、受信したＱ個の変調シンボルを取得して、サブフレームごとに、データ変調シンボル数及びエンコーディングした後のビット数の一致さを確保できる。サブフレーム＃１~３において、通常は、データ領域においてデータを受信する。当該４個のサブフレーム中の各々サブフレームにおいて受信したＱ個の変調シンボルを、サブフレームの間で統合する。例えば、４つのサブフレームのデータを加算して４で割る。ここで、サブフレーム＃０中のＣＲＳ及び制御領域における最後のシンボル上のＲＥに対応する変調シンボルの場合、統合しない。即ち、当該位置において、サブフレーム＃１、２、３中のデータのみを統合する。即ち、当該位置において、３個のサブフレーム中のデータを加算して３で割る。そして、統合後のデータを引き続き処理する。
【０１７４】
第２実施において
第２グループのサブフレームは無線フレーム＃Ｍにおけるサブフレーム＃４~サブフレーム＃７であり、非ＭＢＳＦＮサブフレームのみを含み、かつサブフレーム＃４にＣＳＩ−ＲＳがあるため、ＭＢＳＦＮサブフレーム及び非ＭＢＳＦＮサブフレームの相違点を考慮する必要がない。サブフレームごとにＣＲＳがあり、かつ、制御領域のサイズがともに３個のシンボルである。即ち、ＣＲＳ及び制御領域は、当該サブフレーム中のいずれサブフレームのおいても同様であり、仮定する必要があにが、ＣＳＩ−ＲＳリソースの仮定を考慮すべきである。ここで、サブフレーム＃４のＲＥ占有状況は図４に示すとおりであり、サブフレーム＃５~７のＲＥ占有状況は図３に示すとおりである。
【０１７５】
送信端側面から説明する。
【０１７６】
サブフレーム＃４において、ＰＤＳＣＨに積載されているＴＢにおいてチャネルエンコーディング及びレートマッチングを行う場合、ＣＳＩ−ＲＳ ＲＥがない、ＣＲＳ、ＤＭＲＳ及び３個のＯＦＤＭシンボルの制御領域のためにリソースを留保すると仮定する。即ち、ＴＢにおいてチャネルエンコーディング及びレートマッチングを行った後のタケットビット数に対応するＲＥ数を計算する場合、ＣＲＳ、ＤＭＲＳ及び３個のＯＦＤＭシンボルの制御領域以外の全部のＲＥ（データ領域中のＣＳＩ−ＲＳ ＲＥを含む）がデータ伝送に用いられると仮定し、図１１に示すように（１個のＰＲＢ内の状況）、６個のＰＲＢ内のデータＲＥ数６*１０４=６２４を取得し、そして、変調方式でＴＢにおいてチャネルエンコーディング及びレートマッチングを行った後のタケットビット数Ｋ=６２４*２=１２４８を取得する。ＴＢにおいてチャネルエンコーディング及びレートマッチングを行い、Ｋビットのエンコーディング後のシーケンスを取得し、変調及び他の処理を行った後、Ｑ=１２４８/２=６２４個の変調シンボルを取得して、Ｑ個の変調シンボルを所定方式で対応のＲＥにマッピングして伝送場合、ＣＲＳ、ＤＭＲＳ及び３個のシンボル制御領域に対応するＲＥを余す。自身にＣＳＩ−ＲＳ伝送があり、ＣＳＩ−ＲＳ伝送へ影響を与えないようにするため、データをＣＳＩ−ＲＳ ＲＥ位置にマッピングしない。即ち、ＣＳＩ−ＲＳ ＲＥ位置において伝送するデータ情報は放棄され（即ちパンクする）、図１１に示すとおりである。
【０１７７】
サブフレーム＃５~７において、ＰＤＳＣＨに積載されているＴＢにおいてチャネルエンコーディング及びレートマッチングを行う場合、ＣＲＳ、ＤＭＲＳ及び３個のシンボルの制御領域のためにリソースを留保する。即ち、ＴＢにおいてチャネルエンコーディング及びレートマッチングを行った後のタケットビット数に対応するＲＥ数を計算する場合、ＣＲＳ、ＤＭＲＳ及び３個のＯＦＤＭシンボルの制御領域以外の全部のＲＥがデータ伝送に用いられると仮定する。即ち、図３に示す空白ＲＥ位置（１個のＰＲＢ内の状況）の陽に、同様に６個のＰＲＢ内のデータＲＥ数６*１０４=６２４を取得して、変調方式でＴＢにおいてチャネルエンコーディング及びレートマッチングを行った後のタケットビット数Ｋ=６２４*２=１２４８を取得する。ＴＢにおいてチャネルエンコーディング及びレートマッチングを行い、Ｋビットのエンコーディング後のシーケンスを取得し、変調及び他の処理を行った後、Ｑ=１２４８/２=６２４個の変調シンボルを取得して、Ｑ個の変調シンボルを所定方式でデータ伝送領域中のＲＥにマッピングして伝送する場合、サブフレーム＃５~７中のデータがチャネルエンコーディング及びレートマッチングを行う場合他の信号リソースを占有していないため、データをマッピングする際にパンクする必要がなく、通常の方式でＣＲＳ、ＤＭＲＳ及び３個のシンボルの制御領域に対応するＲＥをあましておけばよい。よって、データをリソースにマッピングする場合の１個のＰＲＢ中の実のＲＥは、図３の空白ＲＥ位置と同一である。
【０１７８】
受信端側面から説明する。
【０１７９】
送信端と同様な方式でＴＢにおいてチャネルエンコーディング及びレートマッチングを行った後のタケットビット数Ｋ及び変調シンボル数Ｑを決定する。データを受信する場合、サブフレーム＃４において、ＣＳＩ−ＲＳに対応するＲＥから抽出したデータシンボルを０または１つの設定値に仮定する。即ち、当該位置に実にデータ伝送がない、データ情報にはプレースホルダが必要であると認識する。こうして、Ｑ個の受信した変調シンボルを取得し、サブフレームごどにデータ変調シンボル数がエンコーディングした後のビット数と一致することを確保できる。サブフレーム＃５~７において、通常方式で受信すればよい。当該４個のサブフレーム中のサブフレームごとに受信したＱ個の変調シンボルに対し、サブフレーム間の統合を行う。例えば、4個のサブフレームのデータを加算して４で割る。ここで、サブフレーム＃４中のＣＳＩ−ＲＳ ＲＥに対応する変調シンボルは統合しない。即ち、ＣＳＩ−ＲＳ ＲＥ位置において、サブフレーム＃５、６、７中のデータのみを統合し、つまり、当該位置において、３個のサブフレーム中のデータを加算して３で割る。そして、統合後のデータを引き続き処理する。
【０１８０】
第３実施において、
第３グループのサブフレームは無線フレーム＃Ｍ中のサブフレーム＃８、９及び無線フレーム＃Ｍ+１中のサブフレーム＃０、１であり、非ＭＢＳＦＮサブフレーム及びＭＢＳＦＮサブフレームをともに含み、かつ、サブフレーム＃９にＣＳＩ−ＲＳがあり、よって、ＭＢＳＦＮサブフレームと非ＭＢＳＦＮサブフレームの相違点及びＣＳＩ−ＲＳリソースへの仮定のみを考慮すればよい。ここで、サブフレーム＃８及びサブフレーム＃１はＭＢＳＦＮサブフレームであり、ここでのＲＥ占有状況は図５に示すとおりである。サブフレーム＃９はＭＢＳＦＮサブフレームであり、ＣＳＩ−ＲＳを含み、ＲＥ占有状況は図６に示すとおりである。サブフレーム＃０は非ＭＢＳＦＮサブフレームであり、ＲＥ占有状況は図３に示すとおりである。
【０１８１】
第３実施における第１種実施方式：
ＰＤＳＣＨに積載されているＴＢにおいてチャネルエンコーディング及びレートマッチングを行う場合、当該グループのサブフレーム中の各々サブフレームの制御領域サイズがＭＢＳＦＮサブフレームと非ＭＢＳＦＮサブフレーム制御領域シンボル数の最大値であると仮定する。即ち、本実施例の場合、３である。送信端及び受信端それぞれ側面から説明する。
【０１８２】
送信端側面から説明する。
【０１８３】
無線フレーム＃Ｍ+１中のサブフレーム＃０において、処理方式は第１実施における第１種実施方式の第１グループのサブフレーム中のサブフレーム＃０と同様であり、ここで、繰り返して説明しない。無線フレーム＃Ｍ中のサブフレーム＃８及び無線フレーム＃Ｍ+１中のサブフレーム＃１において、処理方式は、第１実施における第１種実施方式を採用する場合の第１グループのサブフレーム中のサブフレーム＃１~３と同様であり、ここで、繰り返して説明しない。
【０１８４】
無線フレーム＃Ｍ中のサブフレーム＃９において、ＰＤＳＣＨに積載されているＴＢにおいてチャネルエンコーディング及びレートマッチングを行う場合、ＣＳＩ−ＲＳ ＲＥがない、ＤＭＲＳ及び３個のシンボルの制御領域のためにリソースを留保すると仮定する。即ち、ＴＢにおいてチャネルエンコーディング及びレートマッチングを行った後のタケットビット数に対応するＲＥ数を計算する場合、ＤＭＲＳ及び３個のＯＦＤＭシンボルの制御領域以外の全部のＲＥ（データ領域中のＣＳＩ−ＲＳ ＲＥを含む）がデータ伝送に用いられると仮定し、図１２（１個のＰＲＢ内の状況）に示すとおり、同様に、６個のＰＲＢ内のデータＲＥ数６*１２０=７２０を取得し、変調方式でＴＢにおいてチャネルエンコーディング及びレートマッチングを行った後のタケットビット数Ｋ=７２０*２=１４４０を算出し、ＴＢにおいてチャネルエンコーディング及びレートマッチングを行い、Ｋビットのエンコーディング後のシーケンスを取得し、変調及び他の処理を行った後、Ｑ=１１４０/２=７２０個の変調シンボルを取得する。そして、Ｑ個の変調シンボルを所定方式で対応するＲＥにマッピングして伝送する場合、ＤＭＲＳ ＲＥを余し、非ＭＢＳＦＮサブフレーム＃０中の制御領域サイズと一致するため、1個のＭＢＳＦＮサブフレームに設定した制御領域以外のＯＦＤＭシンボルを余してデータマッピングしないようにする（即ち、制御領域が３個の ＯＦＤＭシンボルを占有すると仮定する）。ＣＳＩ−ＲＳ ＲＥの場合、自身にＣＳＩ−ＲＳ伝送があり、ＣＳＩ−ＲＳ伝送へ影響を与えないようにするため、データをＣＳＩ−ＲＳ ＲＥ位置にマッピングしない。即ち、ＣＳＩ−ＲＳ ＲＥ位置に伝送するデータ情報は放棄され（即ち、パンクする）、図１２に示すとおりである。また、余したＯＦＤＭシンボルをさらに利用するため、上述処理により得られたエンコーディングしたシーケンスまたは変調シンボル中の一部のコンテンツを、当該余したＯＦＤＭシンボルに重複マッピングして伝送し、こうして、ダイバーシティゲインを得る。
【０１８５】
受信端の側面から説明する。
【０１８６】
送信端と同様な方式でＴＢチャネルエンコーディング及びレートマッチングした後のターゲットビット数Ｋ及び変調シンボル数Ｑを決定する。データを受信する場合、無線フレーム＃Ｍ+１中のサブフレーム＃０に対する処理は、第１実施における第１種実施方式を採用する場合の第１グループのサブフレーム中のサブフレーム＃０と同様である。無線フレーム＃Ｍ中のサブフレーム＃８及び無線フレーム＃Ｍ+１中のサブフレーム＃１野処理は、第１実施における第１種実施方式を採用する場合の第１グループのサブフレーム中のサブフレーム＃１~３と同様である。無線フレーム＃Ｍ中のサブフレーム＃９において、ＣＳＩ−ＲＳに対応するＲＥから抽出したデータシンボルを０または１つの設定値二すると仮定する。即ち、当該位置に実にデータ伝送がないが、データ情報にプレースホルダが必要となり、こうして、Ｑ個の受信した変調シンボルを得て、各々サブフレーム中のデータ変調シンボル数とエンコーディングした後のビット数が一致することを確保できる。その後、当該４個のサブフレームにおける各々サブフレームにおいて受信したＱ個の変調シンボルに対し、サブフレーム間の統合を行い、例えば、４個のサブフレームのデータを加算して４で割る。ここで、サブフレーム＃０中のＣＲＳ ＲＥに対応する変調シンボルを統合しない。即ち、ＣＲＳ ＲＥに対応する位置において、サブフレーム＃８、９、１中のデータのみを統合する。つまり、ＣＲＳ ＲＥに対応する位置の場合、個サブフレーム中のデータを加算して３で割る。サブフレーム＃９中のＣＳＩ−ＲＳ ＲＥに対応する変調シンボルを統合しない。即ち、ＣＳＩ−ＲＳ ＲＥに対応する位置において、サブフレーム＃８、０、１中のデータのみを統合する。即ち、ＣＳＩ−ＲＳ ＲＥに対応する位置の場合、３個サブフレーム中のデータを加算して３で割る。そして、統合後のデータを引き続き処理する。また、サブフレーム＃８、９及び１において、送信端がエンコーディングされた後シーケンスまたは変調シンボル中の一部のコンテンツを前記利用されていないＯＦＤＭシンボル（即ち３番目のＯＦＤＭシンボル）に重複マッピングして伝送すれば、サブフレーム＃８、９及び１においてサブフレーム間の統合を行う前、３番目のＯＦＤＭシンボルにおいてデータを受信し、前記サブフレームにおける重複の情報を統合して、Ｑ個の変調シンボルを取得する。
【０１８７】
第３実施における第２種実施方式：
ＰＤＳＣＨに積載されたＴＢにおいてチャネルエンコーディング及びレートマッチングを行う場合、１グループのサブフレームにおける各々サブフレームの制御領域サイズがＭＢＳＦＮサブフレーム及び非ＭＢＳＦＮサブフレーム制御領域シンボル数の最小値であると仮定し、即ち、本実施例において、２である。以下、送信端及び受信端の側面から説明する。
【０１８８】
送信端の側面から説明する。
【０１８９】
無線フレーム＃Ｍ+１中のサブフレーム＃０において、実行方式は、第１実施における第２種実施方式を採用する場合の第１グループのサブフレーム中のサブフレーム＃０と同様であり、この以上説明しない。無線フレーム＃Ｍ中のサブフレーム＃８及び無線フレーム＃Ｍ+１中のサブフレーム＃１において、実行方式は、第１実施における第２種実施方式を採用する場合の第１グループのサブフレーム中のサブフレーム＃１~３と同様であり、この以上説明しない。
【０１９０】
無線フレーム＃Ｍ中のサブフレーム＃９において、ＰＤＳＣＨに積載されているＴＢにおいてチャネルエンコーディング及びレートマッチングを行う場合、ＣＳＩ−ＲＳ ＲＥがない、ＤＭＲＳ及び２個シンボルの制御領域のみのためにリソースを留保すると仮定する。即ち、ＴＢにおいてチャネルエンコーディング及びレートマッチング後のターゲットビット数に対応するＲＥ数を計算する場合、ＤＭＲＳ及び２個のＯＦＤＭシンボルの制御領域以外の全部のＲＥ（データ領域中のＣＳＩ−ＲＳ ＲＥを含む）がデータ伝送に用いられると仮定し、図１３に示すとおり（１個のＰＲＢ内の状況）、同様に、６個のＰＲＢ内のデータＲＥ数が６*１２０=７２０であることを得、そして、変調方式でＴＢチャネルエンコーディング及びレートマッチングした後のターゲットビット数Ｋ=７２０*２=１４４０を算出し、ＴＢにおいてチャネルエンコーディング及びレートマッチングを行い、Ｋビットのエンコーディングされた後のシーケンスを得、変調及び他の処理を行った後Ｑ=１４４０/２=７２０個の変調シンボルを得、Ｑ個の変調シンボルを所定方式で対応のＲＥにマッピングして伝送する場合、ＤＭＲＳ及び３個ＯＦＤＭシンボルに制御領域に対応するＲＥを予備ＲＥとし、ＣＲＳに対応するＲＥの場合、自身にＣＲＳ伝送があり、ＣＲＳ伝送に影響させないため、データを当該ＲＥ位置にマッピングしない。即ち、当該ＲＥ位置において伝送するデータ情報は放棄され（即ち、パンクする）、ＣＳＩ−ＲＳに対応するＲＥの場合、自身にＣＳＩ−ＲＳ伝送があり、ＣＳＩ−ＲＳ伝送へ影響しないようにするため、データを当該ＲＥ位置にマッピングしない。即ち、当該ＲＥ位置において伝送するデータ情報は放棄され（即ち、パンクする）、図１４に示すとおりである。
【０１９１】
無線フレーム＃Ｍ+１中のサブフレーム＃５において、実行方式は、第１実施における第１種実施方式を採用する場合の第１グループのサブフレーム中のサブフレーム＃０と同様であり、この以上説明しない。
【０１９２】
受信端の側面から説明する。
【０１９３】
送信端と同様な方式でＴＢチャネルエンコーディング及びレートマッチングした後のターゲットビット数Ｋ及び変調シンボル数Ｑを決定する，データを受信する場合、無線フレーム＃Ｍ+１中のサブフレーム＃２、３への処理は、第１実施における第１種実施方式を採用する場合の第１グループのサブフレーム中のサブフレーム＃１~３と同様である。無線フレーム＃Ｍ+１中のサブフレーム＃５への処理は、第１実施における第１種実施方式を採用する場合の第１グループのサブフレーム中のサブフレーム＃０と同様である。無線フレーム＃Ｍ+１中のサブフレーム＃４において、ＣＲＳ及びＣＳＩ−ＲＳに対応するＲＥから抽出したデータシンボルを０または１つの設定値にすると仮定する。即ち、当該ＣＲＳ及びＣＳＩ−ＲＳ ＲＥ位置に実にデータ伝送がないが、データ情報にはプレースホルダが必要となり、こうして、Ｑ個の受信した変調シンボルを得て、各々サブフレーム中のデータ変調シンボル数とエンコーディングした後のビット数が一致することを確保できる。そして、当該４個のサブフレームにおける各々サブフレームにおいて受信したＱ個の変調シンボルに対し、サブフレーム間の統合を行い、例えば、４個のサブフレームのデータを加算して４で割る。ここで、サブフレーム＃４、５中のＣＲＳ ＲＥに対応する変調シンボルを統合しない。即ち、当該ＣＲＳ ＲＥ位置において、サブフレーム＃２、３中のデータのみを統合し、つまり、当該ＣＲＳ ＲＥ位置の場合、２個サブフレーム中のデータを加算して２で割る。サブフレーム＃４中のＣＳＩ−ＲＳ ＲＥに対応する変調シンボルを統合しない。即ち、前記ＣＳＩ−ＲＳ ＲＥ位置において、サブフレーム＃２、３、５中のデータのみを統合し、即ち、前記ＣＳＩ−ＲＳ ＲＥ位置の場合、３個サブフレーム中のデータを加算して３で割る。そして、統合後のデータを引き続き処理する。また、サブフレーム＃２、３において、送信端がエンコーディングされた後シーケンスまたは変調シンボル中の一部のコンテンツを、前記利用されていないＯＦＤＭシンボル（即ち３番目のＯＦＤＭシンボル）に重複マッピングして伝送すれば、サブフレーム＃２、３において上述のサブフレーム間の統合を行う前、３番目のＯＦＤＭシンボルにおいてデータを受信して、サブフレーム＃２、３中の重複の情報を統合し、Ｑ個の変調シンボルを取得する。
【０１９４】
第４実施における第２種実施方式：
ＰＤＳＣＨに積載されたＴＢにおいてチャネルエンコーディング及びレートマッチングを行う場合、１グループのサブフレームにおける各々サブフレームの制御領域サイズがＭＢＳＦＮサブフレーム及び非ＭＢＳＦＮサブフレーム制御領域シンボル数の最小値であると仮定し、即ち、本実施例中の２である。
【０１９５】
送信端の側面から説明する。
【０１９６】
無線フレーム＃Ｍ+１中のサブフレーム＃２、３において、実行方式は、第１実施における第２種実施方式を採用する場合の第１グループのサブフレーム中のサブフレーム＃１~３と同様であり、この以上説明しない。
【０１９７】
無線フレーム＃Ｍ+１中のサブフレーム＃４において、ＰＤＳＣＨに積載されているＴＢにおいてチャネルエンコーディング及びレートマッチングを行う場合、ＣＲＳ ＲＥもないしＣＳＩ−ＲＳ ＲＥもなく、ＤＭＲＳ及び２個ＯＦＤＭシンボルの制御領のみのためにリソースを留保すると仮定する。即ち、ＴＢにおいてチャネルエンコーディング及びレートマッチング後のターゲットビット数に対応するＲＥ数を計算する場合、ＤＭＲＳ及び２個のＯＦＤＭシンボルの制御領域以外の全部のＲＥ（データ領域中のＣＲＳ、ＣＳＩ−ＲＳ及び最後の制御領域ＯＦＤＭシンボルに占有されたＲＥを含む）がデータ伝送に用いられると仮定する。図１５に示すとおり（１個のＰＲＢ内の状況）、６個の６個のＰＲＢ内のデータＲＥ数が６*１３２=７９２であることを得て、変調方式でＴＢチャネルエンコーディング及びレートマッチングした後のターゲットビット数Ｋ=７９２*２=１５８４を算出し、ＴＢにおいてチャネルエンコーディング及びレートマッチングを行い、Ｋビットのエンコーディングされた後のシーケンスを得、変調及びたの処理された後にＱ=１５８４/２=７９２個の変調シンボルを取得し、Ｑ個の変調シンボルを所定方式で対応のＲＥにマッピングして伝送する場合、ＤＭＲＳ及び２個ＯＦＤＭシンボルの制御領域に対応するＲＥを余し、ＣＲＳに対応するＲＥの場合、自身にＣＲＳ伝送があり、ＣＲＳ伝送に影響させないため、データを当該ＣＲＳ ＲＥ位置にマッピングしない。即ち、ＣＲＳ ＲＥ位置に伝送するデータ情報は放棄され（即ち、パンクする）、ＣＳＩ−ＲＳに対応するＲＥの場合、自身にＣＳＩ−ＲＳ伝送があり、ＣＳＩ−ＲＳ伝送へ影響を与えないようにするため、データを前記ＣＳＩ−ＲＳ ＲＥ位置にマッピングしない。即ち、ＣＳＩ−ＲＳ ＲＥ位置において伝送するデータ情報は放棄され（即ちパンクする（ｐｕｎｃｔｕｒｉｎｇ））る。制御領域における最後のＯＦＤＭシンボルに対応するＲＥの場合、自身に制御情報伝送があり、制御情報伝送へ影響を与えないようにするため、データを当該ＲＥ位置にマッピングしない。即ち、制御領域における最後のＯＦＤＭシンボルに対応するＲＥ位置において伝送するデータ情報は放棄され（即ちパンクする）、図１５に示すとおりである。
【０１９８】
無線フレーム＃Ｍ+１中のサブフレーム＃５において、実行方式は第１実施における第２種実施方式を採用する場合の第１グループのサブフレーム中のサブフレーム＃０と同様であり、この以上説明しない。
【０１９９】
受信端の側面から説明する。
【０２００】
送信端と同様な方式でＴＢチャネルエンコーディング及びレートマッチングした後のターゲットビット数Ｋ及び変調シンボル数Ｑを決定する。データを受信する場合、無線フレーム＃Ｍ+１中のサブフレーム＃２、３に対する処理は、第１実施における第２種実施方式を採用する場合の第１グループのサブフレーム中のサブフレーム＃１~３と同様である。無線フレーム＃Ｍ+１中のサブフレーム＃５に対する処理は、第１実施における第２種実施方式を採用する場合の第１グループのサブフレーム中のサブフレーム＃０と同様である。無線フレーム＃Ｍ+１中のサブフレーム＃４において、ＣＲＳ、ＣＳＩ−ＲＳ及び制御領域における最後のＯＦＤＭシンボルに対応するＲＥから抽出したデータシンボルを０または１つの設定値とすると仮定する。即ち、当該位置に実にデータ伝送がないが、データ情報にはプレースホルダが必要であるというように認識することができる。こうして、Ｑ個の受信した変調シンボルを得て、各々サブフレーム中のデータ変調シンボル数とエンコーディングした後のビット数が一致することを確保できる。そして、当該４個のサブフレームにおける各々サブフレームにおいて受信したＱ個の変調シンボルに対し、サブフレーム間の統合を行い、例えば、４個のサブフレームのデータを加算して４で割る。ここで、サブフレーム＃４、５中のＣＲＳ及び制御領域における最後のＯＦＤＭシンボルのＲＥに対応する変調シンボルを統合しない。即ち、前記サブフレーム＃４、５中のＣＲＳ及び制御領域における最後のＯＦＤＭシンボルのＲＥ位置において、サブフレーム＃２、３中のデータのみを統合する。即ち、当該位置の場合、２個サブフレーム中のデータを加算して２で割る。サブフレーム＃４中のＣＳＩ−ＲＳ ＲＥに対応する変調シンボルを統合しない。即ち、前記ＣＳＩ−ＲＳ ＲＥ位置において、サブフレーム＃２、３、５中のデータのみを統合する。即ち、前記ＣＳＩ−ＲＳ ＲＥ位置の場合、３個サブフレーム中のデータを加算して３で割る。そして、統合後のデータを引き続き処理する。
【０２０１】
各々グループのサブフレームにおいて、その後の処理流れは、上述の具体的な実施例のうちの第１~第４実施において説明した流れを参照されたい。ＣＳＩ−ＲＳ ＲＥの有無、ＭＢＳＦＮサブフレーム及び非ＭＢＳＦＮサブフレームがともに含まれるか否かを判断して、この判断結果に応じて処理すればよいため、繰り返して説明しない。
【０２０２】
方法２：サブフレーム集合全体を単位として処理するｎ 
当該１００個のサブフレームの集合にＭＢＳＦＮサブフレーム及び非ＭＢＳＦＮサブフレームがともに含まれるため、以下のような２種の実施方式がある。
【０２０３】
＜第１実施方式＞
ＰＤＳＣＨに積載されたＴＢにおいてチャネルエンコーディング及びレートマッチングを行う場合、前記グループのサブフレームにおける各々サブフレームの制御領域サイズがＭＢＳＦＮサブフレーム及び非ＭＢＳＦＮサブフレーム制御領域シンボル数の最大値であると仮定する。即ち、本実施例には、３である。以下、送信端及び受信端の側面から説明する。
【０２０４】
送信端の側面から説明する。
【０２０５】
当該１００サブフレーム中の全部のＣＳＩ−ＲＳが含まれない非ＭＢＳＦＮサブフレームの場合、例えば、本実施例中の１個の無線フレーム中のサブフレーム＃０、５、６、７の場合、具体的な実行方式は、方法い1中の第１種実施方式を採用する場合のサブフレーム＃０と同様であり、繰り返して説明しない。
【０２０６】
当該１００サブフレーム中の全部のＣＳＩ−ＲＳが含まれる非ＭＢＳＦＮサブフレームの場合、例えば、本実施例中の１個の無線フレーム中のサブフレーム＃４の場合、具体的な実行方式は、方法中の第１種実施方式を採用する倍あの第４グループのサブフレーム中のサブフレーム＃４（即ち無線フレーム＃Ｍ+１中のサブフレーム＃４）と同様であり、繰り返して説明しない。
【０２０７】
当該１００サブフレーム中の全部の不ＣＳＩ−ＲＳが含まれないＭＢＳＦＮサブフレームの場合、例えば、本実施例中の１個の無線フレーム中のサブフレーム＃１、２、３、８の場合、具体的な実行方式は、方法1中の第１種実施方式を採用する場合のサブフレーム＃１~３と同様であり、繰り返して説明しない。
【０２０８】
当該１００サブフレーム中の全部のＣＳＩ−ＲＳが含まれるＭＢＳＦＮサブフレームの場合、例えば、本実施例中の１個の無線フレーム中のサブフレーム＃の場合、具体的な実行方式は、方法1中の第１種実施方式を採用する場合のサブフレーム＃９と同様であり、繰り返して説明しない。
【０２０９】
受信端の側面から説明する。
【０２１０】
サブフレームにおける受信処理は、上述のサブフレームが参考した送信方式に対応する受信方式と同様である。マルチサブフレーム間の統合を行う場合、非ＭＢＳＦＮサブフレームにおけるＣＲＳ位置から抽出したデータを０または１つの設定値とし、ＣＳＩ−ＲＳが含まれるＭＢＳＦＮサブフレーム及び非ＭＢＳＦＮサブフレームにおけるＣＳＩ−ＲＳ 位置から抽出したデータを０または１つの設定値とする。即ち、当該位置に実にデータ伝送がないが、データ情報にはプレースホルダが必要であるというように認識する。こうして、Ｑ個の受信した変調シンボルを得て、各々サブフレーム中のデータ変調シンボル数がエンコーディングした後のビット数と一致することを確保することができる。ＭＢＳＦＮサブフレームにおいて、４番目のシンボルからデータを受信し始める。そして、４個のサブフレームを１グループとし、前記グループにおける各々サブフレームにおいて受信したＱ個の変調シンボルに対し、サブフレーム間の統合を行う（例えば、４個のサブフレームのデータを加算して４で割る）。ここで、非ＭＢＳＦＮサブフレーム中のＣＲＳ ＲＥに対応する変調シンボルを統合しない。即ち、当該ＣＲＳ ＲＥ位置において、他のサブフレーム中の対応のデータのみを統合する。つまり、当該位置の場合、他のサブフレーム中の対応の位置におけるデータの平均値である。ＭＢＳＦＮサブフレーム及び非ＭＢＳＦＮサブフレーム中のＣＳＩ−ＲＳ ＲＥに対応する変調シンボルを統合しない。即ち、前記ＣＳＩ−ＲＳ ＲＥ位置において、他のサブフレーム中の対応のデータのみを統合する。即ち、前記ＣＳＩ−ＲＳ ＲＥ位置の場合、他のサブフレーム中の対応の位置におけるデータの平均値である。そして、統合後のデータを引き続き処理する。特に、送信端がＭＢＳＦＮサブフレームにおいて、エンコーディング及びレートマッチング後の結果中の一部情報を余した1個のＯＦＤＭシンボルに重複マッピングする。即ち、３番目のＯＦＤＭシンボルにに重複マッピングする場合、サブフレーム間の統合を行う前、余した1個のＯＦＤＭシンボルに重複マッピングサブフレームにおける重複する部分のデータを統合する必要がある。
【０２１１】
＜第２実施方式＞
ＰＤＳＣＨに積載されたＴＢにおいてチャネルエンコーディング及びレートマッチングを行う場合、１グループのサブフレームにおける各々サブフレームの制御領域サイズがＭＢＳＦＮサブフレーム及び非ＭＢＳＦＮサブフレーム制御領域シンボル数の最小値であると仮定し、即ち、本実施例には、２である。以下、送信端及び受信端の側面から説明する。
【０２１２】
送信端の側面から説明する。
【０２１３】
当該１００個サブフレーム中の全部のＣＳＩ−ＲＳが含まれない非ＭＢＳＦＮサブフレームの場合、例えば、本実施例における１個無線フレーム中のサブフレーム＃０、５、６、７の場合、具体的な実行方式は、方法1中の第２種実施方式を採用する場合のサブフレーム＃０と同様であり、繰り返して説明しない。
【０２１４】
当該１００個サブフレーム中の全部のＣＳＩ−ＲＳが含まれる非ＭＢＳＦＮサブフレームの場合、例えば、本実施例における１個無線フレーム中のサブフレーム＃４の場合、具体的な実行方式は、方法1中の第２種実施方式を採用する場合の第４グループのサブフレーム中のサブフレーム＃４（即ち無線フレーム＃Ｍ+１中のサブフレーム＃４）と同様であり、繰り返して説明しない。
【０２１５】
当該１００個サブフレーム中の全部のＣＳＩ−ＲＳが含まれないＭＢＳＦＮサブフレームの場合、例えば、本実施例における１個無線フレーム中のサブフレーム＃１、２、３、８の場合、具体的な実行方式は、方法1中の第２種実施方式を採用する場合のサブフレーム＃１~３と同様であり、繰り返して説明しない。
【０２１６】
当該１００個サブフレーム中の全部のＣＳＩ−ＲＳが含まれるＭＢＳＦＮサブフレームの場合、例えば、本実施例における１個無線フレーム中のサブフレーム＃９の場合、具体的な実行方式は、方法1中の第２種実施方式を採用する場合のサブフレーム＃９と同様であり、繰り返して説明しない。
【０２１７】
受信端の側面から説明する。
【０２１８】
上述のサブフレームにおける受信処理は、上述のサブフレームが参考した送信方式に対応する受信方式と同様である。マルチサブフレーム間の統合を行う場合、非ＭＢＳＦＮサブフレームにおけるＣＲＳ位置及び制御領域の最後のシンボルから抽出したデータを０または１つの設定値とし、ＣＳＩ−ＲＳが含まれるＭＢＳＦＮサブフレーム及び非ＭＢＳＦＮサブフレームにおけるＣＳＩ−ＲＳ 位置から抽出したデータを０または１つの設定値とする。即ち、当該位置に実にデータ伝送がないが、データ情報にはプレースホルダが必要であるというように認識する。こうして、Ｑ個の受信した変調シンボルを得て、各々サブフレーム中のデータ変調シンボル数がエンコーディングした後のビット数と一致することを確保することができる。ＣＳＩ−ＲＳが含まれないＭＢＳＦＮサブフレームにおいて、ノーマル方式でデータを受信する。そして、４個のサブフレームを１グループとし、前記グループにおける各々サブフレームにおいて受信したＱ個の変調シンボルに対してサブフレーム間の統合を行う（例えば、４個のサブフレームのデータを加算して４で割る）。ここで、非ＭＢＳＦＮサブフレーム中のＣＲＳ ＲＥ及び制御領域の最後のシンボルに対応する変調シンボルを統合しない。即ち、当該ＣＲＳ ＲＥ位置において、他のサブフレーム中の対応のデータのみを統合し（即ち、当該ＣＲＳ ＲＥ位置の場合、他のサブフレーム中の対応の位置におけるデータの平均値）、ＭＢＳＦＮサブフレーム及び非ＭＢＳＦＮサブフレーム中のＣＳＩ−ＲＳ ＲＥに対応する変調シンボルを統合しない。即ち、前記ＣＳＩ−ＲＳ ＲＥ位置において、他のサブフレーム中の対応のデータのみを統合する（即ち、前記ＣＳＩ−ＲＳ ＲＥ位置の場合、他のサブフレーム中の対応の位置におけるデータの平均値）。そして、統合後のデータを引き続き処理する。
【０２１９】
説明したいのは、当該具体的な実施例には、４ポートＣＲＳ、１ポートＤＭＲＳ及び２、３個の制御領域シンボルの状況例のみを挙げた。さらに、実際のＣＲＳポート数の変更に応じて、ＣＲＳ ＲＥ数も変更される。例えば、ＣＳＲポート数が１であれば、ＣＲＳ ＲＥは、図面中のポート０に対応するＲＥのみに対応する。ＣＲＳポート数が２であれば、ＣＲＳ ＲＥは、図面中のポート０及び１に対応するＲＥのみに対応する。さらに、実際のＤＭＲＳポート数の変更に応じて、ＤＭＲＳ ＲＥ数も変更される。例えば、ＤＭＲＳポート数が３または４であれば、図面にＤＭＲＳポート９、１０に対応するＲＥを追加する必要があり、即ち、図面中のＤＭＲＳポート７/８に対応するＲＥの下方のＲＥを追加する。ＤＭＲＳポート数が４~８であれば、ＲＥリソース位置はポート７~１０と同様である。さらに、制御領域のサイズは、０~４個シンボルであることができる。当該方法は、サブフレームグループ荷含まれるサブフレーム数がいずれの値であるマルチサブフレームチャネル推定及びいずれ数のサブフレームにおけるデータの統合に適用できる。
【０２２０】
また、当該具体的な実施例には、全部のサブフレームにおいてＤＭＲＳ基づいて復調すると仮定する。実際に、方法１中の非ＭＢＳＦＮサブフレームのみが含まれるサブフレームグループの場合、例えば、第２サブフレームグループを、ＣＲＳ復調に基づくように約定することができる。この際、ＤＭＲＳ ＲＥがない、即ち、対応の図面に示しているＤＭＲＳ ＲＥは実にデータ伝送に利用可能なＲＥであり、ＴＢにおいてチャネルエンコーディング及びレートマッチングを行う場合、ＤＭＲＳ ＲＥを計算する必要があり、かつ、リソースにマッピングするときに、ＤＭＲＳ ＲＥにデータをマッピングする必要もある。
【０２２１】
同様な発明思想に基づき、本発明に係る実施例は送信端装置をさらに提供する。当該送信端装置の具体的な実施は、上述の実施例中の送信端のダウンリンクデータの重複伝送に関する説明を参考されたく、繰り返して説明しない。図１６に示すように、当該装置は、決定モジュール１６０１と、リソースマッピングモジュール１６０２と、送信モジュール１６０３とを備える。
【０２２２】
前記決定モジュール１６０１は、物理ダウンリンクチャネルの重複伝送のためのサブフレーム集合を決定する。
【０２２３】
前記リソースマッピングモジュール１６０２は、決定されたサブフレーム集合内の各々サブフレームにおいて、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングする。
【０２２４】
前期送信モジュール１６０３は、前記リソースのマッピング方式で前記物理ダウンリンクチャネルを送信する。
【０２２５】
具体的に、前記特定の開始シンボル位置は、上位層シグナリングにより予め設定されるか、または、前記特定の開始シンボル位置は、ＤＣＩ領域サイズに基づいて得られたものである。前記ＤＣＩ領域サイズはＣＦＩにより得られたものである。
【０２２６】
本発明に係る実施例において、リソースマッピングモジュール１６０２は、現サブフレームの第１スロットにおける特定の開始シンボル位置からマッピングし始め、復調用のリファレンス信号に対応するリソース以外の全部のリソースにマッピングし，即ち復調用のリファレンス信号及び制御領域に対応するリソースのみを留保し、留保されたリソースは前記物理ダウンリンクチャネルのデータ伝送に用いられず、具体的には、以下のいくつかの異なる実施方式を含むが、これらに限定しない。
【０２２７】
＜第１実施方式＞
前記リソースマッピングモジュールは、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記所定数のサブフレームにより形成されたサブフレームグループにおける各々サブフレームのＤＣＩ領域に占有された第３シンボル数を決定し、前記第３シンボル数に基づいて前記所定数のサブフレームにより形成されたサブフレームグループにおける各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングする。
【０２２８】
または、前記リソースマッピングモジュールは、前記サブフレーム集合にマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングする。
【０２２９】
具体的に、前記リソースマッピングモジュールは、前記第３シンボル数を、前記第１シンボル数及び前記第２シンボル数のうちの最小値または最大値として決定する。
【０２３０】
前記リソースマッピングモジュールは、前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングする場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトする。前記Ａ個シンボル数は、現サブフレームのＤＣＩ領域の実のシンボル数と前記第３シンボル数の差である。 または、
または、前記リソースマッピングモジュールは、前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングする場合、現サブフレームの第１スロットにおける、前記第３シンボル数に基づいて決定された開始シンボル位置からマッピングし、前記物理ダウンリンクチャネルにより積載される情報中の一部情報を、現サブフレームの第１スロットにおける、前記第３シンボル数に基づいて決定された開始シンボル位置ににおける先頭Ｂ個シンボルに重複マッピングする。前記Ｂ個シンボル数は、前記第３シンボル数と現サブフレームのＤＣＩ領域の実のシンボル数の差である。
【０２３１】
＜第２実施方式＞
前記リソースマッピングモジュールは、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記サブフレームグループ中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングする。また、前記サブフレームグループ中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトする。
【０２３２】
または、前記リソースマッピングモジュールは、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングする。また、前記サブフレーム集合中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトする。
【０２３３】
＜第３実施方式＞
前記リソースマッピングモジュールは、前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記サブフレームグループ中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０２３４】
または、前記リソースマッピングモジュールは、前記サブフレーム集合に非ＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０２３５】
＜第４実施方式＞
前記リソースマッピングモジュールは、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記サブフレームグループ中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０２３６】
または、前記リソースマッピングモジュールは、前記サブフレーム集合にマルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０２３７】
第１~第４実施方式のうちのいずれの実施方式において、前記リソースマッピングモジュールは、前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合、前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とする。
【０２３８】
実施の際、送信モジュールは、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、同一の前記サブフレームグループに属する前記ＭＢＳＦＮサブフレーム及び前記非ＭＢＳＦＮサブフレームに対し、同様な伝送方式で伝送する。ここで、前記伝送方式は、復調用のリファレンス信号、伝送ポート・ポート数及びプリエンコーディング方式のうちのいずれの１つまたはこれらの任意の組み合わせを含む。
【０２３９】
または、送信モジュールは、前記サブフレーム集合にＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームに対し、同様な伝送方式で伝送する。前記伝送方式は、復調用のリファレンス信号、伝送ポート・ポート数及びプリエンコーディング方式のうちのいずれの１つまたはこれらの任意の組み合わせを含む。
【０２４０】
また、前記送信モジュールは、前記サブフレーム集合または前記サブフレームグループ中の特定サブフレームに対応する伝送方式で伝送するか、または、予め設定した伝送方式で伝送する。
【０２４１】
具体的に、前記送信モジュールは、前記サブフレーム集合、または、前記サブフレームグループ中の第１サブフレームに対応する伝送方式で伝送する。または、前記サブフレーム集合、または、前記サブフレームグループにおけるＭＢＳＦＮサブフレームに対応する伝送方式で伝送する。
【０２４２】
同様な発明思想に基づき、本発明に係る実施例は送信端装置をさらに提供する。当該送信端装置の具体的な実施は、上述の実施例中の送信端のダウンリンクデータの重複伝送に関する説明を参考されたく、ここで、繰り返して説明しない。図１７に示すように、当該装置は、プロセッサ１７０１と、メモリ１７０２と、送受信機１７０３とを備える。ここで、メモリ１７０２に予め設定したプログラムが格納されており、プロセッサ１７０１は、メモリ１７０２に予め設定したプログラムを読み出して、当該プログラムにしたがって、以下通りに実行する。
【０２４３】
物理ダウンリンクチャネルの重複伝送のためのサブフレーム集合を決定し、
決定されたサブフレーム集合内の各々サブフレームにおいて、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングし、
前記リソースのマッピング方式で送受信機１７０３により前記物理ダウンリンクチャネルを送信する。
【０２４４】
具体的に、前記特定の開始シンボル位置は上位層シグナリングにより予め設定するか、または、前記特定の開始シンボル位置は、ＤＣＩ領域サイズに基づいて得られたものである。前記ＤＣＩ領域サイズはＣＦＩにより得られたものである。
【０２４５】
本発明に係る実施例において、プロセッサ１７０１現サブフレームの第１スロットにおける特定の開始シンボル位置からマッピングし始め、復調用のリファレンス信号に対応するリソース以外の全部のリソースにマッピングし，即ち復調用のリファレンス信号及び制御領域に対応するリソースのみを留保し、留保されたリソースは前記物理ダウンリンクチャネルのデータ伝送に用いられず、具体的には、以下のいくつかの異なる実施方式を含むが、これらに限定しない。
【０２４６】
＜第１実施方式＞
プロセッサ１７０１は、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記所定数のサブフレームにより形成されたサブフレームグループにおける各々サブフレームのＤＣＩ領域に占有された第３シンボル数を決定し、前記第３シンボル数に基づいて前記所定数のサブフレームにより形成されたサブフレームグループにおける各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングする。
【０２４７】
または、プロセッサ１７０１は、前記サブフレーム集合にマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングし、。
【０２４８】
具体的に、プロセッサ１７０１前記第３シンボル数を、前記第１シンボル数及び前記第２シンボル数のうちの最小値または最大値として決定する。
【０２４９】
ここで、プロセッサ１７０１は、前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングする場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトする。前記Ａ個シンボル数は、現サブフレームのＤＣＩ領域の実のシンボル数と前記第３シンボル数の差である。
【０２５０】
または、プロセッサ１７０１は、前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングする場合、現サブフレームの第１スロットにおける、前記第３シンボル数に基づいて決定された開始シンボル位置からマッピングし、前記物理ダウンリンクチャネルにより積載される情報中の一部情報を、現サブフレームの第１スロットにおける、前記第３シンボル数に基づいて決定された開始シンボル位置ににおける先頭Ｂ個シンボルに重複マッピングする。前記Ｂ個シンボル数は、前記第３シンボル数と現サブフレームのＤＣＩ領域の実のシンボル数の差である。
【０２５１】
＜第２実施方式＞
プロセッサ１７０１は、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記サブフレームグループ中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングする。
【０２５２】
また、プロセッサ１７０１は、前記サブフレームグループ中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトする。
【０２５３】
または、プロセッサ１７０１は、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングする。
【０２５４】
また、前記サブフレーム集合中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトする。
【０２５５】
＜第３実施方式＞
プロセッサ１７０１は、前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記サブフレームグループ中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０２５６】
または、前記サブフレーム集合に非ＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０２５７】
＜第４実施方式＞
プロセッサ１７０１は、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記サブフレームグループ中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０２５８】
または、前記サブフレーム集合にマルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０２５９】
第１~第４実施方式のうちのいずれの実施方式において、プロセッサ１７０１は、前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合、前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とする。
【０２６０】
実施の際、プロセッサ１７０１は、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、同一の前記サブフレームグループに属する前記ＭＢＳＦＮサブフレーム及び前記非ＭＢＳＦＮサブフレームの場合、同様な伝送方式で伝送用に送受信機に指示する。ここで、前記伝送方式は、復調用のリファレンス信号、伝送ポート・ポート数及びプリエンコーディング方式のうちのいずれの１つまたはこれらの任意の組み合わせを含む。
【０２６１】
または、前記サブフレーム集合にＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームの場合、同様な伝送方式で伝送用に送受信機に指示する。ここで、前記伝送方式は、復調用のリファレンス信号、伝送ポート・ポート数及びプリエンコーディング方式のうちのいずれの１つまたはこれらの任意の組み合わせを含む。
【０２６２】
プロセッサ１７０１は、前記サブフレーム集合または前記サブフレームグループ中の特定サブフレームに対応する伝送方式で伝送するか、または、予め設定した伝送方式で伝送するように、送受信機１７０３に指示する。
【０２６３】
具体的に、プロセッサ１７０１は、前記サブフレーム集合、または、前記サブフレームグループ中の第１サブフレームに対応する伝送方式で伝送するか、または、前記サブフレーム集合、または、前記サブフレームグループにおけるＭＢＳＦＮサブフレームに対応する伝送方式で伝送するように、送受信機１７０３に指示する。
【０２６４】
同様な発明思想に基づき、本発明に係る実施例は受信端装置をさらに提供し、当該受信端装置の具体的な実施は、上述の実施例中の受信端のダウンリンクデータの重複伝送に関する説明を参考されたく、ここで、繰り返して説明しない。図１８に示すように、当該受信端装置は、第１決定モジュール１８０１と、第２決定モジュール１８０２と、受信モジュール１８０３とを備える。
【０２６５】
前記第１決定モジュール１８０１は、物理ダウンリンクチャネルの重複伝送のためのサブフレーム集合を決定する。
【０２６６】
前期第２決定モジュール１８０２は、決定されたサブフレーム集合内の各々サブフレームにおいて、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングする。
【０２６７】
前記受信モジュール１８０３は、前記リソースのマッピング方式で前記物理ダウンリンクチャネルを受信する。
【０２６８】
具体的に、前記特定の開始シンボル位置は上位層シグナリングにより予め設定するか、または、前記特定の開始シンボル位置は、ダウンリンク制御情報（ＤＣＩ）領域サイズにより得られたものである、前記ＤＣＩ領域サイズは、制御フォーマット指示子（ＣＦＩ）により得られたものである。
【０２６９】
本発明に係る実施例において、第２決定モジュールは、前記物理ダウンリンクチャネルをリソースにマッピングすることを決定する場合、現サブフレームの第１スロットにおける特定の開始シンボル位置からマッピングし始め、即ち復調用のリファレンス信号及び制御領域に対応するリソースのみを留保し、留保されたリソースは前記物理ダウンリンクチャネルのデータ伝送に用いられず、具体的には、以下のいくつかの異なる実施方式を含むが、これらに限定しない。
【０２７０】
＜第１実施方式＞
前記第２決定モジュールは、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記所定数のサブフレームにより形成されたサブフレームグループにおける各々サブフレームのＤＣＩ領域に占有された第３シンボル数を決定し、前記第３シンボル数に基づいて前記所定数のサブフレームにより形成されたサブフレームグループにおける各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングする。
【０２７１】
または、前記第２決定モジュールは、前記サブフレーム集合にマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングする。
【０２７２】
ここで、前記第２決定モジュールは、前記第３シンボル数を、前記第１シンボル数及び前記第２シンボル数のうちの最小値または最大値として決定する。
【０２７３】
実施の際、前記第２決定モジュールは、前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングすることを決定する場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトする。前記Ａ個シンボル数は、現サブフレームのＤＣＩ領域の実のシンボル数と前記第３シンボル数の差である。
【０２７４】
または、前記第２決定モジュールは、前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングすることを決定する場合、現サブフレームの第１スロットにおける、前記第３シンボル数に基づいて決定された開始シンボル位置からマッピングし、かつ、前記物理ダウンリンクチャネルをリソースにマッピングする場合に、前記物理ダウンリンクチャネルにより積載される情報中の一部情報を、現サブフレームの第１スロットにおける、前記第３シンボル数に基づいて決定された開始シンボル位置からの先頭のＢ個シンボルに重複マッピングすることを決定する。前記Ｂ個シンボル数は、前記第３シンボル数と現サブフレームのＤＣＩ領域の実のシンボル数の差である。
【０２７５】
＜第２実施方式＞
前記第２決定モジュールは、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記サブフレームグループ中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングする。
【０２７６】
また、前記サブフレームグループ中の非ＭＢＳＦＮサブフレームにおいて、前記物理ダウンリンクチャネルをリソースにマッピングすることを決定する場合、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定する。
【０２７７】
または、前記第２決定モジュールは、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングする。
【０２７８】
また、前記サブフレーム集合中の非ＭＢＳＦＮサブフレームにおいて、物理ダウンリンクチャネルをリソースにマッピングすることを決定する場合に、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定する。
【０２７９】
＜第３実施方式＞
前記第２決定モジュールは、前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記サブフレームグループ中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０２８０】
または、前記第２決定モジュールは、前記サブフレーム集合に非マルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０２８１】
＜第４実施方式＞
前記第２決定モジュールは、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記サブフレームグループ中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０２８２】
または、前記第２決定モジュールは、前記サブフレーム集合にマルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０２８３】
第１~第４実施方式のうちのいずれの実施方式において、前記第２決定モジュールは、前記サブフレーム集合中の、チャネル状態情報リファレンス信号（ＣＳＩ−ＲＳ）リソースが設定されたサブフレームにおいて、前記物理ダウンリンクチャネルをリソースにマッピングすることを決定する場合、前記物理ダウンリンクチャネルをリソースにマッピングする場合に前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを決定する。
【０２８４】
具体的に、前記受信モジュールは、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、同一の前記サブフレームグループに属する前記ＭＢＳＦＮサブフレーム及び前記非ＭＢＳＦＮサブフレームにおいて、同様な伝送方式で受信する。前記伝送方式は、復調用のリファレンス信号、伝送ポート・ポート数及びプリエンコーディング方式のうちのいずれの１つまたはこれらの任意の組み合わせを含む。
【０２８５】
または、前記受信モジュールは、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームにおいて、同様な伝送方式で受信する。ここで、前記伝送方式は、復調用のリファレンス信号、伝送ポート・ポート数及びプリエンコーディング方式のうちのいずれの１つまたはこれらの任意の組み合わせを含む。
【０２８６】
前記受信モジュールは、前記サブフレーム集合、または、前記サブフレームグループ中の特定サブフレームに対応する伝送方式で受信する、または、予め設定した伝送方式で受信する。
【０２８７】
具体的に、受信モジュールは、前記サブフレーム集合、または、前記サブフレームグループ中の第１サブフレームに対応する伝送方式で受信するか、または、前記サブフレーム集合、または、前記サブフレームグループにおけるＭＢＳＦＮサブフレームに対応する伝送方式で受信する。
【０２８８】
実施の際、前記受信モジュールは、前記リソースのマッピング方式で前記物理ダウンリンクチャネルを受信する場合、前記物理ダウンリンクチャネルをリソースにマッピングする場合に放棄してマッピングしないか、または０とするか、または他の信号によりオーバーレイとされたリソース上の情報を、受信する際に０または特定値とする。
【０２８９】
また、実施の際、前記受信モジュールは、前記サブフレーム集合中のマルチサブフレームチャネル推定に参与する一定数のサブフレームにより形成したサブフレームグループにおける各々サブフレームにおいて受信した情報を統合する場合、０または特定値とするリソース位置上の情報を統合しないことを決定する、または、前記サブフレーム集合における各々サブフレームにおいて受信した情報を統合する場合、０または特定値とするリソース位置上の情報を統合しないことを決定する。
【０２９０】
同様な発明思想に基づき、本発明に係る実施例は受信端装置をさらに提供  し、当該受信端装置の具体的な実施は、上述の実施例中の受信端のダウンリンクデータの重複伝送に関する説明を参考されたく、ここで、繰り返して説明しない。図１９に示すように、当該受信端装置は、プロセッサ１９０１と、メモリ１９０２と、送受信機１９０３とを備える。ここで、メモリに予め設定したプログラムが格納されており、プロセッサは、メモリに予め設定したプログラムを読み出して、当該プログラムにしたがって、以下のとおりに動作する。
【０２９１】
物理ダウンリンクチャネルの重複伝送のためのサブフレーム集合を決定、
決定されたサブフレーム集合内の各々サブフレームにおいて、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングし、
前記リソースのマッピング方式で前記物理ダウンリンクチャネルを受信するように送受信機に指示する。
【０２９２】
具体的に、前記特定の開始シンボル位置は上位層シグナリングにより予め設定するか、または、前記特定の開始シンボル位置は、ダウンリンク制御情報（ＤＣＩ）領域サイズにより得られたものである、前記ＤＣＩ領域サイズは、制御フォーマット指示子（ＣＦＩ）により得られたものである。
【０２９３】
本発明に係る実施例において、プロセッサ前記物理ダウンリンクチャネルをリソースにマッピングすることを決定する場合、現サブフレームの第１スロットにおける特定の開始シンボル位置からマッピングし始め、即ち復調用のリファレンス信号及び制御領域に対応するリソースのみを留保し、留保されたリソースは前記物理ダウンリンクチャネルのデータ伝送に用いられず、具体的には、以下のいくつかの異なる実施方式を含むが、これらに限定しない。
【０２９４】
＜第１実施方式＞
プロセッサは、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記所定数のサブフレームにより形成されたサブフレームグループにおける各々サブフレームのＤＣＩ領域に占有された第３シンボル数を決定し、前記第３シンボル数に基づいて前記所定数のサブフレームにより形成されたサブフレームグループにおける各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングする。
【０２９５】
または、プロセッサは、前記サブフレーム集合にマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングする。
【０２９６】
ここで、プロセッサは、前記第３シンボル数を、前記第１シンボル数及び前記第２シンボル数のうちの最小値または最大値として決定する。
【０２９７】
実施の際、前記第３シンボル数が前記第１シンボル数及び前記第２シンボル数のうちの最小値であれば、プロセッサＤＣＩ領域の実のシンボル数が前記第３シンボル数より大きいサブフレームにおいて、前記物理ダウンリンクチャネルをリソースにマッピングすることを決定する場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトする。前記Ａ個シンボル数は、現サブフレームのＤＣＩ領域の実のシンボル数と前記第３シンボル数の差である。
【０２９８】
または、前記第３シンボル数が前記第１シンボル数及び前記第２シンボル数のうちの最大値であれば、プロセッサＤＣＩ領域の実のシンボル数が前記第３シンボル数より小さいサブフレームにおいて、前記物理ダウンリンクチャネルをリソースにマッピングすることを決定する場合、現サブフレームの第１スロットにおける、前記第３シンボル数に基づいて決定された開始シンボル位置からマッピングし、かつ、前記物理ダウンリンクチャネルをリソースにマッピングする場合に、前記物理ダウンリンクチャネルにより積載される情報中の一部情報を、現サブフレームの第１スロットにおける、前記第３シンボル数に基づいて決定された開始シンボル位置からの先頭のＢ個シンボルに重複マッピングすることを決定する。前記Ｂ個シンボル数は、前記第３シンボル数と現サブフレームのＤＣＩ領域の実のシンボル数の差である。
【０２９９】
＜第２実施方式＞
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、プロセッサ前記サブフレームグループ中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングする。
【０３００】
また、前記サブフレームグループ中の非ＭＢＳＦＮサブフレームにおいて、前記物理ダウンリンクチャネルをリソースにマッピングすることを決定する場合、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定する。
【０３０１】
または、前記サブフレーム集合にマルチメディア放送/マルチキャスト単一周波数ネットワークＭＢＳＦＮサブフレーム及び非ＭＢＳＦＮサブフレームが含まれば、プロセッサ場合、前記サブフレーム集合中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングする。
【０３０２】
また、前記サブフレーム集合中の非ＭＢＳＦＮサブフレームにおいて、物理ダウンリンクチャネルをリソースにマッピングすることを決定する場合に、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定する。
【０３０３】
＜第３実施方式＞
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、プロセッサ前記サブフレームグループ中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０３０４】
または、前記サブフレーム集合に非マルチメディア放送/マルチキャスト単一周波数ネットワークＭＢＳＦＮサブフレームのみが含まれば、プロセッサ場合、前記サブフレーム集合中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングする。
【０３０５】
＜第４実施方式＞
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、プロセッサ前記サブフレームグループ中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０３０６】
または、前記サブフレーム集合にマルチメディア放送/マルチキャスト単一周波数ネットワークＭＢＳＦＮサブフレームのみが含まれば、プロセッサ場合、前記サブフレーム集合中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングする。
【０３０７】
第１~第４実施方式のうちのいずれの実施方式において、プロセッサは、前記サブフレーム集合中の、チャネル状態情報リファレンス信号（ＣＳＩ−ＲＳ）リソースが設定されたサブフレームにおいて、前記物理ダウンリンクチャネルをリソースにマッピングすることを決定する場合、前記物理ダウンリンクチャネルをリソースにマッピングする場合に前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを決定する。
【０３０８】
具体的に、プロセッサは、前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、同一の前記サブフレームグループに属する前記ＭＢＳＦＮサブフレーム及び前記非ＭＢＳＦＮサブフレームにおいて、同様な伝送方式で受信するように送受信機に指示する。前記伝送方式は、復調用のリファレンス信号、伝送ポート・ポート数及びプリエンコーディング方式のうちのいずれの１つまたはこれらの任意の組み合わせを含む。
【０３０９】
または、プロセッサ前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームにおいて、同様な伝送方式で受信するように送受信機に指示する。ここで、前記伝送方式は、復調用のリファレンス信号、伝送ポート・ポート数及びプリエンコーディング方式のうちのいずれの１つまたはこれらの任意の組み合わせを含む。
【０３１０】
ここで、プロセッサは、前記サブフレーム集合、または、前記サブフレームグループ中の特定サブフレームに対応する伝送方式で受信するか、または、予め設定した伝送方式で受信するように送受信機に指示する。
【０３１１】
具体的に、プロセッサは、前記サブフレーム集合、または、前記サブフレームグループ中の第１サブフレームに対応する伝送方式で受信するように送受信機に指示する。
【０３１２】
または、前記サブフレーム集合、または、前記サブフレームグループにおけるＭＢＳＦＮサブフレームに対応する伝送方式で受信するように送受信機に指示する。
【０３１３】
実施の際、プロセッサは、前記リソースのマッピング方式で前記物理ダウンリンクチャネルを受信するように    送受信機に指示する場合、前記物理ダウンリンクチャネルをリソースにマッピングする場合に放棄してマッピングしないか、または０とするか、または他の信号によりオーバーレイとされたリソース上の情報を、受信する際に０または特定値とする。
【０３１４】
実施の際、プロセッサは、前記サブフレーム集合中のマルチサブフレームチャネル推定に参与する一定数のサブフレームにより形成したサブフレームグループにおける各々サブフレームにおいて受信した情報を統合する場合、０または特定値とするリソース位置上の情報を統合しないことを決定するか、または、前記サブフレーム集合における各々サブフレームにおいて受信した情報を統合する場合、０または特定値とするリソース位置上の情報を統合しないことを決定するように、送受信機に指示する。
【０３１５】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ−ＲＯＭ及び光学記憶装置等を含むがそれとは限らない）において実施する。
【０３１６】
本発明は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０３１７】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
上述した実施形態に記述された技術的な解決で段を改造し、或いはその中の一部の技術要素を置換することもできる。そのような、改造と置換は本発明の各実施形態の技術の範囲から逸脱するとは見なされない。
【０３１８】
無論、当業者によって、上述した実施形態に記述された技術的な解決で段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０３１９】
本出願は、２０１５年５月８日に中国特許局に提出し、出願番号が２０１５１０２３３１３６．１であり、発明名称が「ダウンリンクデータの重複伝送方法及び装置」との中国特許出願を基礎とする優先権を主張し、その開示の総てをここに取り込む。
【符号の説明】
【０３２０】
１６０１  決定モジュール
１６０２  リソースマッピングモジュール
１６０３  送信モジュール
１７０１  プロセッサ
１７０２  メモリ
１７０３  送受信機
１８０１  決定モジュール
１８０２  決定モジュール
１８０３  受信モジュール
１９０１  プロセッサ
１９０２  メモリ
１９０３  送受信機
【図１】
2018516029.tif 000019
【図２】
2018516029.tif 000020
【図３】
2018516029.tif 000021
【図４】
2018516029.tif 000022
【図５】
2018516029.tif 000023
【図６】
2018516029.tif 000024
【図７】
2018516029.tif 000025
【図８】
2018516029.tif 000026
【図９】
2018516029.tif 000027
【図１０】
2018516029.tif 000028
【図１１】
2018516029.tif 000029
【図１２】
2018516029.tif 000030
【図１３】
2018516029.tif 000031
【図１４】
2018516029.tif 000032
【図１５】
2018516029.tif 000033
【図１６】
2018516029.tif 000034
【図１７】
2018516029.tif 000035
【図１８】
2018516029.tif 000036
【図１９】
2018516029.tif 000037
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
物理ダウンリンクチャネルの重複伝送のためのサブフレーム集合を決定するステップと、
決定されたサブフレーム集合内の各々サブフレームにおいて、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップと、
前記リソースのマッピング方式で前記物理ダウンリンクチャネルを送信するステップとを備えることを特徴とするダウンリンクデータの重複伝送方法。
【請求項２】
前記特定の開始シンボル位置は、上位層シグナリングにより予め設定されるか、または、ダウンリンク制御情報（ＤＣＩ）領域サイズにより得られたものであり、前記ＤＣＩ領域サイズは、制御フォーマット指示子（ＣＦＩ）により得られたものであることを特徴とする請求項１に記載のダウンリンクデータの重複伝送方法。
【請求項３】
前記サブフレーム集合が複数のサブフレームグループを含み、前記サブフレームグループを単位として実行し、前記サブフレームグループが、マルチサブフレームチャネル推定に参与する一定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始めるステップは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングし、
または、前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始めるステップは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングし、
及び/または、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、
また、
前記サブフレームグループ中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトし、
または、前記サブフレーム集合にマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングするとき、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、
また、
前記サブフレーム集合中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトし、
及び/または、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記方法は、
同一の前記サブフレームグループに属する前記ＭＢＳＦＮサブフレーム及び前記非ＭＢＳＦＮサブフレームに対し、同様な伝送方式で伝送するステップをさらに備え、
前記伝送方式は、復調用のリファレンス信号、伝送ポート・ポート数及びプリエンコーディング方式のうちのいずれの１つまたはこれらの任意の組み合わせを含み、
または、前記サブフレーム集合にＭＢＳＦＮサブフレーム及び非ＭＢＳＦＮサブフレームが含まれば、前記方法は、
前記サブフレーム集合中の前記ＭＢＳＦＮサブフレーム及び前記非ＭＢＳＦＮサブフレームに対し、同様な伝送方式で伝送するステップをさらに備え、
前記伝送方式は、復調用のリファレンス信号、伝送ポート・ポート数及びプリエンコーディング方式のうちのいずれの１つまたはこれらの任意の組み合わせを含み、
及び/または、
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、
前記サブフレーム集合に非ＭＢＳＦＮサブフレームのみが含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
及び/または、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、前記サブフレーム集合にマルチメディア放送/マルチキャスト単一周波数ネットワークＭＢＳＦＮサブフレームのみが含まれば、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングすることを特徴とする請求項１に記載のダウンリンクデータの重複伝送方法。
【請求項４】
前記第３シンボル数を、前記第１シンボル数及び前記第２シンボル数のうちの最小値または最大値として決定することを特徴とする請求項３に記載のダウンリンクデータの重複伝送方法。
【請求項５】
前記物理ダウンリンクチャネルをリソースにマッピングする場合、現サブフレームの第１スロットにおける、前記第３シンボル数に基づいて決定された開始シンボル位置からマッピングするステップは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングする場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、
または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングする場合、現サブフレームの第１スロットにおける、前記第３シンボル数に基づいて決定された開始シンボル位置からマッピングし、前記物理ダウンリンクチャネルにより積載される情報中の一部情報を、現サブフレームの第１スロットにおける、前記第３シンボル数に基づいて決定された開始シンボル位置ににおける先頭Ｂ個シンボルに重複マッピングし、前記Ｂ個シンボル数は、前記第３シンボル数と現サブフレームのＤＣＩ領域の実のシンボル数の差であることを特徴とする請求項４に記載のダウンリンクデータの重複伝送方法。
【請求項６】
同様な伝送方式で伝送するステップは、
前記サブフレーム集合または前記サブフレームグループ中の特定サブフレームに対応する伝送方式で伝送するか、
または、
予め設定した伝送方式で伝送することを特徴とする請求項３に記載のダウンリンクデータの重複伝送方法。
【請求項７】
前記サブフレーム集合または前記サブフレームグループ中の特定サブフレームに対応する伝送方式で伝送するステップは、
前記サブフレーム集合、または、前記サブフレームグループ中の第１サブフレームに対応する伝送方式で伝送するか、
または、
前記サブフレーム集合、または、前記サブフレームグループにおけるＭＢＳＦＮサブフレームに対応する伝送方式で伝送することを特徴とする請求項６に記載のダウンリンクデータの重複伝送方法。
【請求項８】
前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合、
前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを特徴とする請求項１ないし請求項７のいずれかに記載のダウンリンクデータの重複伝送方法。
【請求項９】
物理ダウンリンクチャネルの重複伝送のためのサブフレーム集合を決定するステップと、
決定されたサブフレーム集合内の各々サブフレームにおいて、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップと、
前記リソースのマッピング方式で前記物理ダウンリンクチャネルを受信するステップとを備えることを特徴とするダウンリンクデータの重複伝送方法。ことを特徴とするダウンリンクデータの重複伝送方法。
【請求項１０】
前記特定の開始シンボル位置は、上位層シグナリングにより予め設定するか、または、ダウンリンク制御情報（ＤＣＩ）領域サイズにより得られたものであり、前記ＤＣＩ領域サイズは、制御フォーマット指示子（ＣＦＩ）により得られたものであることを特徴とする請求項９に記載のダウンリンクデータの重複伝送方法。
【請求項１１】
。前記サブフレーム集合は、複数のサブフレームグループを含み、前記サブフレームグループを単位として実行し、前記サブフレームグループは、マルチサブフレームチャネル推定に参与する一定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングすることを決定する場合、現サブフレームの第１スロットにおける特定の開始シンボル位置からマッピングし始めるステップは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングし、
または、
前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、物理ダウンリンクチャネルをリソースにマッピングすることを決定する場合に、現サブフレームの第１スロットにおける特定の開始シンボル位置からマッピングし始めるステップは、
ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングし、
及び/または、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、
また、
前記サブフレームグループ中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定し、
または、
前記サブフレーム集合にマルチメディア放送/マルチキャスト単一周波数ネットワークＭＢＳＦＮサブフレーム及び非ＭＢＳＦＮサブフレームが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、
また、
前記サブフレーム集合中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定し、
及び/または、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記方法は、
同一の前記サブフレームグループに属する前記ＭＢＳＦＮサブフレーム及び前記非ＭＢＳＦＮサブフレームにおいて、同様な伝送方式で受信するステップをさらに備え、
前記伝送方式は、復調用のリファレンス信号、伝送ポート・ポート数及びプリエンコーディング方式のうちのいずれの１つまたはこれらの任意の組み合わせを含み、
または、前記サブフレーム集合にマルチメディア放送/マルチキャスト単一周波数ネットワークＭＢＳＦＮサブフレーム及び非ＭＢＳＦＮサブフレームが含まれば、前記方法は、
前記サブフレーム集合中の前記ＭＢＳＦＮサブフレーム及び前記非ＭＢＳＦＮサブフレームにおいて、同様な伝送方式で受信するステップをさらに備え、
前記伝送方式は、復調用のリファレンス信号、伝送ポート・ポート数及びプリエンコーディング方式のうちのいずれの１つまたはこれらの任意の組み合わせを含み、
及び/または、
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、
前記サブフレーム集合に非マルチメディア放送/マルチキャスト単一周波数ネットワークＭＢＳＦＮサブフレームのみが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
及び/または、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレームグループ中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、
前記サブフレーム集合にマルチメディア放送/マルチキャスト単一周波数ネットワークＭＢＳＦＮサブフレームのみが含まれば、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングするステップは、
前記サブフレーム集合中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングすることを特徴とする請求項１０に記載のダウンリンクデータの重複伝送方法。
【請求項１２】
前記第３シンボル数を、前記第１シンボル数及び前記第２シンボル数のうちの最小値または最大値として決定することを特徴とする請求項１１に記載のダウンリンクデータの重複伝送方法。
【請求項１３】
前記物理ダウンリンクチャネルをリソースにマッピングすることを決定する場合、現サブフレームの第１スロットにおける、前記第３シンボル数に基づいて決定された開始シンボル位置からマッピングするステップは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングすることを決定する場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、
または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングすることを決定する場合、現サブフレームの第１スロットにおける、前記第３シンボル数に基づいて決定された開始シンボル位置からマッピングし、かつ、前記物理ダウンリンクチャネルをリソースにマッピングする場合に、前記物理ダウンリンクチャネルにより積載される情報中の一部情報を、現サブフレームの第１スロットにおける、前記第３シンボル数に基づいて決定された開始シンボル位置からの先頭のＢ個シンボルに重複マッピングすることを決定し、前記Ｂ個シンボル数は、前記第３シンボル数と現サブフレームのＤＣＩ領域の実のシンボル数の差であることを特徴とする請求項１２に記載のダウンリンクデータの重複伝送方法。
【請求項１４】
同様な伝送方式で受信するステップは、
前記サブフレーム集合、または、前記サブフレームグループ中の特定サブフレームに対応する伝送方式で受信するか、
または、
予め設定した伝送方式で受信することを特徴とする請求項１１に記載のダウンリンクデータの重複伝送方法。
【請求項１５】
前記サブフレーム集合、または、前記サブフレームグループ中の特定サブフレームに対応する伝送方式で受信するステップは、
前記サブフレーム集合、または、前記サブフレームグループ中の第１サブフレームに対応する伝送方式で受信するか、
前記サブフレーム集合、または、前記サブフレームグループにおけるＭＢＳＦＮサブフレームに対応する伝送方式で受信することを特徴とする請求項１４に記載のダウンリンクデータの重複伝送方法。
【請求項１６】
前記サブフレーム集合中の、チャネル状態情報リファレンス信号（ＣＳＩ−ＲＳ）リソースが設定されたサブフレームにおいて、
前記物理ダウンリンクチャネルをリソースにマッピングする場合に前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを決定するステップをさらに備え、
及び/または、
前記リソースのマッピング方式で前記物理ダウンリンクチャネルを受信するステップは、
前記物理ダウンリンクチャネルをリソースにマッピングする場合に放棄してマッピングしないか、または０とするか、または他の信号によりオーバーレイとされたリソース上の情報を、受信する際に０または特定値とすることを特徴とする請求項９ないし請求項１５のいずれかに記載のダウンリンクデータの重複伝送方法。
【請求項１７】
前記サブフレーム集合中のマルチサブフレームチャネル推定に参与する一定数のサブフレームにより形成したサブフレームグループにおける各々サブフレームにおいて受信した情報を統合する場合、０または特定値とするリソース位置上の情報を統合しないことを決定し、
または、前記サブフレーム集合における各々サブフレームにおいて受信した情報を統合する場合、０または特定値とするリソース位置上の情報を統合しないことを決定することを特徴とする請求項１６に記載のダウンリンクデータの重複伝送方法。
【請求項１８】
物理ダウンリンクチャネルの重複伝送のためのサブフレーム集合を決定する決定モジュールと、
決定されたサブフレーム集合内の各々サブフレームにおいて、前記物理ダウンリンクチャネルをリソースにマッピングする場合、現サブフレームの第１スロットにおける特定の開始シンボル位置からマッピングし始め、復調用のリファレンス信号に対応するリソース以外の全部のリソースにマッピングするリソースマッピングモジュールと、
前記リソースのマッピング方式で前記物理ダウンリンクチャネルを送信する送信モジュールとを備えることを特徴とする送信端装置。
【請求項１９】
前記特定の開始シンボル位置は、上位層シグナリングにより予め設定するか、または、前記特定の開始シンボル位置は、ダウンリンク制御情報（ＤＣＩ）領域サイズにより得られたものである、前記ＤＣＩ領域サイズは、制御フォーマット指示子（ＣＦＩ）により得られたものであることを特徴とする請求項１８に記載の送信端装置。
【請求項２０】
前記リソースマッピングモジュールは、
前記サブフレーム集合が複数のサブフレームグループを含み、前記サブフレームグループを単位として実行し、前記サブフレームグループがマルチサブフレームチャネル推定に参与する所定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングし、
または、前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングする場合、現サブフレームの第１スロットにおける、前記第３シンボル数に基づいて決定された開始シンボル位置からマッピングし、
及び/または、
前記リソースマッピングモジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記サブフレームグループ中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレームグループ中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトし、
または、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングする場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレーム集合中の非ＭＢＳＦＮサブフレームにおいて、前記物理ダウンリンクチャネルをリソースにマッピングする場合、前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトし、
及び/または、
前記送信モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、同一の前記サブフレームグループに属する前記ＭＢＳＦＮサブフレーム及び前記非ＭＢＳＦＮサブフレームに対し、同様な伝送方式で伝送し、前記伝送方式は、復調用のリファレンス信号、伝送ポート・ポート数及びプリエンコーディング方式のうちのいずれの１つまたはこれらの任意の組み合わせを含み、
または、前記サブフレーム集合にＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームに対し、同様な伝送方式で伝送し、前記伝送方式は、復調用のリファレンス信号、伝送ポート・ポート数及びプリエンコーディング方式のうちのいずれの１つまたはこれらの任意の組み合わせを含み、
及び/または、
前記リソースマッピングモジュールは、
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記サブフレームグループ中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、前記サブフレーム集合に非ＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
及び/または、
前記リソースマッピングモジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記サブフレームグループ中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、前記サブフレーム集合にマルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングする場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングすることを特徴とする請求項１８に記載の送信端装置。
【請求項２１】
前記リソースマッピングモジュールは、
前記第３シンボル数を、前記第１シンボル数及び前記第２シンボル数のうちの最小値または最大値として決定することを特徴とする請求項２０に記載の送信端装置。
【請求項２２】
前記リソースマッピングモジュールは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングする場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、 または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングする場合、現サブフレームの第１スロットにおける、前記第３シンボル数に基づいて決定された開始シンボル位置からマッピングし、前記物理ダウンリンクチャネルにより積載される情報中の一部情報を、現サブフレームの第１スロットにおける、前記第３シンボル数に基づいて決定された開始シンボル位置ににおける先頭Ｂ個シンボルに重複マッピングし、前記Ｂ個シンボル数は、前記第３シンボル数と現サブフレームのＤＣＩ領域の実のシンボル数の差であることを特徴とする請求項２１に記載の送信端装置。
【請求項２３】
前記送信モジュールは、
前記サブフレーム集合または前記サブフレームグループ中の特定サブフレームに対応する伝送方式で伝送し、
または、
予め設定した伝送方式で伝送することを特徴とする請求項２０に記載の送信端装置。
【請求項２４】
前記送信モジュールは、
前記サブフレーム集合、または、前記サブフレームグループ中の第１サブフレームに対応する伝送方式で伝送し、
または、
前記サブフレーム集合、または、前記サブフレームグループにおけるＭＢＳＦＮサブフレームに対応する伝送方式で伝送することを特徴とする請求項２３に記載の送信端装置。
【請求項２５】
前記リソースマッピングモジュールは、
前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合、前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを特徴とする請求項１８ないし請求項２４のいずれかに記載の送信端装置。
【請求項２６】
物理ダウンリンクチャネルの重複伝送のためのサブフレーム集合を決定する第１決定モジュールと、
決定されたサブフレーム集合内の各々サブフレームにおいて、前記物理ダウンリンクチャネルをリソースにマッピングすることを決定する場合、現サブフレームの第１スロットにおける特定の開始シンボル位置からマッピングし始め、復調用のリファレンス信号に対応するリソース以外の全部のリソースにマッピングする第２決定モジュールと、
前記リソースのマッピング方式で前記物理ダウンリンクチャネルを受信する受信モジュールとを備えることを特徴とする受信端装置。
【請求項２７】
前記特定の開始シンボル位置は、上位層シグナリングにより予め設定するか、または、前記特定の開始シンボル位置は、ダウンリンク制御情報（ＤＣＩ）領域サイズにより得られたものである、前記ＤＣＩ領域サイズは、制御フォーマット指示子（ＣＦＩ）により得られたものであることを特徴とする請求項２６に記載の受信端装置。
【請求項２８】
前記第２決定モジュールは、
前記サブフレーム集合は、複数のサブフレームグループを含み、前記サブフレームグループを単位として実行し、前記サブフレームグループは、マルチサブフレームチャネル推定に参与する一定数のサブフレームにより形成され、かつ、前記サブフレームグループにマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレームグループにおける各々サブフレームのＤＣＩ領域に占有された第３シンボル数を決定し、前記第３シンボル数に基づいて前記サブフレームグループにおける各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングし、
または、前記サブフレーム集合を単位として実行し、前記サブフレーム集合にマルチメディア放送/マルチキャスト単一周波数ネットワークＭＢＳＦＮサブフレーム及び非ＭＢＳＦＮサブフレームが含まれば、ＭＢＳＦＮサブフレームのダウンリンク制御情報（ＤＣＩ）領域に占有された第１シンボル数及び非ＭＢＳＦＮサブフレームのＤＣＩ領域に占有された第２シンボル数に基づき、前記サブフレーム集合における各々サブフレームのＤＣＩ領域に占有された第３シンボル数を決定し、前記第３シンボル数に基づいて前記サブフレーム集合における各々サブフレームの特定の開始シンボル位置を決定し、前記物理ダウンリンクチャネルをリソースにマッピングすることを決定する場合、現サブフレームの第１スロットにおける、前記第３シンボル数に基づいて決定された開始シンボル位置からマッピングし、
及び/または、
前記第２決定モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、前記サブフレームグループ中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレームグループ中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定し、
または、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の各々サブフレームにおいて、前記物理ダウンリンクチャネルをリソースにマッピングすることを決定する場合、現サブフレームの第１スロットにおける特定の開始シンボル位置からマッピングし始め、特定復調リファレンス信号ＤＭＲＳに対応するリソース以外の全部のリソースにマッピングし、また、
前記サブフレーム集合中の非ＭＢＳＦＮサブフレームにおいて、前記物理ダウンリンクチャネルをリソースにマッピングする場合に前記物理ダウンリンクチャネルにより積載される、共通リファレンス信号（ＣＲＳ）リソースにマッピングした情報を、放棄してマッピングしないか、または０にするか、または、前記リソース上で伝送するＣＲＳよりオーバーライトすることを決定し、
及び/またｈ、
前記受信モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレーム及び非ＭＢＳＦＮサブフレームが含まれば、同一の前記サブフレームグループに属する前記ＭＢＳＦＮサブフレーム及び前記非ＭＢＳＦＮサブフレームにおいて、同様な伝送方式で受信し、前記伝送方式は、復調用のリファレンス信号、伝送ポート・ポート数及びプリエンコーディング方式のうちのいずれの１つまたはこれらの任意の組み合わせを含み、
または、前記サブフレーム集合にマルチメディア放送/マルチキャスト単一周波数ネットワークＭＢＳＦＮサブフレーム及び非ＭＢＳＦＮサブフレームが含まれば、前記サブフレーム集合中の前記ＭＢＳＦＮサブフレーム及び前記非ＭＢＳＦＮサブフレームにおいて、同様な伝送方式で受信し、前記伝送方式は、復調用のリファレンス信号、伝送ポート・ポート数及びプリエンコーディング方式のうちのいずれの１つまたはこれらの任意の組み合わせを含み、
及び/または、
前記第２決定モジュールは、
前記サブフレーム集合中のマルチサブフレームチャネル推定に参与する一定数のサブフレームにより形成したサブフレームグループに非マルチメディア放送/マルチキャスト単一周波数ネットワークＭＢＳＦＮサブフレームのみが含まれば、前記サブフレームグループ中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
または、
前記サブフレーム集合に非マルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングすることを決定する場合、現サブフレームの第１スロットにおける、非ＭＢＳＦＮサブフレームのダウンリンク制御情報（ＤＣＩ）領域サイズに基づいて決定された開始シンボル位置からマッピングし始め、共通リファレンス信号（ＣＲＳ）の以外か、または、共通リファレンス信号（ＣＲＳ）及び特定復調リファレンス信号ＤＭＲＳに対応するリソース以外の全部のリソースにマッピングし、
及び/または、
前記第２決定モジュールは、
前記サブフレーム集合中のマルチサブフレームチャネル推定に参与する一定数のサブフレームにより形成したサブフレームグループにマルチメディア放送/マルチキャスト単一周波数ネットワークＭＢＳＦＮサブフレームのみ含まれば、前記サブフレームグループ中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングし、
または、前記サブフレーム集合にマルチメディア放送/マルチキャスト単一周波数ネットワークＭＢＳＦＮサブフレームのみが含まれば、前記サブフレーム集合中の各々サブフレームにおいて、前記物理ダウンリンクチャネルをリソースにマッピングすることを決定する場合、現サブフレームの第１スロットにおける、ＭＢＳＦＮサブフレームのダウンリンク制御情報（ＤＣＩ）領域サイズに基づいて決定された開始シンボル位置からマッピングし始め、特定復調リファレンス信号ＤＭＲＳに対応するリソース以外の全部のリソースにマッピングすることを特徴とする請求項２６に記載の受信端装置。
【請求項２９】
前記第２決定モジュールは、
前記第３シンボル数を、前記第１シンボル数及び前記第２シンボル数のうちの最小値または最大値として決定することを特徴とする請求項２８に記載の受信端装置。
【請求項３０】
前記第２決定モジュールは、
前記第３シンボル数が前記第１シンボル数及び前記第２シンボル数のうちの最小値であれば、ＤＣＩ領域の実のシンボル数が前記第３シンボル数より大きいサブフレームにおいて、前記物理ダウンリンクチャネルをリソースにマッピングすることを決定する場合、前記物理ダウンリンクチャネルにより積載されている、現サブフレームの第１スロットにマッピングされた、前記第３シンボル数に基づいて決定された開始シンボル位置からの先頭のＡ個のシンボル上の情報を、放棄してマッピングしないか、または、０とするか、または、前記Ａ個のシンボル上で伝送するＤＣＩによりオーバーライトし、前記Ａ個シンボル数は、現サブフレームのＤＣＩ領域の実のシンボル数と前記第３シンボル数の差であり、または、
前記第３シンボル数が前記第１シンボル数及び前記第２シンボル数のうちの最大値であれば、ＤＣＩ領域の実のシンボル数が前記第３シンボル数より小さいサブフレームにおいて、前記物理ダウンリンクチャネルをリソースにマッピングすることを決定する場合、現サブフレームの第１スロットにおける、前記第３シンボル数に基づいて決定された開始シンボル位置からマッピングし、かつ、前記物理ダウンリンクチャネルをリソースにマッピングする場合に、前記物理ダウンリンクチャネルにより積載される情報中の一部情報を、現サブフレームの第１スロットにおける、前記第３シンボル数に基づいて決定された開始シンボル位置からの先頭のＢ個シンボルに重複マッピングすることを決定し、前記Ｂ個シンボル数は、前記第３シンボル数と現サブフレームのＤＣＩ領域の実のシンボル数の差であることを特徴とする請求項２９に記載の受信端装置。
【請求項３１】
前記受信モジュールは、
前記サブフレーム集合、または、前記サブフレームグループ中の特定サブフレームに対応する伝送方式で受信し、
または、
予め設定した伝送方式で受信することを特徴とする請求項２９に記載の受信端装置。
【請求項３２】
前記受信モジュールは、
前記サブフレーム集合、または、前記サブフレームグループ中の第１サブフレームに対応する伝送方式で受信し、
または、
前記サブフレーム集合、または、前記サブフレームグループにおけるＭＢＳＦＮサブフレームに対応する伝送方式で受信することを特徴とする請求項３１に記載の受信端装置。
【請求項３３】
前記第２決定モジュールは、
前記サブフレーム集合中の、チャネル状態情報リファレンス信号（ＣＳＩ−ＲＳ）リソースが設定されたサブフレームにおいて、前記物理ダウンリンクチャネルをリソースにマッピングする場合に前記物理ダウンリンクチャネルにより積載される、非０電力ＮＺＰ ＣＳＩ−ＲＳリソースにマッピングした情報を、放棄してマッピングしないか、または、０とするか、または、前記リソース上で伝送するＣＳＩ−ＲＳによりオーバーライトし、前記物理ダウンリンクチャネルにより積載される、０電力ＺＰ ＣＳＩ−ＲＳリソースにマッピングした情報を、放棄してマッピングしないか、または０とすることを決定し、
及び/または、
前記受信モジュールは、前記リソースのマッピング方式で前記物理ダウンリンクチャネルを受信する場合、前記物理ダウンリンクチャネルをリソースにマッピングする場合に放棄してマッピングしないか、または０とするか、または他の信号によりオーバーレイとされたリソース上の情報を、受信する際に０または特定値とすることを特徴とする請求項２６ないし請求項３２のいずれかに記載の受信端装置。
【請求項３４】
前記受信モジュールは、
前記サブフレーム集合中のマルチサブフレームチャネル推定に参与する一定数のサブフレームにより形成したサブフレームグループにおける各々サブフレームにおいて受信した情報を統合する場合、０または特定値とするリソース位置上の情報を統合しないことを決定し、
または、
前記サブフレーム集合における各々サブフレームにおいて受信した情報を統合する場合、０または特定値とするリソース位置上の情報を統合しないことを決定することを特徴とする請求項３３に記載の受信端装置。
【国際調査報告】
2018516029.tif 000038
2018516029.tif 000039
2018516029.tif 000040
2018516029.tif 000041